(57)【要約】      （修正有）【課題】効率的に上りリンクおよび／または下りリンク通信を行うことができる端末装置を提供する。【解決手段】端末装置は、ＰＤＳＣＨにおけるトランスポートブロックを受信し、ＣＢＧの数Ｘを示すＲＲＣ情報を受信し、ＰＵＣＣＨの送信のための送信電力を決定し、ＨＡＲＱ−ＡＣＫを前記ＰＵＣＣＨで送信する。トランスポートブロックは、ＮＣＢ個のコードブロックに分割される。トランスポートブロックの初期送信において受信するコードブロックが対応するＣＢＧの数ＮＣＢＧ＿ｉｎｉは、ＸとＮＣＢの内、小さい方の値によって与えられる。トランスポートブロックの再送信に対するＨＡＲＱ−ＡＣＫを含むＰＵＣＣＨの送信のための送信電力は、トランスポートブロックの初期送信において受信するコードブロックが対応するＣＢＧの数ＮＣＢＧ＿ｉｎｉによって与えられる。【選択図】図２１
2019087965.tif 000002
【特許請求の範囲】
【請求項１】
ＰＤＣＣＨ、および、ＰＤＣＣＨによってスケジュールされるＰＤＳＣＨにおけるトランスポートブロックを受信し、ＣＢＧの数Ｘを示すＲＲＣ情報を受信する受信部と、
ＰＵＣＣＨの送信のための送信電力を決定する制御部と、
前記トランスポートブロックに含まれるＸ個のＣＢＧのそれぞれに対応するＨＡＲＱ−ＡＣＫを前記ＰＵＣＣＨで送信する送信部と、を備え、
前記ＸはＲＲＣ情報より示され、トランスポートブロックあたりのＣＢＧの最大数であり、
前記トランスポートブロックはＮＣＢ個のコードブロックに分割され、
前記トランスポートブロックの初期送信において受信するコードブロックが対応するＣＢＧの数ＮＣＢＧ＿ｉｎｉは、前記Ｘと前記ＮＣＢの内、小さい方の値によって与えられ、
前記トランスポートブロックの再送信において受信するコードブロックが対応するＣＢＧの数ＮＣＢＧ＿ｒｅは、前記ＰＤＣＣＨに含まれるＣＢＧの再送信情報を示すフィールドによって与えられ、
前記トランスポートブロックの再送信に対するＨＡＲＱ−ＡＣＫを含むＰＵＣＣＨの送信のための送信電力は、トランスポートブロックの初期送信において受信するコードブロックが対応するＣＢＧの数ＮＣＢＧ＿ｉｎｉによって与えられる端末装置。
【請求項２】
ＰＤＣＣＨ、および、ＰＤＣＣＨによってスケジュールされるＰＤＳＣＨにおける１つまたは複数のトランスポートブロックを送信し、トランスポートブロックあたりのＣＢＧの最大数Ｘを示すＲＲＣ情報を送信する送信部と、
前記トランスポートブロックに含まれるＸ個のＣＢＧのそれぞれに対応するＨＡＲＱ−ＡＣＫを前記ＰＵＣＣＨで受信する受信部と、を備え、
前記ＸはＲＲＣ情報より示され、トランスポートブロックあたりのＣＢＧの最大数であり、
前記トランスポートブロックはＮＣＢ個のコードブロックに分割され、
前記トランスポートブロックの初期送信において受信するコードブロックが対応するＣＢＧの数ＮＣＢＧ＿ｉｎｉは、前記Ｘと前記ＮＣＢの内、小さい方の値によって与えられ、
前記トランスポートブロックの再送信において受信するコードブロックが対応するＣＢＧの数ＮＣＢＧ＿ｒｅは、前記ＰＤＣＣＨに含まれるＣＢＧの再送信情報を示すフィールドによって与えられ、
前記トランスポートブロックの再送信に対するＨＡＲＱ−ＡＣＫを含むＰＵＣＣＨの送信のための送信電力は、トランスポートブロックの初期送信において受信するコードブロックが対応するＣＢＧの数ＮＣＢＧ＿ｉｎｉによって与えられる基地局装置。
【請求項３】
端末装置の通信方法であって、
ＰＤＣＣＨ、および、ＰＤＣＣＨによってスケジュールされるＰＤＳＣＨにおけるトランスポートブロックを受信し、ＣＢＧの数Ｘを示すＲＲＣ情報を受信するステップと、
ＰＵＣＣＨの送信のための送信電力を決定するステップと、
前記トランスポートブロックに含まれるＸ個のＣＢＧのそれぞれに対応するＨＡＲＱ−ＡＣＫを前記ＰＵＣＣＨで送信するステップと、を備え、
前記ＸはＲＲＣ情報より示され、トランスポートブロックあたりのＣＢＧの最大数であり、
前記トランスポートブロックはＮＣＢ個のコードブロックに分割され、
前記トランスポートブロックの初期送信において受信するコードブロックが対応するＣＢＧの数ＮＣＢＧ＿ｉｎｉは、前記Ｘと前記ＮＣＢの内、小さい方の値によって与えられ、
前記トランスポートブロックの再送信において受信するコードブロックが対応するＣＢＧの数ＮＣＢＧ＿ｒｅは、前記ＰＤＣＣＨに含まれるＣＢＧの再送信情報を示すフィールドによって与えられ、
前記トランスポートブロックの再送信に対するＨＡＲＱ−ＡＣＫを含むＰＵＣＣＨの送信のための送信電力は、トランスポートブロックの初期送信において受信するコードブロックが対応するＣＢＧの数ＮＣＢＧ＿ｉｎｉによって与えられる通信方法。
【請求項４】
基地局装置の通信方法であって、
ＰＤＣＣＨ、および、ＰＤＣＣＨによってスケジュールされるＰＤＳＣＨにおける１つまたは複数のトランスポートブロックを送信し、トランスポートブロックあたりのＣＢＧの最大数Ｘを示すＲＲＣ情報を送信するステップと、
前記トランスポートブロックに含まれるＸ個のＣＢＧのそれぞれに対応するＨＡＲＱ−ＡＣＫを前記ＰＵＣＣＨで受信するステップと、を備え、
前記ＸはＲＲＣ情報より示され、トランスポートブロックあたりのＣＢＧの最大数であり、
前記トランスポートブロックはＮＣＢ個のコードブロックに分割され、
前記トランスポートブロックの初期送信において受信するコードブロックが対応するＣＢＧの数ＮＣＢＧ＿ｉｎｉは、前記Ｘと前記ＮＣＢの内、小さい方の値によって与えられ、
前記トランスポートブロックの再送信において受信するコードブロックが対応するＣＢＧの数ＮＣＢＧ＿ｒｅは、前記ＰＤＣＣＨに含まれるＣＢＧの再送信情報を示すフィールドによって与えられ、
前記トランスポートブロックの再送信に対するＨＡＲＱ−ＡＣＫを含むＰＵＣＣＨの送信のための送信電力は、トランスポートブロックの初期送信において受信するコードブロックが対応するＣＢＧの数ＮＣＢＧ＿ｉｎｉによって与えられる通信方法。
【発明の詳細な説明】
【技術分野】
【０００１】
本発明は、端末装置、基地局装置、および、通信方法に関する。
【背景技術】
【０００２】
セルラー移動通信の無線アクセス方式および無線ネットワーク（以下、「Long Term Evolution （LTE）」、または、「Evolved Universal Terrestrial Radio Access : EUTRA
」と称する。）が、第三世代パートナーシッププロジェクト（3rd Generation Partnership Project: 3GPP）において検討されている。ＬＴＥにおいて、基地局装置はｅＮｏｄｅＢ（evolved NodeB）、端末装置はＵＥ（User Equipment）とも呼称される。ＬＴＥは、
基地局装置がカバーするエリアをセル状に複数配置するセルラー通信システムである。単一の基地局装置は複数のセルを管理してもよい。
【０００３】
３ＧＰＰでは、国際電気通信連合（ITU: International Telecommunication Union）が策定する次世代移動通信システムの規格であるＩＭＴ（International Mobile Telecommunication）―２０２０に提案するため、次世代規格（NR: New Radio）の検討が行われて
いる（非特許文献１）。ＮＲは、単一の技術の枠組みにおいて、ｅＭＢＢ（enhanced Mobile BroadBand）、ｍＭＴＣ（massive Machine Type Communication）、ＵＲＬＬＣ（Ultra Reliable and Low Latency Communication）の３つのシナリオを想定した要求を満た
すことが求められている。
【０００４】
ＮＲにおいて、大容量のデータ送受信のため、ＣＢＧトランスミッションの検討が行われている（非特許文献２）。ＣＢＧトランスミッションは、初期送信のためのトランスポートブロックの一部だけの送信または受信を行うことを意味してもよい。ＣＢＧトランスミッションにおいて、ＨＡＲＱ−ＡＣＫはＣＢＧごとに送信される。ＣＢＧに対応するＨＡＲＱ−ＡＣＫのそれぞれは、該ＣＢＧの復号化の結果に基づき生成される。
【先行技術文献】
【非特許文献】
【０００５】
【非特許文献１】"New SID proposal: Study on New Radio Access Technology", RP-160671, NTT docomo, 3GPP TSG RAN Meeting #71, Goteborg, Sweden, 7th - 10th March, 2016.
【非特許文献２】" Consideration on CB group based HARQ operation ", R1-1707661, Hangzhou, China, 15th - 19th May, 2017.
【発明の概要】
【発明が解決しようとする課題】
【０００６】
本発明は、効率的に上りリンクおよび／または下りリンク通信を行うことができる端末装置、該端末装置に用いられる通信方法、該端末装置に実装される集積回路、効率的に上りリンクおよび／または下りリンク通信を行うことができる基地局装置、該基地局装置に用いられる通信方法、該基地局装置に実装される集積回路を提供する。
【課題を解決するための手段】
【０００７】
（１）本発明の態様は、以下のような手段を講じた。すなわち、本発明の第１の態様は、端末装置であって、ＰＤＣＣＨ、および、ＰＤＣＣＨによってスケジュールされるＰＤＳＣＨにおけるトランスポートブロックを受信し、ＣＢＧの数Ｘを示すＲＲＣ情報を受信する受信部と、ＰＵＣＣＨの送信のための送信電力を決定する制御部と、前記トランスポートブロックに含まれる前記Ｘ個のＣＢＧのそれぞれに対応するＨＡＲＱ−ＡＣＫを前記
ＰＵＣＣＨで送信する送信部と、を備え、前記ＸはＲＲＣ情報より示され、トランスポートブロックあたりのＣＢＧの最大数であり、前記トランスポートブロックはＮＣＢ個のコードブロックに分割され、前記トランスポートブロックの初期送信において受信するコードブロックが対応するＣＢＧの数ＮＣＢＧ＿ｉｎｉは、前記Ｘと前記ＮＣＢの内、小さい方の値によって与えられ、前記トランスポートブロックの再送信において受信するコードブロックが対応するＣＢＧの数ＮＣＢＧ＿ｒｅは、前記ＰＤＣＣＨに含まれるＣＢＧの再送信情報を示すフィールドによって与えられ、前記トランスポートブロックの再送信に対するＨＡＲＱ−ＡＣＫを含むＰＵＣＣＨの送信のための送信電力は、トランスポートブロックの初期送信において受信するコードブロックが対応するＣＢＧの数ＮＣＢＧ＿ｉｎｉによって与えられる。
【０００８】
（２）本発明の第２の態様は、基地局装置であって、ＰＤＣＣＨ、および、ＰＤＣＣＨによってスケジュールされるＰＤＳＣＨにおけるトランスポートブロックを送信し、ＣＢＧの数Ｘを示すＲＲＣ情報を送信する送信部と、前記トランスポートブロックに含まれる前記Ｘ個のＣＢＧのそれぞれに対応するＨＡＲＱ−ＡＣＫを前記ＰＵＣＣＨで受信する受信部と、を備え、前記ＸはＲＲＣ情報より示され、トランスポートブロックあたりのＣＢＧの最大数であり、前記トランスポートブロックはＮＣＢ個のコードブロックに分割され、前記トランスポートブロックの初期送信において受信するコードブロックが対応するＣＢＧの数ＮＣＢＧ＿ｉｎｉは、前記Ｘと前記ＮＣＢの内、小さい方の値によって与えられ、前記トランスポートブロックの再送信において受信するコードブロックが対応するＣＢＧの数ＮＣＢＧ＿ｒｅは、前記ＰＤＣＣＨに含まれるＣＢＧの再送信情報を示すフィールドによって与えられ、前記トランスポートブロックの再送信に対するＨＡＲＱ−ＡＣＫを含むＰＵＣＣＨの送信のための送信電力は、トランスポートブロックの初期送信において受信するコードブロックが対応するＣＢＧの数ＮＣＢＧ＿ｉｎｉによって与えられる。
【０００９】
（３）本発明の第３の態様は、端末装置であって、サービングセルにおいてＰＤＣＣＨ、および、ＰＤＣＣＨによってスケジュールされるＰＤＳＣＨにおける１つまたは複数のトランスポートブロックを受信し、トランスポートブロックあたりのＣＢＧの最大数Ｘを示すＲＲＣ情報を受信する受信部と、前記ＰＤＳＣＨに対応するＨＡＲＱ−ＡＣＫを送信する送信部と、を備え、前記トランスポートブロックは複数のコードブロックに分割され、ＣＢＧは、空のＣＢＧと非空のＣＢＧに分けられ、前記空のＣＢＧはコードブロックを含まないＣＢＧであり、前記非空のＣＢＧは少なくとも１つのコードブロックを含むＣＢＧであり、ＣＢＧグループが含むすべてのＣＢＧが空のＣＢＧの場合、空のＣＢＧのそれぞれに対して、ＮＡＣＫを生成し、前記ＣＢＧグループが少なくとも１つの空のＣＢＧと少なくとも１つの非空のＣＢＧを含む場合、前記少なくとも１つの空のＣＢＧ対してＮＡＣＫを生成しない、前記ＣＢＧグループは、１つより多いＣＢＧを含み、前記ＣＢＧグループに対応するＣＢＧに対するＨＡＲＱ−ＡＣＫが１つのバンドルＨＡＲＱ−ＡＣＫに生成される。
【００１０】
（４）本発明の第４の態様は、基地局装置であって、サービングセルにおいてＰＤＣＣＨ、および、ＰＤＣＣＨによってスケジュールされるＰＤＳＣＨにおける１つまたは複数のトランスポートブロックを送信し、トランスポートブロックあたりのＣＢＧの最大数Ｘを示すＲＲＣ情報を送信する送信部と、前記ＰＤＳＣＨに対応するＨＡＲＱ−ＡＣＫを受信する受信部と、を備え、前記トランスポートブロックは複数のコードブロックに分割され、ＣＢＧは、空のＣＢＧと非空のＣＢＧに分けられ、前記空のＣＢＧはコードブロックを含まないＣＢＧであり、前記非空のＣＢＧは少なくとも１つのコードブロックを含むＣＢＧであり、ＣＢＧグループが含むすべてのＣＢＧが空のＣＢＧの場合、空のＣＢＧのそれぞれに対して、ＮＡＣＫを生成し、前記ＣＢＧグループが少なくとも１つの空のＣＢＧと少なくとも１つの非空のＣＢＧを含む場合、前記少なくとも１つの空のＣＢＧ対してＮＡＣＫを生成しない、前記ＣＢＧグループは、１つより多いＣＢＧを含み、前記ＣＢＧグ
ループに対応するＣＢＧに対するＨＡＲＱ−ＡＣＫが１つのバンドルＨＡＲＱ−ＡＣＫに生成される。
【００１１】
（５）本発明の第５の態様は、端末装置であって、ＰＤＣＣＨ、および、ＰＤＣＣＨによってスケジュールされるＰＤＳＣＨにおいてトランスポートブロックを受信し、ＣＢＧの最大数Ｘ１を示すＲＲＣ情報を受信し、ＣＢＧの最大数Ｘ２を示すＲＲＣ情報を受信する受信部と、前記ＰＤＳＣＨに対応するＮＳＩＺＥビットのＨＡＲＱ−ＡＣＫを送信する送信部と、を備え、前記ＣＢＧの最大数Ｘ１は、１つのトランスポートブロックのみが受信された場合、トランスポートブロックに対してＣＢＧの最大数であり、前記ＣＢＧの最大数Ｘ２は、２つのトランスポートブロックが受信された場合、トランスポートブロックのそれぞれに対してＣＢＧの最大数であり、前記ＮＳＩＺＥは、Ｘ２の２倍とＸ１の内、大きい方の値で与えられる。
【００１２】
（６）本発明の第６の態様は、基地局装置であって、ＰＤＣＣＨ、および、ＰＤＣＣＨによってスケジュールされるＰＤＳＣＨにおいてトランスポートブロックを送信し、ＣＢＧの最大数Ｘ１を示すＲＲＣ情報を送信し、ＣＢＧの最大数Ｘ２を示すＲＲＣ情報を送信する送信部と、前記ＰＤＳＣＨに対応するＮＳＩＺＥビットのＨＡＲＱ−ＡＣＫを受信する受信部と、を備え、前記ＣＢＧの最大数Ｘ１は、１つのトランスポートブロックのみが送信された場合、トランスポートブロックに対してＣＢＧの最大数であり、前記ＣＢＧの最大数Ｘ２は、２つのトランスポートブロックが送信された場合、トランスポートブロックのそれぞれに対してＣＢＧの最大数であり、前記ＮＳＩＺＥは、Ｘ２の２倍とＸ１の内、大きい方の値で与えられる。
【００１３】
（７）本発明の第７の態様は、端末装置の通信方法であって、ＰＤＣＣＨ、および、ＰＤＣＣＨによってスケジュールされるＰＤＳＣＨにおけるトランスポートブロックを受信し、ＣＢＧの数Ｘを示すＲＲＣ情報を受信するステップと、ＰＵＣＣＨの送信のための送信電力を決定するステップと、前記トランスポートブロックに含まれる前記Ｘ個のＣＢＧのそれぞれに対応するＨＡＲＱ−ＡＣＫを前記ＰＵＣＣＨで送信するステップと、を備え、前記ＸはＲＲＣ情報より示され、トランスポートブロックあたりのＣＢＧの最大数であり、前記トランスポートブロックはＮＣＢ個のコードブロックに分割され、前記トランスポートブロックの初期送信において受信するコードブロックが対応するＣＢＧの数ＮＣＢＧ＿ｉｎｉは、前記Ｘと前記ＮＣＢの内、小さい方の値によって与えられ、前記トランスポートブロックの再送信において受信するコードブロックが対応するＣＢＧの数ＮＣＢＧ＿ｒｅは、前記ＰＤＣＣＨに含まれるＣＢＧの再送信情報を示すフィールドによって与えられ、前記トランスポートブロックの再送信に対するＨＡＲＱ−ＡＣＫを含むＰＵＣＣＨの送信のための送信電力は、トランスポートブロックの初期送信において受信するコードブロックが対応するＣＢＧの数ＮＣＢＧ＿ｉｎｉによって与えられる。
【００１４】
（８）本発明の第８の態様は、基地局装置の通信方法であって、ＰＤＣＣＨ、および、ＰＤＣＣＨによってスケジュールされるＰＤＳＣＨにおけるトランスポートブロックを送信し、ＣＢＧの数Ｘを示すＲＲＣ情報を送信するステップと、前記トランスポートブロックに含まれる前記Ｘ個のＣＢＧのそれぞれに対応するＨＡＲＱ−ＡＣＫを前記ＰＵＣＣＨで受信するステップと、を備え、前記ＸはＲＲＣ情報より示され、トランスポートブロックあたりのＣＢＧの最大数であり、前記トランスポートブロックはＮＣＢ個のコードブロックに分割され、前記トランスポートブロックの初期送信において受信するコードブロックが対応するＣＢＧの数ＮＣＢＧ＿ｉｎｉは、前記Ｘと前記ＮＣＢの内、小さい方の値によって与えられ、前記トランスポートブロックの再送信において受信するコードブロックが対応するＣＢＧの数ＮＣＢＧ＿ｒｅは、前記ＰＤＣＣＨに含まれるＣＢＧの再送信情報を示すフィールドによって与えられ、前記トランスポートブロックの再送信に対するＨＡＲＱ−ＡＣＫを含むＰＵＣＣＨの送信のための送信電力は、トランスポートブロックの初
期送信において受信するコードブロックが対応するＣＢＧの数ＮＣＢＧ＿ｉｎｉによって与えられる。
【００１５】
（９）本発明の第９の態様は、端末装置の通信方法であって、サービングセルにおいてＰＤＣＣＨ、および、ＰＤＣＣＨによってスケジュールされるＰＤＳＣＨにおける１つまたは複数のトランスポートブロックを受信し、トランスポートブロックあたりのＣＢＧの最大数Ｘを示すＲＲＣ情報を受信するステップと、前記ＰＤＳＣＨに対応するＨＡＲＱ−ＡＣＫを送信するステップと、を備え、前記トランスポートブロックは複数のコードブロックに分割され、ＣＢＧは、空のＣＢＧと非空のＣＢＧに分けられ、前記空のＣＢＧはコードブロックを含まないＣＢＧであり、前記非空のＣＢＧは少なくとも１つのコードブロックを含むＣＢＧであり、ＣＢＧグループが含むすべてのＣＢＧが空のＣＢＧの場合、空のＣＢＧのそれぞれに対して、ＮＡＣＫを生成し、前記ＣＢＧグループが少なくとも１つの空のＣＢＧと少なくとも１つの非空のＣＢＧを含む場合、前記少なくとも１つの空のＣＢＧ対してＮＡＣＫを生成しない、前記ＣＢＧグループは、１つより多いＣＢＧを含み、前記ＣＢＧグループに対応するＣＢＧに対するＨＡＲＱ−ＡＣＫが１つのバンドルＨＡＲＱ−ＡＣＫに生成される。
【００１６】
（１０）本発明の第１０の態様は、基地局装置の通信方法であって、サービングセルにおいてＰＤＣＣＨ、および、ＰＤＣＣＨによってスケジュールされるＰＤＳＣＨにおける１つまたは複数のトランスポートブロックを送信し、トランスポートブロックあたりのＣＢＧの最大数Ｘを示すＲＲＣ情報を送信するステップと、前記ＰＤＳＣＨに対応するＨＡＲＱ−ＡＣＫを受信するステップと、を備え、前記トランスポートブロックは複数のコードブロックに分割され、ＣＢＧは、空のＣＢＧと非空のＣＢＧに分けられ、前記空のＣＢＧはコードブロックを含まないＣＢＧであり、前記非空のＣＢＧは少なくとも１つのコードブロックを含むＣＢＧであり、ＣＢＧグループが含むすべてのＣＢＧが空のＣＢＧの場合、空のＣＢＧのそれぞれに対して、ＮＡＣＫを生成し、前記ＣＢＧグループが少なくとも１つの空のＣＢＧと少なくとも１つの非空のＣＢＧを含む場合、前記少なくとも１つの空のＣＢＧ対してＮＡＣＫを生成しない、前記ＣＢＧグループは、１つより多いＣＢＧを含み、前記ＣＢＧグループに対応するＣＢＧに対するＨＡＲＱ−ＡＣＫが１つのバンドルＨＡＲＱ−ＡＣＫに生成される。
【００１７】
（１１）本発明の第１１の態様は、端末装置の通信方法であって、ＰＤＣＣＨ、および、ＰＤＣＣＨによってスケジュールされるＰＤＳＣＨにおいてトランスポートブロックを受信し、ＣＢＧの最大数Ｘ１を示すＲＲＣ情報を受信し、ＣＢＧの最大数Ｘ２を示すＲＲＣ情報を受信するステップと、前記ＰＤＳＣＨに対応するＮＳＩＺＥビットのＨＡＲＱ−ＡＣＫを送信するステップと、を備え、前記ＣＢＧの最大数Ｘ１は、１つのトランスポートブロックのみが受信された場合、トランスポートブロックに対してＣＢＧの最大数であり、前記ＣＢＧの最大数Ｘ２は、２つのトランスポートブロックが受信された場合、トランスポートブロックのそれぞれに対してＣＢＧの最大数であり、前記ＮＳＩＺＥは、Ｘ２の２倍とＸ１の内、大きい方の値で与えられる。
【００１８】
（１２）本発明の第１２の態様は、基地局装置の通信方法であって、ＰＤＣＣＨ、および、ＰＤＣＣＨによってスケジュールされるＰＤＳＣＨにおいてトランスポートブロックを送信し、ＣＢＧの最大数Ｘ１を示すＲＲＣ情報を送信し、ＣＢＧの最大数Ｘ２を示すＲＲＣ情報を送信するステップと、前記ＰＤＳＣＨに対応するＮＳＩＺＥビットのＨＡＲＱ−ＡＣＫを受信するステップと、を備え、前記ＣＢＧの最大数Ｘ１は、１つのトランスポートブロックのみが送信された場合、トランスポートブロックに対してＣＢＧの最大数であり、前記ＣＢＧの最大数Ｘ２は、２つのトランスポートブロックが送信された場合、トランスポートブロックのそれぞれに対してＣＢＧの最大数であり、前記ＮＳＩＺＥは、Ｘ２の２倍とＸ１の内、大きい方の値で与えられる。
【発明の効果】
【００１９】
この発明によれば、端末装置は、効率的に上りリンクおよび／または下りリンク通信を行うことができる。また、基地局装置は、効率的に上りリンクおよび／または下りリンク通信を行うことができる。
【図面の簡単な説明】
【００２０】
【図１】本実施形態の無線通信システムの概念図である。
【図２】本実施形態の一態様に係る無線フレーム、サブフレーム、および、スロットの構成を示す一例である。
【図３】物理層の送信プロセス３０００の構成の一例を示した図である。
【図４】本実施形態の符号化処理部３００１の構成例を示した図である。
【図５】本実施形態の一態様に係る第１の系列ｂｋ０が複数の第１の系列グループｂｋｎ（図５中においては、ｎ＝１〜３）に分割される動作の一例を示す図である。
【図６】本実施形態の一態様に係る第１の系列ｂｋ０が複数の第１の系列グループｂｋｎ（図６中においては、ｎ＝１〜３）に分割される動作の一例を示す図である。
【図７】本実施形態の一態様に係るコードブロック分割部４０１１におけるコードブロック数を算出するための第１の手順の一例を示す図である。
【図８】本実施形態における下りリンク制御情報の一例を示す図である。
【図９】本実施形態の一態様に係るＣＢＧの構成例の一例を示した図である。
【図１０】本実施形態におけるＨＡＲＱ−ＡＣＫ（ｊ）とＣＢＧおよびトランスポートブロックの対応の一例を示す図である。
【図１１】本実施形態におけるＨＡＲＱ−ＡＣＫの送信の一例を示す図である。
【図１２】本実施形態におけるＨＡＲＱ−ＡＣＫ（ｊ）とＣＢＧおよびトランスポートブロックの対応の他の一例を示す図である。
【図１３】本実施形態におけるトランスポートブロックに対応するＨＡＲＱ−ＡＣＫを送信する一例を示す図である。
【図１４】本実施形態におけるＣＢＧごとに生成されるＨＡＲＱ−ＡＣＫをバイナリビットに符号化する一例を示す図である。
【図１５】本実施形態におけるＨＡＲＱ−ＡＣＫ（ｊ）とＣＢＧおよびトランスポートブロックの対応の他の一例を示す図である。
【図１６】本実施形態における空間的なＣＢＧ  ＨＡＲＱ−ＡＣＫバンドリングが適用されるサービングセルにおいてＨＡＲＱ−ＡＣＫビットを生成する一例を示す図である。
【図１７】本実施形態において１つのトランスポートブロックに対応するＣＢＧの間でＨＡＲＱ−ＡＣＫ  バンドリングが実行される一例を示す図である。
【図１８】本実施形態におけるトランスポートブロックの送信に対応するＨＡＲＱ−ＡＣＫの生成に関する一例を示す図である。
【図１９】本実施形態におけるサービングセルに対するＨＡＲＱ−ＡＣＫコードブックの決定の一例を示す図である。
【図２０】本実施形態における端末装置１の構成を示す概略ブロック図である。
【図２１】本実施形態における基地局装置３の構成を示す概略ブロック図である。
【発明を実施するための形態】
【００２１】
以下、本発明の実施形態について説明する。以下の説明に含まれる記載“与えられる”は、“決定される”、または、“設定される”のいずれに読み替えられてもよい。
【００２２】
図１は、本実施形態の無線通信システムの概念図である。図１において、無線通信システムは、端末装置１Ａ〜１Ｃ、および基地局装置３を具備する。以下、端末装置１Ａ〜１Ｃを端末装置１とも呼称する。
【００２３】
以下、キャリアアグリゲーションについて説明する。
【００２４】
本実施形態では、端末装置１は、１つまたは複数のサービングセルが設定される。端末装置１が複数のサービングセルを介して通信する技術をセルアグリゲーション、またはキャリアアグリゲーションと称する。複数のサービングセルは、１つのプライマリセルと、１つまたは複数のセカンダリセルを含んでもよい。プライマリセルは、初期コネクション確立（initial connection establishment）手順が行なわれたサービングセル、コネクション再確立（connection re-establishment）手順を開始したサービングセル、または、
ハンドオーバ手順においてプライマリセルと指示されたセルである。また、プライマリセルは、ＰＵＣＣＨでの送信に用いられるセルであってもよい。ＲＲＣ（Radio Resource Control）コネクションが確立された時点、または、後に、セカンダリセルが設定されてもよい。
【００２５】
下りリンクにおいて、サービングセルに対応するキャリアを下りリンクコンポーネントキャリアと称する。上りリンクにおいて、サービングセルに対応するキャリアを上りリンクコンポーネントキャリアと称する。下りリンクコンポーネントキャリア、および、上りリンクコンポーネントキャリアを総称して、コンポーネントキャリアと称する。
【００２６】
端末装置１は、複数のサービングセル（コンポーネントキャリア）において同時に複数の物理チャネルでの送信、および／または受信を行うことができる。１つの物理チャネルは、複数のサービングセル（コンポーネントキャリア）のうち１つのサービングセル（コンポーネントキャリア）において送信される。
【００２７】
ここで、基地局装置３は、上位層の信号（例えば、ＲＲＣシグナリング、ＲＲＣ情報）を用いて、１つまたは複数のサービングセルを設定してもよい。例えば、複数のサービングセルのセットをプライマリセルと共に形成するために、１つまたは複数のセカンダリセルが設定されてもよい。本実施形態において、明言しない限り、端末装置１には、キャリアアグリゲーションが適用される。端末装置１は、複数のサービングセルにおいて、チャネルの送受信を行う。
【００２８】
以下、本実施形態の無線フレーム（ｒａｄｉｏ  ｆｒａｍｅ）の構成の一例について説明する。
【００２９】
図２は、本実施形態の一態様に係る無線フレーム、サブフレーム、および、スロットの構成を示す一例である。図２に示す一例では、スロットの長さは０．５ｍｓであり、サブフレームの長さは１ｍｓであり、無線フレームの長さは１０ｍｓである。スロットは、時間領域におけるリソース割り当ての単位であってもよい。スロットは、１つのトランスポートブロックがマップされる単位であってもよい。トランスポートブロックは、１つのスロットにマップされてもよい。トランスポートブロックは、上位層（例えば、ＭＡＣ：Ｍｅｄｉａｍ  Ａｃｃｅｓｓ  Ｃｏｎｔｒｏｌ）で規定される所定の間隔（例えば、送信時間間隔（ＴＴＩ：Ｔｒａｎｓｍｉｓｓｉｏｎ  Ｔｉｍｅ  Ｉｎｔｅｒｖａｌ））内に送信されるデータの単位であってもよい。
【００３０】
スロットの長さは、ＯＦＤＭシンボルの数によって与えられてもよい。例えば、ＯＦＤＭシンボルの数は、７、または、１４であってもよい。スロットの長さは、少なくともＯＦＤＭシンボルの長さに基づき与えられてもよい。ＯＦＤＭシンボルの長さは、第２のサブキャリア間隔に少なくとも基づき与えられてもよい。ＯＦＤＭシンボルの長さは、ＯＦＤＭシンボルの生成に用いられる高速フーリエ変換（ＦＦＴ：Ｆａｓｔ  Ｆｏｕｒｉｅｒ
Ｔｒａｎｓｆｏｒｍ）のポイント数に少なくとも基づき与えられてもよい。ＯＦＤＭシ
ンボルの長さは、該ＯＦＤＭシンボルに付加されるサイクリックプレフィックス（ＣＰ：Ｃｙｃｌｉｃ  Ｐｒｅｆｉｘ）の長さを含んでもよい。ここで、ＯＦＤＭシンボルは、シンボルと呼称されてもよい。また、端末装置１と基地局装置３の間の通信において、ＯＦＤＭ以外の通信方式が使用される場合（例えば、ＳＣ−ＦＤＭＡやＤＦＴ−ｓ−ＯＦＤＭが使用される場合等）、生成されるＳＣ−ＦＤＭＡシンボル、および／または、ＤＦＴ−ｓ−ＯＦＤＭシンボルはＯＦＤＭシンボルとも呼称される。つまり、ＯＦＤＭシンボルは、ＤＦＴ−ｓ−ＯＦＤＭシンボル、および／または、ＳＣ−ＦＤＭＡシンボルを含んでもよい。例えば、スロットの長さは、０．２５ｍｓ、０．５ｍｓ、１ｍｓ、２ｍｓ、３ｍｓであってもよい。ＯＦＤＭはＳＣ−ＦＤＭＡ、または、ＤＦＴ−ｓ−ＯＦＤＭを含んでもよい。
【００３１】
ＯＦＤＭは、波形整形（Ｐｕｌｓｅ  Ｓｈａｐｅ）、ＰＡＰＲ低減、帯域外輻射低減、または、フィルタリング、および／または、位相処理（例えば、位相回転等）が適用されたマルチキャリアの通信方式を含む。マルチキャリアの通信方式は、複数のサブキャリアが多重された信号を生成／送信する通信方式であってもよい。
【００３２】
サブフレームの長さは、１ｍｓであってもよい。サブフレームの長さは、第１のサブキャリア間隔に基づき与えられてもよい。例えば、第１のサブキャリア間隔が１５ｋＨｚである場合、サブフレームの長さは１ｍｓであってもよい。サブフレームは、１、または、複数のスロットを含んで構成されてもよい。例えば、サブフレームは２つのスロットを含んで構成されてもよい。
【００３３】
無線フレームは、複数のサブフレームを含んで構成されてもよい。無線フレームのためのサブフレームの数は、例えば、１０であってもよい。無線フレームは、複数のスロットを含んで構成されてもよい。無線フレームのためのスロットの数は、例えば、１０であってもよい。
【００３４】
以下、本実施形態の種々の態様に係る物理チャネルおよび物理シグナルを説明する。端末装置は、物理チャネル、および／または、物理シグナルを送信してもよい。基地局装置は、物理チャネル、および／または、物理シグナルを送信してもよい。
【００３５】
下りリンク物理チャネルおよび下りリンク物理シグナルは、下りリンク信号とも呼称される。上りリンク物理チャネルおよび上りリンク物理シグナルは、上りリンク信号とも呼称される。下りリンク物理チャネルおよび上りリンク物理チャネルは、物理チャネルとも呼称される。下りリンク物理シグナルおよび上りリンク物理シグナルは、物理シグナルとも呼称される。
【００３６】
端末装置１から基地局装置３への上りリンクの無線通信では、以下の上りリンク物理チャネルが少なくとも用いられてもよい。上りリンク物理チャネルは、上位層から出力された情報を送信するために、物理層によって使用されてもよい。
・ＰＵＣＣＨ（Ｐｈｙｓｉｃａｌ  Ｕｐｌｉｎｋ  Ｃｏｎｔｒｏｌ  Ｃｈａｎｎｅｌ）
・ＰＵＳＣＨ（Ｐｈｙｓｉｃａｌ  Ｕｐｌｉｎｋ  Ｓｈａｒｅｄ  Ｃｈａｎｎｅｌ）
・ＰＲＡＣＨ（Ｐｈｙｓｉｃａｌ  Ｒａｎｄｏｍ  Ａｃｃｅｓｓ  Ｃｈａｎｎｅｌ）
【００３７】
ＰＵＣＣＨは、上りリンク制御情報（ＵＣＩ：Ｕｐｌｉｎｋ  Ｃｏｎｔｒｏｌ  Ｉｎｆｏｒｍａｔｉｏｎ）を送信するために用いられる。上りリンク制御情報は、下りリンクチャネルのチャネル状態情報（ＣＳＩ：Ｃｈａｎｎｅｌ  Ｓｔａｔｅ  Ｉｎｆｏｒｍａｔｉｏｎ）、初期送信のためのＰＵＳＣＨ（ＵＬ−ＳＣＨ：Ｕｐｌｉｎｋ−Ｓｈａｒｅｄ  Ｃｈａｎｎｅｌ）リソースを要求するために用いられるスケジューリングリクエスト（ＳＲ：Ｓｃｈｅｄｕｌｉｎｇ  Ｒｅｑｕｅｓｔ）、下りリンクデータ（ＴＢ：Ｔｒａｎｓｐｏ
ｒｔ  ｂｌｏｃｋ、ＭＡＣ  ＰＤＵ：Ｍｅｄｉｕｍ  Ａｃｃｅｓｓ  Ｃｏｎｔｒｏｌ  Ｐｒｏｔｏｃｏｌ  Ｄａｔａ  Ｕｎｉｔ、ＤＬ−ＳＣＨ：Ｄｏｗｎｌｉｎｋ−Ｓｈａｒｅｄ
Ｃｈａｎｎｅｌ、ＰＤＳＣＨ：Ｐｈｙｓｉｃａｌ  Ｄｏｗｎｌｉｎｋ  Ｓｈａｒｅｄ  Ｃｈａｎｎｅｌ、ＣＢ：ｃｏｄｅ  ｂｌｏｃｋ、ＣＢＧ：ｃｏｄｅ  ｂｌｏｃｋ  Ｇｒｏｕｐ）に対するＨＡＲＱ−ＡＣＫ（Ｈｙｂｒｉｄ  Ａｕｔｏｍａｔｉｃ  Ｒｅｐｅａｔ  ｒｅｑｕｅｓｔ  ＡＣＫｎｏｗｌｅｄｇｅｍｅｎｔ）を含む。ＨＡＲＱ−ＡＣＫは、ＡＣＫ（ａｃｋｎｏｗｌｅｄｇｅｍｅｎｔ）またはＮＡＣＫ（ｎｅｇａｔｉｖｅ−ａｃｋｎｏｗｌｅｄｇｅｍｅｎｔ）を示す。
【００３８】
ＨＡＲＱ−ＡＣＫを、ＡＣＫ／ＮＡＣＫ、ＨＡＲＱフィードバック、ＨＡＲＱ−ＡＣＫフィードバック、ＨＡＲＱ応答、ＨＡＲＱ−ＡＣＫ応答、ＨＡＲＱ情報、ＨＡＲＱ−ＡＣＫ情報、ＨＡＲＱ制御情報、および、ＨＡＲＱ−ＡＣＫ制御情報とも称する。下りリンクデータが成功裏に復号された場合、該下りリンクデータに対するＡＣＫが生成される。下りリンクデータが成功裏に復号されなかった場合、該下りリンクデータに対するＮＡＣＫが生成される。ＤＴＸ（discontinuous transmission）は、下りリンクデータを検出しなかったことを意味してもよい。ＤＴＸ（discontinuous transmission）は、ＨＡＲＱ−ＡＣＫ応答を送信するべきデータを検出しなかったことを意味してもよい。ＨＡＲＱ−ＡＣＫは、ＣＢＧ（Ｃｏｄｅ  Ｂｌｏｃｋ  Ｇｒｏｕｐ、符号ブロックのグループ）のためのＨＡＲＱ−ＡＣＫを含んでもよい。トランスポートブロックに含まれるＣＢＧの一部または全部のためのＨＡＲＱ−ＡＣＫがＰＵＣＣＨ、または、ＰＵＳＣＨにおいて送信されてもよい。ＣＢＧについて、後述する。
【００３９】
チャネル状態情報（ＣＳＩ：Ｃｈａｎｎｅｌ  Ｓｔａｔｅ  Ｉｎｆｏｒｍａｔｉｏｎ）は、チャネル品質指標（ＣＱＩ：Ｃｈａｎｎｅｌ  Ｑｕａｌｉｔｙ  Ｉｎｄｉｃａｔｏｒ）とランク指標（ＲＩ：Ｒａｎｋ  Ｉｎｄｉｃａｔｏｒ）を含んでもよい。チャネル品質指標は、プレコーダ行列指標（ＰＭＩ：Ｐｒｅｃｏｄｅｒ  Ｍａｔｒｉｘ  Ｉｎｄｉｃａｔｏｒ）を含んでもよい。チャネル状態情報はプレコーダ行列指標を含んでもよい。ＣＱＩは、チャネル品質（伝搬強度）に関連する指標であり、ＰＭＩは、プレコーダを指示する指標である。ＲＩは、送信ランク（または、送信レイヤ数）を指示する指標である。本実施形態において、端末装置１は、プライマリセルにおいてＰＵＣＣＨの送信を行ってもよい。
【００４０】
スケジューリングリクエストは、正のスケジューリングリクエスト（positive scheduling request）、または、負のスケジューリングリクエスト（negative scheduling request）を含む。正のスケジューリングリクエストは、初期送信のためのＵＬ−ＳＣＨリソースを要求することを示す。負のスケジューリングリクエストは、初期送信のためのＵＬ−ＳＣＨリソースを要求しないことを示す。端末装置１は、正のスケジューリングリクエストを送信するかどうかを決定してもよい。スケジューリングリクエストが負のスケジューリングリクエストであることは、端末装置１が正のスケジューリングリクエストを送信しないと決定したことを意味してもよい。なお、スケジューリングリクエストの情報は、あるスケジューリングリクエストコンフィギュレーションに対して該スケジューリングリクエストが正のスケジューリングリクエストであるか、または、負のスケジューリングリクエストであるかを示す情報である。
【００４１】
ＰＵＳＣＨは、上りリンクデータ（ＴＢ、ＭＡＣ  ＰＤＵ、ＵＬ−ＳＣＨ、ＰＵＳＣＨ、ＣＢ、ＣＢＧ）を送信するために用いられる。ＰＵＳＣＨは、上りリンクデータと共にＨＡＲＱ−ＡＣＫおよび／またはチャネル状態情報を送信するために用いられてもよい。ＰＵＳＣＨはチャネル状態情報のみ、または、ＨＡＲＱ−ＡＣＫおよびチャネル状態情報のみを送信するために用いられてもよい。ＰＵＳＣＨは、ランダムアクセスメッセージ３を送信するために用いられる。
【００４２】
ＰＲＡＣＨは、ランダムアクセスプリアンブル（ランダムアクセスメッセージ１）を送信するために用いられる。ＰＲＡＣＨは、初期コネクション確立（ｉｎｉｔｉａｌ  ｃｏｎｎｅｃｔｉｏｎ  ｅｓｔａｂｌｉｓｈｍｅｎｔ）プロシージャ、ハンドオーバプロシージャ、コネクション再確立（ｃｏｎｎｅｃｔｉｏｎ  ｒｅ−ｅｓｔａｂｌｉｓｈｍｅｎｔ）プロシージャ、上りリンクデータの送信に対する同期（タイミング調整）、およびＰＵＳＣＨ（ＵＬ−ＳＣＨ）リソースの要求の少なくとも一部を示すために用いられてもよい。
【００４３】
端末装置１から基地局装置３への上りリンクの無線通信では、以下の上りリンク物理シグナルが用いられてもよい。上りリンク物理シグナルは、上位層から出力された情報を送信するために使用されなくてもよいが、物理層によって使用される。
・上りリンク参照信号（ＵＬ  ＲＳ：Ｕｐｌｉｎｋ  Ｒｅｆｅｒｅｎｃｅ  Ｓｉｇｎａｌ）
【００４４】
本実施形態において、少なくとも以下の２つのタイプの上りリンク参照信号が少なくとも用いられてもよい。
・ＤＭＲＳ（Ｄｅｍｏｄｕｌａｔｉｏｎ  Ｒｅｆｅｒｅｎｃｅ  Ｓｉｇｎａｌ）
・ＳＲＳ（Ｓｏｕｎｄｉｎｇ  Ｒｅｆｅｒｅｎｃｅ  Ｓｉｇｎａｌ）
【００４５】
ＤＭＲＳは、ＰＵＳＣＨ、および／または、ＰＵＣＣＨの送信に関連する。ＤＭＲＳは、ＰＵＳＣＨまたはＰＵＣＣＨと多重されてもよい。基地局装置３は、ＰＵＳＣＨまたはＰＵＣＣＨの伝搬路補正を行なうためにＤＭＲＳを使用する。以下、ＰＵＳＣＨとＤＭＲＳを共に送信することを、単にＰＵＳＣＨを送信すると称する。該ＤＭＲＳは該ＰＵＳＣＨに対応してもよい。以下、ＰＵＣＣＨとＤＭＲＳを共に送信することを、単にＰＵＣＣＨを送信すると称する。該ＤＭＲＳは該ＰＵＣＣＨに対応してもよい。
【００４６】
ＳＲＳは、ＰＵＳＣＨ、および／または、ＰＵＣＣＨの送信に関連しなくてもよい。ＳＲＳは、ＰＵＳＣＨ、および／または、ＰＵＣＣＨの送信に関連してもよい。基地局装置３は、チャネル状態の測定のためにＳＲＳを用いてもよい。ＳＲＳは、上りリンクスロットにおけるサブフレームの最後、または、最後から所定数のＯＦＤＭシンボルにおいて送信されてもよい。
【００４７】
基地局装置３から端末装置１への下りリンクの無線通信では、以下の下りリンク物理チャネルが用いられてもよい。下りリンク物理チャネルは、上位層から出力された情報を送信するために、物理層によって使用されてもよい。
・ＰＢＣＨ（Ｐｈｙｓｉｃａｌ  Ｂｒｏａｄｃａｓｔ  Ｃｈａｎｎｅｌ）
・ＰＤＳＣＨ（Ｐｈｙｓｉｃａｌ  Ｄｏｗｎｌｉｎｋ  Ｓｈａｒｅｄ  Ｃｈａｎｎｅｌ）・ＰＤＣＣＨ（Ｐｈｙｓｉｃａｌ  Ｄｏｗｎｌｉｎｋ  Ｃｏｎｔｒｏｌ  Ｃｈａｎｎｅｌ）
【００４８】
ＰＢＣＨは、端末装置１において共通に用いられるマスターインフォメーションブロック（ＭＩＢ：Ｍａｓｔｅｒ  Ｉｎｆｏｒｍａｔｉｏｎ  Ｂｌｏｃｋ、ＢＣＨ、Ｂｒｏａｄｃａｓｔ  Ｃｈａｎｎｅｌ）を報知するために用いられる。ＰＢＣＨは、所定の送信間隔に基づき送信されてもよい。例えば、ＰＢＣＨは、８０ｍｓの間隔で送信されてもよい。ＰＢＣＨに含まれる情報の少なくとも一部は、８０ｍｓごとに更新されてもよい。ＰＢＣＨは、２８８サブキャリアにより構成されてもよい。ＰＢＣＨは、２、３、または、４ＯＦＤＭシンボルを含んで構成されてもよい。ＭＩＢは、同期信号の識別子（インデックス）に関連する情報を含んでもよい。ＭＩＢは、ＰＢＣＨが送信されるスロットの番号、サブフレームの番号、および、無線フレームの番号の少なくとも一部を指示する情報を含ん
でもよい。第１の設定情報はＭＩＢに含まれてもよい。該第１の設定情報は、ランダムアクセスメッセージ２、ランダムアクセスメッセージ３、ランダムアクセスメッセージ４の一部または全部に少なくとも用いられる設定情報であってもよい。
【００４９】
ＰＤＳＣＨは、下りリンクデータ（ＴＢ、ＭＡＣ  ＰＤＵ、ＤＬ−ＳＣＨ、ＰＤＳＣＨ、ＣＢ、ＣＢＧ）を送信するために用いられる。ＰＤＳＣＨは、ランダムアクセスメッセージ２（ランダムアクセスレスポンス）を送信するために少なくとも用いられる。ＰＤＳＣＨは、初期アクセスのために用いられるパラメータを含むシステム情報を送信するために少なくとも用いられる。
【００５０】
ＰＤＣＣＨは、下りリンク制御情報（ＤＣＩ：Ｄｏｗｎｌｉｎｋ  Ｃｏｎｔｒｏｌ  Ｉｎｆｏｒｍａｔｉｏｎ）を送信するために用いられる。下りリンク制御情報は、ＤＣＩフォーマットとも呼称される。下りリンク制御情報は、下りリンクグラント（ｄｏｗｎｌｉｎｋ  ｇｒａｎｔ）または上りリンクグラント（ｕｐｌｉｎｋ  ｇｒａｎｔ）のいずれかを少なくとも含んでもよい。下りリンクグラントは、下りリンクアサインメント（ｄｏｗｎｌｉｎｋ  ａｓｓｉｇｎｍｅｎｔ）または下りリンク割り当て（ｄｏｗｎｌｉｎｋ  ａｌｌｏｃａｔｉｏｎ）とも呼称される。上りリンクグラントと下りリンクグラントは、まとめてグラントとも呼称される。
【００５１】
１つの下りリンクグラントは、１つのサービングセル内の１つのＰＤＳＣＨのスケジューリングのために少なくとも用いられる。下りリンクグラントは、該下りリンクグラントが送信されたスロットと同じスロット内のＰＤＳＣＨのスケジューリングのために少なくとも用いられてもよい。
【００５２】
１つの上りリンクグラントは、１つのサービングセル内の１つのＰＵＳＣＨのスケジューリングのために少なくとも用いられてもよい。
【００５３】
例えば、下りリンク制御情報は、新データ指標（ＮＤＩ：Ｎｅｗ  Ｄａｔａ  Ｉｎｄｉｃａｔｏｒ）を含んでもよい。新データ指標は、該新データ指標に対応するトランスポートブロックが初期送信であるか否かを少なくとも示すために用いられてもよい。新データ指標は、所定のＨＡＲＱプロセス番号に対応し、直前に送信されたトランスポートブロックと、該ＨＡＲＱプロセス番号に対応し、該新データ指標を含む下りリンク制御情報によりスケジューリングされるＰＤＳＣＨ、および／または、ＰＵＳＣＨに含まれるトランスポートブロックが同一であるか否かを示す情報であってもよい。ＨＡＲＱプロセス番号は、ＨＡＲＱプロセスの識別に用いられる番号である。ＨＡＲＱプロセス番号は下りリンク制御情報に含まれてもよい。ＨＡＲＱプロセスは、ＨＡＲＱの管理を行うプロセスである。新データ指標は、所定のＨＡＲＱプロセス番号に対応し、該新データ指標を含む下りリンク制御情報によりスケジューリングされたＰＤＳＣＨ、および／または、ＰＵＳＣＨに含まれるトランスポートブロックの送信が、該所定のＨＡＲＱプロセス番号に対応し、直前に送信されたＰＤＳＣＨ、および／または、ＰＵＳＣＨに含まれるトランスポートブロックの再送であるか否かを示してもよい。該下りリンク制御情報によりスケジューリングされた該ＰＤＳＣＨ、および／または、該ＰＵＳＣＨに含まれる該トランスポートブロックの送信が、該直前に送信されたトランスポートブロックの再送であるか否かは、該新データ指標が該直前に送信されたトランスポートブロックに対応する新データ指標に対して切り替わっている（または、トグルしている）か否かに基づき与えられてもよい。
【００５４】
つまり、新データ指標は、初期送信、または、再送信を指示する。端末装置１のＨＡＲＱエンティティは、あるＨＡＲＱプロセスに対して、ＨＡＲＱ情報によって提供される新データ指標が、該あるＨＡＲＱプロセスの前の送信に対する新データ指標の値と比較してトグルされている場合、該ＨＡＲＱプロセスに初期送信をトリガするよう指示する。ＨＡ
ＲＱエンティティは、あるＨＡＲＱプロセスに対して、ＨＡＲＱ情報によって提供される新データ指標が、該あるＨＡＲＱプロセスの前の送信に対する新データ指標の値と比較してトグルされていない場合、該ＨＡＲＱプロセスに再送信をトリガするよう指示する。尚、ＨＡＲＱプロセスが、新データ指標がトグルされているかどうかを判定してもよい。
【００５５】
下りリンクの無線通信では、以下の下りリンク物理シグナルが用いられてもよい。下りリンク物理シグナルは、上位層から出力された情報を送信するために使用されなくてもよいが、物理層によって使用されてもよい。
・同期信号（ＳＳ：Ｓｙｎｃｈｒｏｎｉｚａｔｉｏｎ  ｓｉｇｎａｌ）
・下りリンク参照信号（ＤＬ  ＲＳ：Ｄｏｗｎｌｉｎｋ  Ｒｅｆｅｒｅｎｃｅ  Ｓｉｇｎａｌ）
【００５６】
同期信号は、端末装置１が下りリンクの周波数領域および時間領域の同期をとるために用いられる。同期信号は、ＰＳＳ（Ｐｒｉｍａｒｙ  Ｓｙｎｃｈｒｏｎｉｚａｔｉｏｎ  Ｓｉｇｎａｌ）、および、ＳＳＳ（Ｓｅｃｏｎｄ  Ｓｙｎｃｈｒｏｎｉｚａｔｉｏｎ  Ｓｉｇｎａｌ）を少なくとも含む。
【００５７】
同期信号は、ターゲットセルのＩＤ（セルＩＤ）を含んで送信されてもよい。同期信号は、セルＩＤに少なくとも基づき生成される系列を含んで送信されてもよい。同期信号がセルＩＤを含むことは、セルＩＤに基づき同期信号の系列が与えられることであってもよい。同期信号は、ビーム（または、プレコーダ）が適用され、送信されてもよい。
【００５８】
ビームは、方向に応じてアンテナ利得が異なる現象を示す。ビームは、アンテナの指向性に少なくとも基づき与えられてもよい。また、ビームは、搬送波信号の位相変換に少なくとも基づき与えられてもよい。また、ビームは、プレコーダが適用されることにより与えられてもよい。
【００５９】
下りリンク参照信号は、端末装置１が下りリンク物理チャネルの伝搬路補正を行なうために少なくとも用いられる。下りリンク参照信号は、端末装置１が下りリンクのチャネル状態情報を算出するために少なくとも用いられる。
【００６０】
本実施形態において、以下の２つのタイプの下りリンク参照信号が用いられる。
・ＤＭＲＳ（ＤｅＭｏｄｕｌａｔｉｏｎ  Ｒｅｆｅｒｅｎｃｅ  Ｓｉｇｎａｌ）
・Ｓｈａｒｅｄ  ＲＳ（Ｓｈａｒｅｄ  Ｒｅｆｅｒｅｎｃｅ  Ｓｉｇｎａｌ）
【００６１】
ＤＭＲＳは、ＰＤＣＣＨ、および／または、ＰＤＳＣＨの送信に対応する。ＤＭＲＳは、ＰＤＣＣＨまたはＰＤＳＣＨに多重される。端末装置１は、ＰＤＣＣＨまたはＰＤＳＣＨの伝搬路補正を行なうために該ＰＤＣＣＨまたは該ＰＤＳＣＨと対応するＤＭＲＳを使用してもよい。以下、ＰＤＣＣＨと該ＰＤＣＣＨと対応するＤＭＲＳが共に送信されることは、単にＰＤＣＣＨが送信されると呼称される。以下、ＰＤＳＣＨと該ＰＤＳＣＨと対応するＤＭＲＳが共に送信されることは、単にＰＤＳＣＨが送信されると呼称される。
【００６２】
Ｓｈａｒｅｄ  ＲＳは、少なくともＰＤＣＣＨの送信に対応してもよい。Ｓｈａｒｅｄ
ＲＳは、ＰＤＣＣＨに多重されてもよい。端末装置１は、ＰＤＣＣＨの伝搬路補正を行うためにＳｈａｒｅｄ  ＲＳを使用してもよい。以下、ＰＤＣＣＨとＳｈａｒｅｄ  ＲＳが共に送信されることは、単にＰＤＣＣＨが送信されるとも呼称される。
【００６３】
ＤＭＲＳは、端末装置１に個別に設定されるＲＳであってもよい。ＤＭＲＳの系列は、端末装置１に個別に設定されるパラメータに少なくとも基づいて与えられてもよい。ＤＭＲＳは、ＰＤＣＣＨ、および／または、ＰＤＳＣＨのために個別に送信されてもよい。一
方、Ｓｈａｒｅｄ  ＲＳは、複数の端末装置１に共通に設定されるＲＳであってもよい。Ｓｈａｒｅｄ  ＲＳの系列は、端末装置１に個別に設定されるパラメータとは関係なく与えられてもよい。例えば、Ｓｈａｒｅｄ  ＲＳの系列は、スロットの番号、ミニスロットの番号、および、セルＩＤ（ｉｄｅｎｔｉｔｙ）の少なくとも一部に基づいて与えられてもよい。Ｓｈａｒｅｄ  ＲＳは、ＰＤＣＣＨ、および／または、ＰＤＳＣＨが送信されているか否かに関わらず送信されるＲＳであってもよい。
【００６４】
上述したＢＣＨ、ＵＬ−ＳＣＨおよびＤＬ−ＳＣＨは、トランスポートチャネルである。媒体アクセス制御（ＭＡＣ：Ｍｅｄｉｕｍ  Ａｃｃｅｓｓ  Ｃｏｎｔｒｏｌ）層で用いられるチャネルはトランスポートチャネルと呼称される。ＭＡＣ層で用いられるトランスポートチャネルの単位は、トランスポートブロックまたはＭＡＣ  ＰＤＵとも呼称される。ＭＡＣ層においてトランスポートブロック毎にＨＡＲＱ（Ｈｙｂｒｉｄ  Ａｕｔｏｍａｔｉｃ  Ｒｅｐｅａｔ  ｒｅＱｕｅｓｔ）の制御が行なわれる。トランスポートブロックは、ＭＡＣ層が物理層に渡す（ｄｅｌｉｖｅｒ）データの単位である。物理層において、トランスポートブロックはコードワードにマップされ、コードワード毎に変調処理が行なわれる。
【００６５】
基地局装置３と端末装置１は、上位層（ｈｉｇｈｅｒ  ｌａｙｅｒ）において信号をやり取り（送受信）してもよい。例えば、基地局装置３と端末装置１は、無線リソース制御（ＲＲＣ：  Ｒａｄｉｏ  Ｒｅｓｏｕｒｃｅ  Ｃｏｎｔｒｏｌ）層において、ＲＲＣシグナリング（ＲＲＣ  ｍｅｓｓａｇｅ：  Ｒａｄｉｏ  Ｒｅｓｏｕｒｃｅ  Ｃｏｎｔｒｏｌ
ｍｅｓｓａｇｅ、ＲＲＣ  ｉｎｆｏｒｍａｔｉｏｎ：  Ｒａｄｉｏ  Ｒｅｓｏｕｒｃｅ
Ｃｏｎｔｒｏｌ  ｉｎｆｏｒｍａｔｉｏｎとも称される）を送受信してもよい。また、基地局装置３と端末装置１は、ＭＡＣ層において、ＭＡＣ  ＣＥ（Ｃｏｎｔｒｏｌ  Ｅｌｅｍｅｎｔ）を送受信してもよい。ここで、ＲＲＣシグナリング、および／または、ＭＡＣ  ＣＥを、上位層の信号（ｈｉｇｈｅｒ  ｌａｙｅｒ  ｓｉｇｎａｌｉｎｇ）とも称する。
【００６６】
ＰＵＳＣＨおよびＰＤＳＣＨは、ＲＲＣシグナリング、および、ＭＡＣ  ＣＥを送信するために少なくとも用いられる。ここで、基地局装置３よりＰＤＳＣＨで送信されるＲＲＣシグナリングは、セル内における複数の端末装置１に対して共通のＲＲＣシグナリングであってもよい。セル内における複数の端末装置１に対して共通のＲＲＣシグナリングは、共通ＲＲＣシグナリングとも呼称される。基地局装置３からＰＤＳＣＨで送信されるＲＲＣシグナリングは、ある端末装置１に対して専用のＲＲＣシグナリング（ｄｅｄｉｃａｔｅｄ  ｓｉｇｎａｌｉｎｇまたはＵＥ  ｓｐｅｃｉｆｉｃ  ｓｉｇｎａｌｉｎｇとも呼称される）であってもよい。端末装置１に対して専用のＲＲＣシグナリングは、専用ＲＲＣシグナリングとも呼称される。セルスペシフィックパラメータは、セル内における複数の端末装置１に対して共通のＲＲＣシグナリング、または、ある端末装置１に対して専用のＲＲＣシグナリングを用いて送信されてもよい。ＵＥスペシフィックパラメータは、ある端末装置１に対して専用のＲＲＣシグナリングを用いて送信されてもよい。
【００６７】
ＢＣＣＨ（Ｂｒｏａｄｃａｓｔ  Ｃｏｎｔｒｏｌ  ＣＨａｎｎｅｌ）、ＣＣＣＨ（Ｃｏｍｍｏｎ  Ｃｏｎｔｒｏｌ  ＣＨａｎｎｅｌ）、および、ＤＣＣＨ（Ｄｅｄｉｃａｔｅｄ
Ｃｏｎｔｒｏｌ  ＣＨａｎｅｅｌ）は、ロジカルチャネルである。例えば、ＢＣＣＨは、ＭＩＢを送信するために用いられる上位層のチャネルである。また、ＢＣＣＨは、システム情報を送信するために用いられる上位層のチャネルである。なお、システム情報には、ＳＩＢ１（Ｓｙｓｔｅｍ  Ｉｎｆｏｒｍａｔｉｏｎ  Ｂｌｏｃｋ  ｔｙｐｅ１）が含まれてもよい。また、システム情報には、ＳＩＢ２（Ｓｙｓｔｅｍ  Ｉｎｆｏｒｍａｔｉｏｎ  Ｂｌｏｃｋ  ｔｙｐｅ２）を含むＳＩ（Ｓｙｓｔｅｍ  Ｉｎｆｏｒｍａｔｉｏｎ）メッセージが含まれてもよい。また、ＣＣＣＨ（Ｃｏｍｍｏｎ  Ｃｏｎｔｒｏｌ  Ｃｈａｎ
ｎｅｌ）は、複数の端末装置１において共通な情報を送信するために用いられる上位層のチャネルである。ここで、ＣＣＣＨは、例えば、ＲＲＣ接続されていない端末装置１のために用いられる。また、ＤＣＣＨ（Ｄｅｄｉｃａｔｅｄ  Ｃｏｎｔｒｏｌ  Ｃｈａｎｎｅｌ）は、端末装置１に個別の制御情報（ｄｅｄｉｃａｔｅｄ  ｃｏｎｔｒｏｌ  ｉｎｆｏｒｍａｔｉｏｎ）を送信するために用いられる上位層のチャネルである。ここで、ＤＣＣＨは、例えば、ＲＲＣ接続されている端末装置１のために用いられる。
【００６８】
ロジカルチャネルにおけるＢＣＣＨは、トランスポートチャネルにおいてＢＣＨ、ＤＬ−ＳＣＨ、または、ＵＬ−ＳＣＨにマップされてもよい。ロジカルチャネルにおけるＣＣＣＨは、トランスポートチャネルにおいてＤＬ−ＳＣＨまたはＵＬ−ＳＣＨにマップされてもよい。ロジカルチャネルにおけるＤＣＣＨは、トランスポートチャネルにおいてＤＬ−ＳＣＨまたはＵＬ−ＳＣＨにマップされてもよい。
【００６９】
トランスポートチャネルにおけるＵＬ−ＳＣＨは、物理チャネルにおいてＰＵＳＣＨにマップされる。トランスポートチャネルにおけるＤＬ−ＳＣＨは、物理チャネルにおいてＰＤＳＣＨにマップされる。トランスポートチャネルにおけるＢＣＨは、物理チャネルにおいてＰＢＣＨにマップされる。
【００７０】
以下、基地局装置３、および／または、端末装置１が備える送信プロセス３０００の説明を行う。
【００７１】
図３は、物理層の送信プロセス３０００の構成の一例を示した図である。送信プロセス（Ｔｒａｎｓｍｉｓｓｉｏｎ  ｐｒｏｃｅｓｓ）３０００は、符号化処理部（ｃｏｄｉｎｇ）３００１、スクランブル処理部（Ｓｃｒａｍｂｌｉｎｇ）３００２、変調マップ処理部（Ｍｏｄｕｌａｔｉｏｎ  ｍａｐｐｅｒ）３００３、レイヤマップ処理部（Ｌａｙｅｒ
ｍａｐｐｅｒ）３００４、送信プレコード処理部（Ｔｒａｎｓｆｏｒｍ  ｐｒｅｃｏｄｅｒ）３００５、プレコード処理部（Ｐｒｅｃｏｄｅｒ）３００６、リソースエレメントマップ処理部（Ｒｅｓｏｕｒｃｅ  ｅｌｅｍｅｎｔ  ｍａｐｐｅｒ）３００７、ベースバンド信号生成処理部（ＯＦＤＭ  ｂａｓｅｂａｎｄ  ｓｉｇｎａｌ  ｇｅｎｅｒａｔｉｏｎ）３００８、の一部または全部を少なくとも含んで構成される。
【００７２】
符号化処理部３００１は、誤り訂正符号化処理により、上位層より送られる（または、通知される、送達される、送信される、渡される等）トランスポートブロック（または、データブロック、トランスポートデータ、送信データ、送信符号、送信ブロック、ペイロード、情報、情報ブロック等）を符号化ビット（ｃｏｄｅｄ  ｂｉｔ）に変換する機能を備えてもよい。誤り訂正符号化は、ターボ（Ｔｕｒｂｏ）符号、ＬＤＰＣ（Ｌｏｗ  Ｄｅｎｓｉｔｙ  Ｐａｒｉｔｙ  Ｃｈｅｃｋ）符号、畳み込み符号（ｃｏｎｖｏｌｕｔｉｏｎａｌ  ｃｏｄｅまたはＴａｉｌ  ｂｉｔｉｎｇ  ｃｏｎｖｏｌｕｔｉｏｎａｌ  ｃｏｄｅ等）、繰り返し符号の一部または全部を少なくとも含む。符号化処理部３００１は、符号化ビットをスクランブル処理部３００２に送る機能を備える。符号化処理部３００１の動作の詳細は後述される。
【００７３】
スクランブル処理部３００２は、スクランブル処理により、符号化ビットをスクランブルビット（ｓｃｒａｍｂｌｅ  ｂｉｔ）に変換する機能を備えてもよい。スクランブルされたビットは、符号化ビットとスクランブル系列に、２を法とする和をとることにより得られてもよい。つまり、スクランブルは、符号化ビットとスクランブル系列に２を法とする和をとることであってもよい。スクランブル系列は、固有な系列（例えばＣ−ＲＮＴＩ）に基づき、擬似ランダム関数により生成される系列であってもよい。
【００７４】
変調マップ処理部３００３は、変調マップ処理によりスクランブルビットを変調後の系
列（変調シンボル）に変換する機能を備えてもよい。変調シンボルは、スクランブルビットに対して、ＱＰＳＫ（Ｑｕａｄｅｒａｔｕｒｅ  Ｐｈａｓｅ  Ｓｈｉｆｔ  Ｋｅｙｉｎｇ）、１６ＱＡＭ（Ｑｕａｄｅｒａｔｕｒｅ  Ａｍｐｌｉｔｕｄｅ  Ｍｏｄｕｌａｔｉｏｎ）、６４ＱＡＭ、２５６ＱＡＭ等の変調処理が施されることにより得られてもよい。
【００７５】
レイヤマップ処理部３００４は、変調シンボルを各レイヤにマッピングする機能を備えてもよい。レイヤ（ｌａｙｅｒ）とは、空間領域における物理層信号の多重度に関する指標であってもよい。例えば、レイヤ数が１の場合、空間多重が行われないことを意味している。また、レイヤ数が２の場合、２種類の変調シンボルが空間多重されることを意味している。
【００７６】
例えば、送信プレコード処理部３００５は、各レイヤにマッピングされた変調シンボルに送信プレコード処理を施すことにより送信シンボルを生成する機能を備えてもよい。変調シンボル、および／または、送信シンボルは、複素数値シンボルであってもよい。送信プレコード処理は、ＤＦＴ拡散（ＤＦＴ  ｓｐｒｅａｄ，  ＤＦＴ  ｓｐｒｅａｄｉｎｇ）等による処理を含む。送信プレコード処理部３００５において、上位層の信号に含まれる情報に基づき、送信プレコード処理が施されるか否かが与えられてもよい。送信プレコード処理部３００５において、第１のシステム情報に含まれる情報に少なくとも基づき、送信プレコード処理が施されるか否かが与えられてもよい。送信プレコード処理部３００５において、第１のシステム情報に含まれる情報に少なくとも基づき、ランダムアクセスメッセージ３の送信プレコード処理が施されるか否かが与えられてもよい。送信プレコード処理部３００５において、制御チャネルに含まれる情報に基づき、送信プレコード処理を施すか否かが与えられてもよい。また、送信プレコード処理部３００５において、あらかじめ設定される情報に基づき、送信プレコード処理を施すか否かが与えられてもよい。
【００７７】
例えば、プレコード処理部３００６は、送信シンボルに対して、プレコーダを乗算することにより、送信アンテナポートごとの送信シンボルを生成する機能を備えてもよい。送信アンテナポートは、論理的なアンテナのポートである。１つの送信アンテナポートは、複数の物理アンテナにより構成されてもよい。論理的なアンテナポートは、プレコーダにより識別されてもよい。
【００７８】
アンテナポートは、あるアンテナポートのあるシンボルが搬送するチャネルが同じアンテナポートの他のシンボルが搬送するチャネルから推定されることができるものと定義される。すなわち、例えば、第１の物理チャネルと第１の参照信号が、同一のアンテナポートのシンボルで搬送（ｃｏｎｖｅｙ）される場合、第１の物理チャネルの伝搬路補償を第１の参照信号によって行うことができる。ここで、同一のアンテナポートとは、アンテナポートの番号（アンテナポートを識別するための番号）が、同一であることであってもよい。ここで、該シンボルは、例えば、ＯＦＤＭシンボルの少なくとも一部であってもよい。また、該シンボルは、リソースエレメントであってもよい。
【００７９】
例えば、リソースエレメントマップ処理部３００７は、送信アンテナポートにマップされた送信シンボルをリソースエレメントにマッピングする処理を行う機能を備えてもよい。リソースエレメントマップ処理部３００７におけるリソースエレメントへのマッピング方法の詳細は後述される。
【００８０】
ベースバンド信号生成処理部３００８は、リソースエレメントにマップされた送信シンボルを、ベースバンド信号に変換する機能を備えてもよい。送信シンボルをベースバンド信号に変換する処理は、例えば、逆フーリエ変換処理（ＩＦＦＴ：  Ｉｎｖｅｒｓｅ  Ｆａｓｔ  Ｆｏｕｒｉｅｒ  Ｔｒａｎｓｆｏｒｍ）や、ウィンドウ処理（Ｗｉｎｄｏｗｉｎｇ）、フィルタリング処理（Ｆｉｌｔｅｒ  ｐｒｏｃｅｓｓｉｎｇ）等を含んでもよい。
【００８１】
以下、符号化処理部３００１の動作の詳細を説明する。
【００８２】
図４は、本実施形態の符号化処理部３００１の構成例を示した図である。符号化処理部３００１は、ＣＲＣ付加（ＣＲＣ  ａｔｔａｃｈｍｅｎｔ）部４００１、分割およびＣＲＣ付加（Ｓｅｇｍｅｎｔａｔｉｏｎ  ａｎｄ  ＣＲＣ）部４０１、符号化（Ｅｎｃｏｄｅｒ）部４００２、サブブロックインターリーバ（Ｓｕｂ−ｂｌｏｃｋ  ｉｎｔｅｒｌｅａｖｅｒ）部４００３、ビット収集（Ｂｉｔ  ｃｏｌｌｅｃｔｉｏｎ）部４００４、ビット選択および切断（Ｂｉｔ  ｓｅｌｅｃｔｉｏｎ  ａｎｄ  ｐｒｕｎｉｎｇ）部４００５、結合（Ｃｏｎｃａｔｅｎａｔｉｏｎ）部４００６の少なくとも１つを含んで構成される。ここで、分割およびＣＲＣ付加部４０１は、コードブロック分割部４０１１と、１つまたは複数のＣＲＣ付加部４０１２の少なくとも１つを含んで構成される。
【００８３】
トランスポートブロックａｋは、ＣＲＣ付加部４００１に入力される。ＣＲＣ付加部４００１は、入力されるトランスポートブロックに基づき、誤り検出用の冗長ビットとして、第１のＣＲＣ系列を生成してもよい。生成された第１のＣＲＣ系列はトランスポートブロックに付加される。第１のＣＲＣ系列が付加されたトランスポートブロックを含む第１の系列ｂｋ０は、ＣＲＣ付加部４００１より出力される。
【００８４】
第１のＣＲＣ系列は、トランスポートブロックに対応するＣＲＣ系列であってもよい。第１のＣＲＣ系列は、トランスポートブロックが成功裏に復号化されたか否かの決定のために用いられてもよい。第１のＣＲＣ系列は、トランスポートブロックのエラー検出のために用いられてもよい。第１の系列ｂｋ０は、第１のＣＲＣ系列が付加されたトランスポートブロックであってもよい。
【００８５】
第１の系列ｂｋ０は、１または複数の第１の系列グループに分割されてもよい。第１の系列グループは、符号ブロックのグループ（ＣＢＧ：Ｃｏｄｅ  Ｂｌｏｃｋ  Ｇｒｏｕｐ）とも呼称される。
【００８６】
図５は、本実施形態の一態様に係る第１の系列ｂｋ０が複数の第１の系列グループｂｋｎ（図５中においては、ｎ＝１〜３）に分割される動作の一例を示す図である。第１の系列グループｂｋｎは、それぞれ等しい長さの系列であってもよいし、異なる長さであってもよい。第１のＣＲＣ系列は、一つの第１の系列グループ（図５においては、第１の系列グループｂｋｎ）のみにマップされてもよい。
【００８７】
図６は、本実施形態の一態様に係る第１の系列ｂｋ０が複数の第１の系列グループｂｋｎ（図６中においては、ｎ＝１〜３）に分割される動作の一例を示す図である。第１の系列ｂｋ０は、第１の規範に基づき並び替え（ｉｎｔｅｒｌｅａｖｅ、インターリーブ）が施され、インターリーブ後の第１の系列ｂｋ０（Ｉｎｔｅｒｌｅａｖｅｄ  ｆｉｒｓｔ  ｓｅｑｕｅｎｃｅ  ｂｋ０）。インターリーブ後の第１の系列ｂｋ０は、複数の第１の系列グループｂｋｎに分割されてもよい。つまり、第１の系列ｂｋ０とインターリーブ後の第１の系列ｂｋ０の順序は異なってもよい。
【００８８】
第１の規範は、疑似ランダム関数（例えば、Ｍ系列、ゴールド系列等）を含んでもよい。第１の規範に基づく並び替えは、第１の並び替えを含んでもよい。第１の規範に基づく並び替えは、第１の規範に基づくビットインターリーブであってもよい。
【００８９】
第１の系列グループｂｋｎごとに第１の規範に基づく並び替えが施されてもよい。
【００９０】
第１の系列グループｂｋｎは、第１の系列グループｂｋｎに少なくとも基づき生成され
る第２のＣＲＣ系列が付加されてもよい。第２のＣＲＣ系列は、第１のＣＲＣ系列と異なる長さであってもよい。第２のＣＲＣ系列と第１のＣＲＣ系列の生成方法は異なってもよい。第２のＣＲＣ系列は、ｎ番目の第１の系列グループｂｋｎが成功裏に復号化されたか否かの決定のために用いられてもよい。該第２のＣＲＣ系列は、ｎ番目の第１の系列グループｂｋｎのエラー検出のために用いられてもよい。該第２のＣＲＣ系列は、ｎ番目の第１の系列グループｂｋｎに付加される第２のＣＲＣ系列であってもよい。第１の系列グループｂｋｎの数がコードブロックの数ＮＣＢと等しい、または、第１の系列グループｂｋｎの数がコードブロックの数ＮＣＢより大きい場合、第１の系列グループｂｋｎそれぞれに対して第２のＣＲＣ系列が付加されなくてもよい。第１の系列グループｂｋｎの数がコードブロックの数ＮＣＢより小さい場合、該第１の系列グループｂｋｎそれぞれに対して第２のＣＲＣ系列が付加されてもよい。例えば、第１の系列グループｂｋｎに１つのコードブロックのみが含まれる場合、該第１の系列グループｂｋｎに第２のＣＲＣ系列が付加されなくてもよい。また、第１の系列グループｂｋｎに２つ以上のコードブロックが含まれる場合、該第１の系列グループｂｋｎに第２のＣＲＣ系列が付加されてもよい。トランスポートブロックに対応する第１の系列グループｂｋｎの数が１である場合、該第１の系列グループｂｋｎに第２のＣＲＣ系列が付加されなくてもよい。
【００９１】
第２の系列ｂｋは、コードブロック分割部４０１１に入力されてもよい。コードブロック分割部４０１１に入力される第２の系列ｂｋは、第１の系列グループｂｋｎごとに入力されてもよい。第１の系列ｂｋ０が第１の系列グループｂｋｎに分割される場合、コードブロック分割部４０１１に入力される第２の系列ｂｋは、ｎ番目（ｎは１以上の整数）の第１の系列グループｂｋｎであってもよい。第１の系列ｂｋ０が第１の系列グループｂｋｎに分割されない場合、コードブロック分割部４０１１に入力される第２の系列ｂｋは、第１の系列ｂｋ０であってもよい。
【００９２】
図７は、本実施形態の一態様に係るコードブロック分割部４０１１におけるコードブロック数を算出するための第１の手順の一例を示す図である。Ｂは第２の系列ｂｋのビット数を示す。ＮＣＢは第２の系列ｂｋのコードブロック数を示す。Ｂ’はそれぞれのコードブロックに付加される第３のＣＲＣ系列と第２の系列ｂｋのビット数の合計を示す。Ｌは１つのコードブロックに付加される第３のＣＲＣ系列のビット数を示す。
【００９３】
第２の系列ｂｋのビット数Ｂが最大コードブロック長Ｚ以下である場合、第３のＣＲＣ系列のビット数Ｌ＝０であり、かつ、コードブロック数ＮＣＢ＝１であり、Ｂ’＝Ｂである。一方、第２の系列ｂｋのビット数Ｂが最大コードブロック長Ｚより大きい場合、Ｌ＝２４であり、コードブロック数ＮＣＢ＝ｆｌｏｏｒ（Ｂ／（Ｚ−Ｌ））で与えられてもよい。ここで、ｆｌｏｏｒ（＊）は、＊を下回らない条件の下で最小の整数を出力する関数である。ｆｌｏｏｒ（＊）は、天井関数とも呼称される。
【００９４】
第２の系列ｂｋのビット数Ｂは、第１の系列ａｋのビット数Ａと、第１のＣＲＣビットｐｋのビット数Ｐの和により与えられてもよい。つまり、第２の系列ｂｋのビット数Ｂ＝Ａ＋Ｐで与えられてもよい。
【００９５】
第２の系列ｂｋのビット数Ｂは、第２のＣＲＣ系列のビット数を含んでもよい。
【００９６】
最大コードブロック長Ｚは、６１４４であってもよいし、８１９２であってもよい。最大コードブロック長Ｚは、上記以外の値であってもよい。最大コードブロック長Ｚは、符号化手順に用いられる誤り訂正符号化の方式に少なくとも基づき与えられてもよい。例えば、最大コードブロック長Ｚは、符号化手順にターボ符号が用いられる場合に６１４４であってもよい。例えば、最大コードブロック長Ｚは、符号化手順にＬＤＰＣ（Ｌｏｗ  Ｄｅｎｓｉｔｙ  Ｐａｒｉｔｙ  Ｃｈｅｃｋ）符号が用いられる場合に８１９２であっても
よい。ＬＤＰＣ符号は、ＱＣ−ＬＤＰＣ（Ｑｕａｓｉ−Ｃｙｃｌｉｃ  ＬＤＰＣ）符号であってもよい。ＬＤＰＣ符号は、ＬＤＰＣ−ＣＣ（ＬＤＰＣ−Ｃｏｎｖｏｌｕｔｉｏｎａｌ  ｃｏｄｅｓ）符号化であってもよい。
【００９７】
コードブロック分割部４０１１は、算出されるコードブロック数ＮＣＢに少なくとも基づき、第２の系列ｂｋをＮＣＢ個のコードブロックＣｒｋに分割する。ここで、ｒはコードブロックのインデックスを示す。コードブロックのインデックスｒは０からＮＣＢ−１の範囲に含まれる整数値により与えられる。
【００９８】
コードブロック分割部４０１１によるコードブロック分割処理により、第１のコードブロックサイズを備える第１のコードブロックと、第２のコードブロックサイズを備える第２のコードブロックが少なくとも与えられてもよい。
【００９９】
第２のＣＲＣ付加部４０１２は、コードブロックごとに第３のＣＲＣ系列を付加する機能を備えてもよい。例えば、コードブロック数ＮＣＢ＝１である場合、コードブロックに対して第３のＣＲＣ系列は付加されなくてもよい。これは、コードブロック数ＮＣＢ＝１である場合にＬ＝０であることに対応する。一方、コードブロック数ＮＣＢが１より大きい場合、コードブロックのそれぞれに対してビット数Ｌの第３のＣＲＣ系列が付加されてもよい。コードブロック数ＮＣＢが１より大きいことは、第２の系列ｂｋが複数のコードブロックに分割されることに対応する。第２のＣＲＣ付加部４０１２の出力は、コードブロックｃｒｋと呼称される。コードブロックｃｒｋは、ｒ番目のコードブロックである。
【０１００】
あるサービングセルにおいてＣＢＧの送受信を実行するか否かは、該サービングセルにＲＲＣ層のパラメータ（ＲＲＣパラメータ）ｃｂｇＴｒａｎｓｍｉｓｓｉｏｎが設定されているか否かに基づいて決定される。つまり、ＲＲＣ層のパラメータ（ＲＲＣパラメータ）ｃｂｇＴｒａｎｓｍｉｓｓｉｏｎは、あるサービングセルにおいて、ＣＢＧの送受信を実行するか否かを示すパラメータである。ＣＢＧの送受信は、初期送信ためのトランスポートブロックの一部だけの送信または受信を行うことを意味してもよい。なお、ＲＲＣパラメータｃｂｇＴｒａｎｓｍｉｓｓｉｏｎは、あるサービングセルに対して、上りリンク（つまり、上りリンクサービングセル）と下りリンク（つまり、下りリンクサービングセル）で独立に定義（規定）されてもよい。また、ＲＲＣパラメータｃｂｇＴｒａｎｓｍｉｓｓｉｏｎは、端末装置１に設定されている上りリンクと下りリンクで独立に定義（規定）されてもよい。つまり、ＲＲＣパラメータｃｂｇＴｒａｎｓｍｉｓｓｉｏｎは、端末装置１に設定されているすべてサービングセルの上りリンクに対して適用されてもよい。また、ＲＲＣパラメータｃｂｇＴｒａｎｓｍｉｓｓｉｏｎは、端末装置１に設定されているすべてのサービングセルの下りリンクに対して適用されてもよい。
【０１０１】
また、ＲＲＣパラメータｃｂｇＴｒａｎｓｍｉｓｓｉｏｎは、セル（サービングセル）毎に定義（規定）されてもよい。即ち、基地局装置３は、端末装置１に設定されている１つまたは複数のセルのそれぞれに対して、ＲＲＣパラメータｃｂｇＴｒａｎｓｍｉｓｓｉｏｎを設定するか否かを端末装置１に送信してもよい。あるセルのためのＲＲＣパラメータｃｂｇＴｒａｎｓｍｉｓｓｉｏｎが設定されていない端末装置１は、該セルにおいて、ＣＢＧの送受信を実行しなくてもよい。即ち、あるセルのためのＲＲＣパラメータｃｂｇＴｒａｎｓｍｉｓｓｉｏｎが設定されていない端末装置１は、該セルにおいて、トランスポートブロックの一部の送信または受信を実行しなくてもよい。あるセルのためのＲＲＣパラメータｃｂｇＴｒａｎｓｍｉｓｓｉｏｎが設定されている端末装置１は、該セルにおいて、ＣＢＧの送受信を実行してもよい。あるセルのためのＲＲＣパラメータｃｂｇＴｒａｎｓｍｉｓｓｉｏｎが設定されていない端末装置１は、該セルにおいて、トランスポートブロックの一部の送信または受信を実行しなくてもよい。また、あるセルのためのＲＲＣパラメータｃｂｇＴｒａｎｓｍｉｓｓｉｏｎが設定されている端末装置１は、該セルに
おいて、初期送信ためのトランスポートブロックの一部だけを送信または受信してもよい。
【０１０２】
あるセルに対して、ＲＲＣパラメータｃｂｇＴｒａｎｓｍｉｓｓｉｏｎを設定するかどうかは、上位層（ＲＲＣ）の任意（optional）である。ここで、ＲＲＣパラメータｃｂｇＴｒａｎｓｍｉｓｓｉｏｎが設定されることは、上位層シグナリングにより送信されたパラメータｃｂｇＴｒａｎｓｍｉｓｓｉｏｎの値がＴｒｕｅであることを示す。ＲＲＣパラメータｃｂｇＴｒａｎｓｍｉｓｓｉｏｎの値がＴｒｕｅに設定されることは、ＣＢＧの送受信を行うことを含んでもよい。以下、ＲＲＣパラメータｃｂｇＴｒａｎｓｍｉｓｓｉｏｎが設定されていないことは、上位層シグナリングにより送信されたパラメータｃｂｇＴｒａｎｓｍｉｓｓｉｏｎの値がＦａｌｓｅであることを示してもよいし、受信された上位層シグナリング（上位層情報）にＲＲＣパラメータｃｂｇＴｒａｎｓｍｉｓｓｉｏｎが含まれないことを示してもよい。ＲＲＣパラメータｃｂｇＴｒａｎｓｍｉｓｓｉｏｎの値がＦａｌｓｅに設定されることは、ＣＢＧの送受信を行うことを含まなくてもよい。
【０１０３】
基地局装置は、該セルにおいて、１つのトランスポートブロックに含まれるＣＢＧの数（ＣＢＧの最大数）Ｘを示すＲＲＣ情報を、あるセルのための値がＴｒｕｅに設定されたＲＲＣパラメータｃｂｇＴｒａｎｓｍｉｓｓｉｏｎと同時に端末装置１に送信してもよい。即ち、ＣＢＧの最大数Ｘは、ＲＲＣ情報により示されてもよい。ＣＢＧの最大数Ｘは、端末装置１に設定され、１つのトランスポートブロックのためのＣＢＧの最大数であってもよい。ここで、セルのそれぞれに対して、ＣＢＧの数（ＣＢＧの最大数）Ｘが独立に設定されてもよい。また、あるサービングセルに対して、ＣＢＧの数Ｘは上りリンク（つまり、上りリンクサービングセル）と下りリンク（つまり、下りリンクサービングセル）で独立に設定されてもよい。また、ＣＢＧの数Ｘは、２つのトランスポートブロックをサポートするセルにおいて、トランスポートブロックのそれぞれに対して、独立に設定されてもよい。また、ＣＢＧの数Ｘは、２つのトランスポートブロックをサポートするセルにおいて、トランスポートブロックのそれぞれに対して、共通に設定されてもよい。また、ＣＢＧの数Ｘは、複数のセル間で、共通であってもよい。例えば、基地局装置３は、セルのそれぞれに対するＲＲＣパラメータｃｂｇＴｒａｎｓｍｉｓｓｉｏｎとセル間で共通のＣＢＧの数Ｘを示すＲＲＣ情報を含む上位層シグナリングを、端末装置１に送信してもよい。
【０１０４】
なお、ＲＲＣパラメータｃｂｇＴｒａｎｓｍｉｓｓｉｏｎは、１つのトランスポートブロックに含まれるＣＢＧの数（ＣＢＧの最大数）Ｘを示してもよい。例えば、Ｘ＝１が設定された場合は、１つのトランスポートブロックに含まれるＣＢＧが１つであり、トランスポートブロックの数とトランスポートブロックに含まれるＣＢＧの数が同じになるため、Ｘ＝１のＣＢＧ送信は、トランスポートブロックレベルでの送信と同じ意味を持ってもよい。つまり、Ｘ＝１が設定された場合は、ＣＢＧ送信を行わなくてもよい。Ｘ＝２、３、…が設定された場合には、ＣＢＧ送信が適用されてもよい。
【０１０５】
なお、ＲＲＣパラメータｃｂｇＴｒａｎｓｍｉｓｓｉｏｎが設定されない場合には、端末装置1に対してＣＢＧ送信が適用されなくてもよい。つまり、端末装置1は、ＣＢＧ送信に関する処理を想定しなくてもよい。
【０１０６】
ＲＲＣパラメータｃｂｇＴｒａｎｓｍｉｓｓｉｏｎが設定されているセルにおいて、下りリンク制御情報は、どのＣＢＧが実際に送信されたかを示す情報を含んでもよい。どのＣＢＧが実際に送信されたかを示す情報は、ＣＢＧの送信を指示する情報とも呼称される。ＣＢＧの送信を指示する情報は、下りリンク制御情報によってスケジューリングされるＰＤＳＣＨ、および／または、ＰＵＳＣＨに含まれて実際に送信されるＣＢＧを示してもよい。ＣＢＧの送信を指示する情報は、該ＣＢＧの送信を指示する情報を含む下りリンク
制御情報によりスケジューリングされるＰＤＳＣＨ、および／または、ＰＵＳＣＨに含まれるトランスポートブロックに含まれるＣＢＧの数ＮＣＢＧ、および／または、該トランスポートブロックに含まれるＣＢＧの数（ＣＢＧの最大数）Ｘに少なくとも基づき与えられるビットマップであってもよい。該ビットマップに含まれるビットのそれぞれは１つのＣＢＧに対応してもよい。ＣＢＧが送信されることを示すために、該ビットは‘１’にセットされてもよい。ＣＢＧが送信されないことを示すために、該ビットは‘０’にセットされてもよい。なお、ＣＢＧの送信を指示する情報が下りリンクグラントに含まれる場合には、ＰＤＳＣＨに含まれて実際に送信されるＣＢＧを示してもよい。また、ＣＢＧの送信を指示する情報が上りリンクグラントに含まれる場合には、ＰＵＳＣＨに含まれて再送信されるＣＢＧを示してもよい。
【０１０７】
図８は、本実施形態における下りリンク制御情報の一例を示す図である。例えば、ＣＢＧの送信を指示する情報は下りリンク制御情報のＣＢＧ  ｉｎｄｉｃａｔｉｏｎ（ＣＢＧ
Ｔｒａｎｓｍｉｓｓｉｏｎ  Ｉｎｄｉｃａｔｏｒ、ＣＢＧＴＩ）というフィールドにマップされてもよい。即ち、ＣＢＧ  ｉｎｄｉｃａｔｉｏｎフィールドは、どのＣＢＧが実際に送信されたかを示すために用いられてもよい。ＣＢＧ  ｉｎｄｉｃａｔｉｏｎフィールドのビット数は、ＣＢＧの数Ｘの値であってもよい。図８において、ＣＢＧの数Ｘは４であってもよい。この時、ＣＢＧの送信を指示する下りリンク制御情報は、４ビットのビットマップであってもよい。該ビットマップに含まれるビットのそれぞれは１つのＣＢＧに対応してもよい。図８において、ビットマップ７０１が‘１１１１’にセットされる場合、該トランスポートブロックの全てのＣＢＧが送信されることを示してもよい。即ち、ビットマップ７０１が‘１１１１’にセットされる場合、トランスポートブロックが送信されることを意味してもよい。また、ビットマップ７０２が‘１０１０’にセットされる場合、ＣＢＧ＃１とＣＢＧ＃３が送信されることを示す。即ち、ビットマップ７０２が‘１０１０’にセットされる場合、ＣＢＧ＃２とＣＢＧ＃４が送信されないことを示す。つまり、実際に送信されるＣＢＧの数Ｙは、ＣＢＧの送信を指示するビットマップによって少なくとも決定されてもよい。
【０１０８】
図８において、Ｒｅｓｏｕｒｃｅ  Ａｌｌｏｃａｔｉｏｎフィールドは、ＰＤＳＣＨ、および／または、ＰＵＳＣＨに対して周波数および時間におけるリソースの割り当て情報を示すために用いられる。ＭＣＳ（Modulation and Coding）フィールドは、ＰＤＳＣＨ
またはＰＵＳＣＨのためのＭＣＳインデックス（ＩＭＣＳ）を示すために用いられる。示されたＭＣＳインデックス（ＩＭＣＳ）を参照することによって、対応する変調次数（Ｑｍ）、対応するトランスポーブロックサイズインデックス（ＩＴＢＳ）、および、対応する冗長バージョン（ｒｖｉｄｘ）が決定される。即ち、端末装置１は、Ｒｅｓｏｕｒｃｅ
Ａｌｌｏｃａｔｉｏｎフィールド、および、ＭＣＳ（Modulation and Coding）フィー
ルドに少なくとも基づいて、トランスポートブロックサイズ（ＴＢＳ）を決定してもよい。ＨＡＲＱ  ｐｒｏｃｅｓｓ  ｎｕｍｂｅrフィールドは、送受信されるトランスポート
ブロックに関連するＨＡＲＱプロセス番号を示すために用いられる。ＨＡＲＱプロセス番号は、ＨＡＲＱプロセスのための識別子であってもよい。
【０１０９】
また、ＲＲＣパラメータｃｂｇＴｒａｎｓｍｉｓｓｉｏｎが設定されているセルにおいて、下りリンク制御情報は、ＣＢＧごとにＨＡＲＱ−ＡＣＫを生成するか、トランスポートブロックごとにＨＡＲＱ−ＡＣＫを生成するかの何れかを示す情報を含んでもよい。つまり、下りリンク制御情報は、ＨＡＲＱ−ＡＣＫの生成方式を示す情報を含んでもよい。ＨＡＲＱ  ｉｎｄｉｃａｔｉｏｎフィールドは、該情報を示すために用いられてもよい。例えば、ＨＡＲＱ  ｉｎｄｉｃａｔｉｏｎフィールドは、１ビットに設定されてもよい。ＣＢＧごとにＨＡＲＱ−ＡＣＫを生成することを示すために、該ビットは‘１’にセットされてもよい。トランスポートブロックごとにＨＡＲＱ−ＡＣＫを生成することを示すために、該ビットは‘０’にセットされてもよい。
【０１１０】
ＲＲＣパラメータｃｂｇＴｒａｎｓｍｉｓｓｉｏｎが設定されていないセルにおいて、トランスポートブロックごとのためにＨＡＲＱ−ＡＣＫが生成されてもよい。ＲＲＣパラメータｃｂｇＴｒａｎｓｍｉｓｓｉｏｎが設定されていないセルにおいて、ＣＢＧごとにＨＡＲＱ−ＡＣＫは生成されない。
【０１１１】
トランスポートブロックごとにＨＡＲＱ−ＡＣＫを生成することが示される場合、端末装置１は、トランスポートブロックのそれぞれのためのＨＡＲＱ−ＡＣＫを生成する。トランスポートブロックが成功裏に復号された場合、該トランスポートブロックに対するＡＣＫが生成される。トランスポートブロックが成功裏に復号されなかった場合、該トランスポートブロックに対するＮＡＣＫが生成される。
【０１１２】
ＲＲＣパラメータｃｂｇＴｒａｎｓｍｉｓｓｉｏｎが設定されていないセルにおいて、下りリンク制御情報は、ＣＢＧの送信を指示する情報、および／または、ＨＡＲＱ−ＡＣＫの生成方式を示す情報を含まなくてもよい。また、トランスポートブロックの初期送信のためのＰＤＳＣＨ、および／またはＰＵＳＣＨをスケジューリングに用いられる下りリンク制御情報は、ＣＢＧの送信を指示する情報、および／または、ＨＡＲＱ−ＡＣＫの生成方式を示す情報を含まなくてもよい。トランスポートブロックの初期送信のためのＰＤＳＣＨ、および／または、ＰＵＳＣＨのスケジューリングに用いられる下りリンク制御情報は、ＣＢＧの送信を指示する情報、および／または、ＨＡＲＱ−ＡＣＫの生成方式を示す情報を含んでもよい。トランスポートブロックの初期送信のためのＰＤＳＣＨ、および／または、ＰＵＳＣＨのスケジューリングに用いられる下りリンク制御情報に含まれるＣＢＧの送信を指示する情報、および／または、ＨＡＲＱ−ＡＣＫの生成方式を示す情報は、あらかじめ定義されたビット系列（例えば、全て０の系列、または、全て１の系列）にセットされてもよい。トランスポートブロックの初期送信のためのＰＤＳＣＨ、および／または、ＰＵＳＣＨのスケジューリングに用いられる下りリンク制御情報において、ＣＢＧの送信を指示する情報、および／または、ＨＡＲＱ−ＡＣＫの生成方式を示す情報に用いられる領域（ビットフィールド、情報ビット、ビット領域、ビット数）は、予めリザーブされてもよい。トランスポートブロックの初期送信のためのＰＤＳＣＨ、および／または、ＰＵＳＣＨのスケジューリングに用いられる下りリンク制御情報に含まれるＣＢＧの送信を指示する情報、および／または、ＨＡＲＱ−ＡＣＫの生成方式を示す情報のための領域（ビットフィールド、情報ビット、ビット領域、ビット数）は、ＭＣＳ、および／または、ＴＢＳの設定のために少なくとも用いられてもよい。
【０１１３】
トランスポートブロックためのＰＤＳＣＨ、および／または、ＰＵＳＣＨが初期送信であるか否かは、該トランスポートブロックのためのＰＤＳＣＨ、および／または、ＰＵＳＣＨをスケジューリングする下りリンク制御情報に含まれる新データ指標に少なくとも基づき与えられてもよい。例えば、所定のＨＡＲＱプロセス番号に対応するトランスポートブロックのためのＰＤＳＣＨ、および／または、ＰＵＳＣＨが初期送信であるか否かは、該トランスポートブロックのためのＰＤＳＣＨ、および／または、ＰＵＳＣＨをスケジューリングする下りリンク制御情報に含まれる新データ指標が、該所定のＨＡＲＱプロセス番号に対応し、直前に送信されたトランスポートブロックに対応する新データ指標に対して切り替わっているか否かに基づき与えられてもよい。
【０１１４】
トランスポートブロックのためのＰＤＳＣＨ、および／または、ＰＵＳＣＨの再送信のスケジューリングに用いられる下りリンク制御情報は、ＣＢＧの送信を指示する情報、および／または、ＨＡＲＱ−ＡＣＫの生成方式を示す情報を含んでもよい。
【０１１５】
また、本実施形態において、端末装置１は、新データ指標とＣＢＧの送信を指示する情報に少なくとも基づいて、ＣＢＧごとにＨＡＲＱ−ＡＣＫを生成するか、トランスポート
ブロックごとのためにＨＡＲＱ−ＡＣＫを生成するかの何れかを決定してもよい。例えば、あるＨＡＲＱプロセスに対応する新データ指標が直前の送信に対してトグルされ（切り替わり）、且つ、ＰＤＣＣＨに含まれるＣＢＧ  ｉｎｄｉｃａｔｉｏｎフィールドが第１の所定の値（例えば、全て１）にセットされる場合、端末装置１は、ＣＢＧごとにＨＡＲＱ−ＡＣＫを生成してもよい。また、例えば、あるＨＡＲＱプロセスに対応する新データ指標が直前の送信に対してトグルされ（切り替わり）、且つ、ＰＤＣＣＨに含まれるＣＢＧ  ｉｎｄｉｃａｔｉｏｎフィールドが第２の所定の値（例えば、全て０）にセットされる場合、端末装置１は、該ＨＡＲＱプロセスにおいて、トランスポートブロックごとにＨＡＲＱ−ＡＣＫを生成してもよい。これによって、ＨＡＲＱ−ＡＣＫの生成方式を示すフィールドを無くし、ＰＤＣＣＨに含まれる下りリンク制御情報のペイロードサイズを減ることができる。
【０１１６】
以下、ＣＢＧの構成について説明する。
【０１１７】
１または複数のコードブロックにより、符号ブロックのグループ（ＣＢＧ）が構成されてもよい。トランスポートブロックの送信が初期送信である場合、該トランスポートブロックに含まれるコードブロックの数ＮＣＢは、トランスポートブロックサイズ（ＴＢＳ：Ｔｒａｎｓｐｏｒｔ  Ｂｌｏｃｋ  Ｓｉｚｅ）に少なくとも基づき与えられてもよい。ＮＣＢ個のコードブロックのそれぞれは、Ｘ個のＣＢＧの何れかの１つに含まれ（分割され）てもよい。Ｘの値は、ＲＲＣ情報、および／または、仕様書の記載等に基づき与えられてもよい。Ｘ個のＣＢＧのそれぞれにおけるコードブロックの数ＮＣＢ  ｐｅｒ  ＣＢＧはトランスポートブロックサイズに少なくとも基づき与えられてもよい。ＣＢＧのそれぞれにおけるコードブロックの数はトランスポートブロックサイズに基づいてもよい。ＣＢＧのそれぞれにおけるコードブロックの数は、同一であってもよいし、異なってもよい。ここで、同じトランスポートブロックに対応する複数のＣＢＧのうち、最も多くのコードブロックを含むＣＢＧにおけるコードブロックの数と最も少ないコードブロックを含むＣＢＧにおけるコードブロックの数の差は２より小さい。つまり、同じトランスポートブロックに対応する複数のＣＢＧにおいて、ＣＢＧのそれぞれにおけるコードブロックの数の間の差はたかだか１であってもよい。
【０１１８】
図９は、本実施形態の一態様に係るＣＢＧの構成例の一例を示した図である。ここで、図９において、ＣＢＧの数ＸはＲＲＣ情報によって示され、４であってもよい。図９（ａ）は、トランスポートブロックに含まれるコードブロックの数ＮＣＢがＣＢＧの数Ｘより小さい場合の一例を示す図である。図９（ｂ）は、トランスポートブロックに含まれるコードブロックの数ＮＣＢがＣＢＧの数Ｘと同一、または、ＣＢＧの数Ｘより大きい場合の一例を示す図である。図９（ａ）において、あるトランスポートブロック＃１に含まれるコードブロックの数ＮＣＢは、ＴＢＳに少なくとも基づいて３に与えられる。図９（ａ）において、ＣＢＧ＃１、ＣＢＧ＃２、および、ＣＢＧ＃３のそれぞれは１つのコードブロックを含む。図９（ａ）において、ＣＢＧ＃４はコードブロックを含まない。図９（ａ）において、ＣＢＧ＃４に比べ、ＣＢＧ＃１、ＣＢＧ＃２、および、ＣＢＧ＃３にはコードブロックが１つ多く含まれる。
【０１１９】
図９（ｂ）において、あるトランスポートブロック＃１に含まれるコードブロックの数ＮＣＢは、ＴＢＳに少なくとも基づいて１１に与えられる。図９（ｂ）において、ＣＢＧ＃１、ＣＢＧ＃２、および、ＣＢＧ＃３のそれぞれは３つのコードブロックを含む。図９（ｂ）において、ＣＢＧ＃４は２つのコードブロックを含む。図９（ｂ）において、ＣＢＧ＃４に比べ、ＣＢＧ＃１、ＣＢＧ＃２、および、ＣＢＧ＃３にはコードブロックが１つ多く含まれる。図９（ａ）と図９（ｂ）の何れにおいても、１つのＣＢＧにおけるコードブロックの数の最大値は、１つのＣＢＧにおけるコードブロックの数の最小値よりも１つ大きい値であってもよい。
【０１２０】
以下、端末装置１におけるＭＡＣ層のＨＡＲＱ手順について説明を行う。ＭＡＣ層のＨＡＲＱ手順の一例として、下りリンク送信の場合を例にとり説明を行うが、ＭＡＣ層のＨＡＲＱ手順の一部または全部は下りリンク送信に適用されてもよい。
【０１２１】
ＭＡＣエンティティは、少なくとも１つのＨＡＲＱエンティティが定義されてもよい。ＭＡＣエンティティは、１または複数のＨＡＲＱエンティティを管理する主体（エンティティ）であってもよい。ＭＡＣエンティティは、ＭＡＣ層の処理を管理する主体であってもよい。ＨＡＲＱエンティティは、１または複数のＨＡＲＱプロセスを管理する主体（エンティティ）である。それぞれのＨＡＲＱプロセスは、ＨＡＲＱプロセス番号に関連してもよい。ＨＡＲＱプロセス番号は、ＨＡＲＱプロセスのための識別子であってもよい。ＨＡＲＱエンティティは、ＨＡＲＱ情報（ＨＡＲＱ  ｉｎｆｏｒｍａｔｉｏｎ）をＨＡＲＱプロセスに出力することができる。例えば、ＨＡＲＱエンティティは、所定のＨＡＲＱプロセス番号に対応するＨＡＲＱ情報を、所定のＨＡＲＱプロセス番号に関連するＨＡＲＱプロセスに出力することができる。ＨＡＲＱ情報は、新データ指標（ＮＤＩ）、ＴＢＳ、ＨＡＲＱプロセス番号、ＲＶの一部または全部を少なくとも含む。
【０１２２】
下りリンクの送信方法として空間多重方式が設定される場合、１または２つのトランスポートブロックの入力がＴＴＩ（Ｔｒａｎｓｍｉｓｓｉｏｎ  Ｔｉｍｅ  Ｉｎｔｅｒｖａｌ）ごとに期待されてもよい。下りリンクの送信方法として、空間多重方式が設定されない場合、１つのトランスポートブロックの入力がＴＴＩごとに期待されてもよい。
【０１２３】
ＴＴＩは、トランスポートブロックがマップされる単位であってもよい。ＴＴＩは、少なくともスロット、および／または、サブフレームに含まれるＯＦＤＭシンボルの数に基づき与えられてもよい。ＴＴＩは、下りリンクのスロットに適用されるサブキャリア間隔に少なくとも基づき与えられてもよい。ＴＴＩごとにＨＡＲＱプロセスが設定されてもよい。
【０１２４】
少なくとも所定のＴＴＩにおいて下りリンク割り当てが指示された場合、ＭＡＣエンティティは、ＨＡＲＱ情報に基づき、物理層から渡されたトランスポートブロックと該トランスポートブロックに関連する該ＨＡＲＱ情報を該トランスポートブロックに関連するＨＡＲＱプロセスに割り当てる。
【０１２５】
所定のＨＡＲＱプロセスに関連する送信が発生するＴＴＩごとに、１または２つのトランスポートブロックと該トランスポートブロックに関連するＨＡＲＱ情報がＨＡＲＱエンティティより渡される。
【０１２６】
ＨＡＲＱエンティティより渡されるトランスポートブロックと該トランスポートブロックに関連するＨＡＲＱ情報ごとに、ＨＡＲＱプロセスは条件１が少なくとも満たされた場合に該トランスポートブロックの送信が初期送信（ｎｅｗ  ｔｒａｎｓｍｉｓｓｉｏｎ）であると想定する。
【０１２７】
条件１は、新データ指標が直前の送信に対してトグルしている（切り替わっている）ことである。該新データ指標は、該ＨＡＲＱ情報に含まれてもよい。該直前の送信は、該トランスポートブロックに対応する送信、および／または、第２のトランスポートブロックの送信であってもよい。該第２のトランスポートブロックは、直前に送信されたトランスポートブロックであってもよい。該第２のトランスポートブロックは、該トランスポートブロックに関連するＨＡＲＱプロセスのソフトバッファにストア（保存）されたソフトビットに対応するトランスポートブロックであってもよい。該トランスポートブロックに関連するＨＡＲＱプロセス番号と、該第２のトランスポートブロックに関連するＨＡＲＱプ
ロセス番号は関連してもよい。該トランスポートブロックに関連するＨＡＲＱプロセス番号と、該第２のトランスポートブロックに関連するＨＡＲＱプロセス番号は同一であってもよい。
【０１２８】
条件１が少なくとも満たされない、および／または、所定の条件が満たされる場合に、該トランスポートブロックの送信が再送信であると想定する。
【０１２９】
該トランスポートブロックの送信が初期送信である場合、ＭＡＣエンティティは受信データの復号を試みてもよい。該受信データは、該トランスポートブロックを含む受信データであってもよい。該トランスポートブロックの送信が再送信であり、かつ、該第２のトランスポートブロックの復号が成功裏に実施されなかった場合、ＭＡＣエンティティは該受信データと該第２のトランスポートブロックに対応する該ソフトビットを結合（ｃｏｍｂｉｎｅ）し第３のトランスポートブロックを生成し、該第３のトランスポートブロックの復号を試みてもよい。
【０１３０】
条件２が満たされた場合、ＭＡＣエンティティは該トランスポートブロックに対してＡＣＫを生成してもよい。条件２は、条件２Ａおよび条件２Ｂの少なくとも一方が満たされることであってもよい。条件２Ａは、ＭＡＣエンティティにおいて試みられた該トランスポートブロックのための復号が成功裏に実施されたことであってもよい。条件２Ｂは、該トランスポートブロックのための復号が以前に成功裏に完了していることであってもよい。
【０１３１】
条件２が満たされない場合、ＭＡＣエンティティは該ソフトバッファにストアされたデータをＭＡＣエンティティが復号を試みたデータに置き換えてもよい。条件２が満たされない場合、ＭＡＣエンティティは該ソフトバッファにストアされた該ソフトビットを該トランスポートブロックの復号に基づき生成されるソフトビットに置き換えてもよい。条件２が満たされない場合、該トランスポートブロックに対してＮＡＣＫを生成してもよい。
【０１３２】
該ソフトバッファにストアされたデータをＭＡＣエンティティが復号を試みたデータに置き換えることは、該ソフトバッファにストアされたデータがフラッシュされる（流される）ことに対応する。該ソフトバッファにストアされた該ソフトビットを該トランスポートブロックの復号に基づき生成されるソフトビットに置き換えることは、該ソフトバッファにストアされたデータがフラッシュされることに対応する。
【０１３３】
ＭＡＣエンティティにおいて、該ソフトバッファがフラッシュされることは、該ソフトバッファに含まれるトランスポートブロックの全てのビットのためのソフトビットがフラッシュされることに対応してもよい。
【０１３４】
以下、ＣＢＧごとに生成されるＨＡＲＱ−ＡＣＫとＣＢＧおよびトランスポートブロックの対応関係について説明する。ＣＢＧごとのＨＡＲＱ−ＡＣＫフィードバックが指示されている端末装置１は、トランスポートブロックに含まれるＣＢＧのそれぞれに対応するＨＡＲＱ−ＡＣＫを生成し、フィードバックしてもよい。つまり、ＣＢＧごとのＨＡＲＱ−ＡＣＫフィードバックが実施される場合、ＣＢＧのそれぞれのためのＨＡＲＱ−ＡＣＫを生成する。ＣＢＧが成功裏に復号された場合、該ＣＢＧに対応するＨＡＲＱ−ＡＣＫがＡＣＫとして生成される。ＣＢＧが成功裏に復号されることは、該ＣＢＧに含まれるすべてのコードブロックが成功裏に復号されたことを意味してもよい。ＣＢＧが成功裏に復号されなかった場合、該ＣＢＧに対応するＨＡＲＱ−ＡＣＫがＮＡＣＫとして生成される。ＣＢＧが成功裏に復号されなかったことは、該ＣＢＧに含まれる少なくとも１つのコードブロックが成功裏に復号されなかったことを意味してもよい。また、本実施形態において、ＣＢＧためのＨＡＲＱ−ＡＣＫ、または、トランスポートブロックためのＨＡＲＱ−Ａ
ＣＫに空間的なバンドリングを実行しない場合を前提としている。
【０１３５】
図１０は、本実施形態におけるＨＡＲＱ−ＡＣＫ（ｊ）とＣＢＧおよびトランスポートブロックの対応の一例を示す図である。図１０（ａ）は、あるサービングセルが１つのトランスポートブロックをサポートする場合の一例を示す図である。ここで、図１０（ａ）は、ＣＢＧの数Ｘが、ＲＲＣ情報によって、４に設定された場合を示している。つまり、図１０（ａ）は、１つのトランスポートブロックが最大４つのＣＢＧを含む場合の一例を示している。つまり、図１０（ａ）は、ＣＢＧの数（最大数）Ｘが４である場合の一例を示している。図１０（ａ）において、ＨＡＲＱ−ＡＣＫ（０）はトランスポートブロック＃０のＣＢＧ＃１に対応し、ＨＡＲＱ−ＡＣＫ（１）はトランスポートブロック＃０のＣＢＧ＃２に対応し、ＨＡＲＱ−ＡＣＫ（２）はトランスポートブロック＃０のＣＢＧ＃３に対応し、且つ、ＨＡＲＱ−ＡＣＫ（３）はトランスポートブロック＃０のＣＢＧ＃４に対応する。
【０１３６】
図１０（ｂ）は、あるサービングセルが最大２つのトランスポートブロックをサポートする場合の一例を示す図である。ここで、図１０（ｂ）は、ＣＢＧの数Ｘが、ＲＲＣ情報によって、４に設定された場合を示している。つまり、図１０（ｂ）は、１つのトランスポートブロック（トランスポートブロック＃０とトランスポートブロック＃１のそれぞれ）が最大４つのＣＢＧを含む場合の一例を示している。図１０（ｂ）において、ＨＡＲＱ−ＡＣＫ（０）はトランスポートブロック＃０のＣＢＧ＃１に対応し、ＨＡＲＱ−ＡＣＫ（１）はトランスポートブロック＃０のＣＢＧ＃２に対応し、ＨＡＲＱ−ＡＣＫ（２）はトランスポートブロック＃０のＣＢＧ＃３に対応し、且つ、ＨＡＲＱ−ＡＣＫ（３）はトランスポートブロック＃０のＣＢＧ＃４に対応する。ＨＡＲＱ−ＡＣＫ（４）はトランスポートブロック＃１のＣＢＧ＃１に対応し、ＨＡＲＱ−ＡＣＫ（５）はトランスポートブロック＃２のＣＢＧ＃１に対応し、ＨＡＲＱ−ＡＣＫ（６）はトランスポートブロック＃１のＣＢＧ＃３に対応し、且つ、ＨＡＲＱ−ＡＣＫ（７）はトランスポートブロック＃１のＣＢＧ＃４に対応する。
【０１３７】
本実施形態において、ＣＢＧごとのＨＡＲＱ−ＡＣＫフィードバックが設定（実施）されるサービングセルにおいて、あるスロットにおけるＰＤＳＣＨに対応するＨＡＲＱ−ＡＣＫは、ＲＲＣ情報によって示されるＣＢＧの数Ｘ、および／または、該サービングセルがサポートするトランスポートブロックの数に少なくとも基づいて、決定されてもよい。例えば、１つのトランスポートブロックをサポートするサービングセルにおいて、あるスロットにおけるＰＤＳＣＨに対応するＨＡＲＱ−ＡＣＫの数は、ＣＢＧの数Ｘであってもよい。また、２つのトランスポートブロックをサポートするサービングセルにおいて、あるスロットにおけるＰＤＳＣＨに対応するＨＡＲＱ−ＡＣＫの数は、ＣＢＧの数Ｘの２倍であってもよい。
【０１３８】
本実施形態において、ＣＢＧごとのＨＡＲＱ−ＡＣＫフィードバックが設定（実施）されるサービングセルにおいて、あるスロットにおけるＰＵＳＣＨに対応するＨＡＲＱ−ＡＣＫは、ＲＲＣ情報によって示されるＣＢＧの数Ｘ、および／または、該サービングセルがサポートするトランスポートブロックの数に少なくとも基づいて、決定されてもよい。例えば、１つのトランスポートブロックをサポートするサービングセルにおいて、あるスロットにおけるＰＵＳＣＨに対応するＨＡＲＱ−ＡＣＫの数は、ＣＢＧの数Ｘであってもよい。また、２つのトランスポートブロックをサポートするサービングセルにおいて、あるスロットにおけるＰＵＳＣＨに対応するＨＡＲＱ−ＡＣＫの数は、ＣＢＧの数Ｘの２倍であってもよい。
【０１３９】
トランスポートブロックに含まれるＣＢＧの数Ｘは、ＰＵＳＣＨとＰＤＳＣＨとでそれぞれ、個別に設定されてもよい。
【０１４０】
図１１は、本実施形態における下りリンクに対するＨＡＲＱ−ＡＣＫの送信の一例を示す図である。図１１（ａ）は、端末装置１に２つのサービングセルが設定される場合を示す。図１１（ｂ）は、端末装置１に１つのサービングセルが設定される場合を示す。同一のスロットにおけるトランスポートブロックのインデックス（番号）は＃０と＃１であってもよい。
【０１４１】
図１１（ａ）は、端末装置１に設定されている複数のサービングセルにおけるスロット１１０１で受信したトランスポートブロックのそれぞれに含まれるＣＢＧのそれぞれに対応するＨＡＲＱ−ＡＣＫが、スロット１１０４における物理チャネル（ＰＵＣＣＨまたはＰＵＳＣＨ）で基地局装置３へ送信される一例を示す図である。図１１（ａ）において、２つのサービングセルにはＣＢＧごとのＨＡＲＱ−ＡＣＫフィードバックが設定される。基地局装置３は、ｓｌｏｔ１１０１において、プライマリセルにおけるＰＤＳＣＨ１１１０を送信する。基地局装置３は、ｓｌｏｔ１１０１において、セカンダリセルにおけるＰＤＳＣＨ１１２０を送信する。ＰＤＳＣＨ１１１０は、２つのトランスポートブロック１１１１、１１１２を含む。ＰＤＳＣＨ１１２０は２つのトランスポートブロック１１２１、１１２２を含む。つまり、端末装置１は、ｓｌｏｔ１１０１において、４つのトランスポートブロックを受信する。端末装置１は、ｓｌｏｔ１１０４において、ＰＵＣＣＨリソース１１８０またはＰＵＳＣＨリソース１１９０を用いて、トランスポートブロック１１１１、１１１２、１１２１、１１２２に対応するＨＡＲＱ−ＡＣＫを送信する。
【０１４２】
ここで、ＣＢＧの数ＸはＲＲＣ情報によって４に示される。そして、生成されるＨＡＲＱ−ＡＣＫとＣＢＧおよびトランスポートブロックの対応関係は、図１２（ａ）のように示されてもよい。図１２は、本実施形態におけるＨＡＲＱ−ＡＣＫ（ｊ）と、ＣＢＧおよびトランスポートブロックの対応の他の一例を示す図である。生成されるＨＡＲＱ−ＡＣＫの数は、（ｉ）端末装置１に設定されているサービングセルの数、（ｉｉ）サービングセルのそれぞれがサポートするトランスポートブロックの数、（ｉｉｉ）ＲＲＣ情報に示されるＣＢＧの数Ｘに少なくとも基づいて、決定されてもよい。
【０１４３】
例えば、図１１（ａ）において、端末装置１に設定されるサービングセルの数である２、サービングセルのそれぞれがサポートするトランスポートブロックの数である２、ＲＲＣ情報に示されるＣＢＧの数Ｘである４に少なくとも基づいて、１６個のＨＡＲＱ−ＡＣＫが生成されてもよい。
【０１４４】
また、例えば、サービングセルのそれぞれにおいて、トランスポートブロックの番号＃０に対する４つのＨＡＲＱ−ＡＣＫとトランスポートブロックの番号＃１に対する４つのＨＡＲＱ−ＡＣＫは、順番に連結されてもよい。サービングセル間において、プライマリセル（セルインデックス＃０のサービングセル）に対する８つのＨＡＲＱ−ＡＣＫとセカンダリセル（セルインデックス＃１のサービングセル）に対する８つのＨＡＲＱ−ＡＣＫは、順番に連結されてもよい。ここで、本実施形態において、プライマリセルの番号（セルインデックス）は最小値に設定されてもよい。例えば、プライマリセルのセルインデックスはセルインデックス＃０に与えられてもよい。例えば、セカンダリセルのセルインデックスは０より大きくてもよい。
【０１４５】
また、図１１（ａ）において、前述したように、端末装置１に設定されている２つのサービングセルは、最大２つのトランスポートブロックをサポートしてもよい。基地局装置３は、あるスロットにおいて、サービングセルにおける、１つのトランスポートブロックを送信してもよい。例えば、基地局装置３は、ｓｌｏｔ１１０１において、プライマリセルにおけるＰＤＳＣＨ１１１０を送信する。基地局装置３は、ｓｌｏｔ１１０１において、セカンダリセルにおけるＰＤＳＣＨ１１２０を送信する。ＰＤＳＣＨ１１１０は１つの
トランスポートブロック１１１１を含む。ＰＤＳＣＨ１１１０はトランスポートブロック１１１２を含まない。ＰＤＳＣＨ１１２０は２つのトランスポートブロック１１２１、１１２２を含む。つまり、端末装置１はｓｌｏｔ１１０１における３つのトランスポートブロックを受信する。端末装置１は、ｓｌｏｔ１１０４において、ＰＵＣＣＨリソース１１８０またはＰＵＳＣＨリソース１１９０を用いて、トランスポートブロック１１１１、１１１２、１１２１、１１２２に対応するＨＡＲＱ−ＡＣＫを送信する。この時、端末装置１は、受信したトランスポートブロック１１１１、１１２１、１１２２に含まれるＣＢＧのそれぞれが成功裏に復号されるか否かに基づいて、対応するＨＡＲＱ−ＡＣＫのそれぞれに対してＡＣＫまたはＮＡＣＫを生成する。その際、端末装置１は、受信しなかったトランスポートブロック１１１２に対応する、ＨＡＲＱ−ＡＣＫ（４）からＨＡＲＱ−ＡＣＫ（７）のそれぞれに対してＮＡＣＫを生成する。ここで、基地局装置３は、端末装置１へ送信しなかったトランスポートブロック１１１２のためのＣＢＧのそれぞれに対応するＨＡＲＱ−ＡＣＫが、端末装置１によってＮＡＣＫが生成されていることを知っているため、ＨＡＲＱ−ＡＣＫ（４）からＨＡＲＱ−ＡＣＫ（７）に対して検出をしなくてもよい。
【０１４６】
端末装置１は、設定された複数のサービングセルにおけるスロットで受信したＰＤＳＣＨに対応するＨＡＲＱ−ＡＣＫを、１つのＰＵＣＣＨまたは１つのＰＵＳＣＨで送信すること、且つ、ＣＢＧごとにＨＡＲＱ−ＡＣＫがフィードバックされることが指示されている場合、端末装置1は、受信したトランスポートブロックに含まれるＣＢＧのそれぞれに
対応するＨＡＲＱ−ＡＣＫに対して、ＡＣＫまたはＮＡＣＫを生成し、受信しなかったトランスポートブロックためのＣＢＧのそれぞれに対応するＨＡＲＱ−ＡＣＫに対して、ＮＡＣＫを生成してもよい。
【０１４７】
図１１（ｂ）は、端末装置１に設定されている１つのサービングセルにおける複数のスロット１１３１、１１３２で受信したトランスポートブロックのそれぞれに含まれるＣＢＧのそれぞれに対応するＨＡＲＱ−ＡＣＫが、スロット１１３４における物理チャネル（ＰＵＣＣＨまたはＰＵＳＣＨ）で基地局装置３へ送信される一例を示す図である。図１１（ｂ）において、１つのサービングセルにはＣＢＧごとのＨＡＲＱ−ＡＣＫフィードバックが設定される。基地局装置３は、ｓｌｏｔ１１３１において、プライマリセルにおけるＰＤＳＣＨ１１４０を送信する。基地局装置３は、ｓｌｏｔ１１３２において、プライマリセルにおけるＰＤＳＣＨ１１５０を送信する。ＰＤＳＣＨ１１４０は、２つのトランスポートブロック１１４１、１１４２を含む。ＰＤＳＣＨ１１５０は、２つのトランスポートブロック１１５１、１１５２を含む。端末装置１は、ｓｌｏｔ１１３１およびｓｌｏｔ１１３２において、４つのトランスポートブロックを受信する。端末装置１は、ｓｌｏｔ１１３４において、ＰＵＣＣＨリソース１１６０またはＰＵＳＣＨリソース１１７０を用いて、トランスポートブロック１１４１、１１４２、１１５１、１１５２に対応するＨＡＲＱ−ＡＣＫを送信する。ここで、ＣＢＧの数ＸはＲＲＣ情報によって４に示されてもよい。そして、生成されるＨＡＲＱ−ＡＣＫとＣＢＧおよびトランスポートブロックの対応関係は、図１２（ｂ）のように示されてもよい。生成されるＨＡＲＱ−ＡＣＫの数は、（ｉｉ）サービングセルのそれぞれがサポートするトランスポートブロックの数、（ｉｉｉ）ＲＲＣ情報に示されるＣＢＧの数Ｘ、（ｉｖ）スロット１１３４における物理チャネル（ＰＵＣＣＨまたはＰＵＳＣＨ）で送信されるＨＡＲＱ−ＡＣＫに対応するスロットの数、に少なくとも基づいて、決定されてもよい。（ｉｖ）について、例えば、図１１（ｂ）において、ｓｌｏｔ１１３１とｓｌｏｔ１１３２で受信したＰＤＳＣＨに対するＨＡＲＱ−ＡＣＫは、ｓｌｏｔ１１３４におけるＰＵＣＣＨリソース１１６０、または、ＰＵＳＣＨリソース１１７０を用いて送信される。すなわち、図１１（ｂ）において、ＨＡＲＱ−ＡＣＫをスロット１１３４における物理チャネル（ＰＵＣＣＨ１１６０またはＰＵＳＣＨ１１７０）で送信できるスロットの数は２である。従って、図１１（ｂ）において、１６個のＨＡＲＱ−ＡＣＫが生成されてもよい。トランスポートブロックの番号＃０に対する
４つＨＡＲＱ−ＡＣＫとトランスポートブロックの番号１に対する４つＨＡＲＱ−ＡＣＫは、順番に連結されてもよい。スロット１１３１に対する８つのＨＡＲＱ−ＡＣＫとスロット１１３２に対する８つのＨＡＲＱ−ＡＣＫは、順番に連結されてもよい。
【０１４８】
また、図１１（ｂ）において、前述したように、端末装置１に設定されているサービングセルは、最大２つのトランスポートブロックをサポートする。基地局装置３は、あるスロットにおいて、１つのトランスポートブロックを送信してもよい。例えば、基地局装置３は、ｓｌｏｔ１１３１において、プライマリセルにおけるＰＤＳＣＨ１１４０を送信する。基地局装置３は、ｓｌｏｔ１１３２において、ＰＤＳＣＨ１１５０を送信する。ＰＤＳＣＨ１１４０は、１つのトランスポートブロック１１４１を含む。ＰＤＳＣＨ１１４０はトランスポートブロック１１４２を含まない。ＰＤＳＣＨ１１５０は２つのトランスポートブロック１１５１、１１５２を含む。つまり、端末装置１は、ｓｌｏｔ１１３１において、１つのトランスポートブロックを受信し、ｓｌｏｔ１１３２において、２つのトランスポートブロックを受信する。図１１（ａ）の場合と同様に、端末装置１は、受信したトランスポートブロックに含まれるＣＢＧのそれぞれが成功裏に復号されるか否かに基づいて、対応するＨＡＲＱ−ＡＣＫに対して、ＡＣＫまたはＮＡＣＫを生成する。また、端末装置１は、受信しなかったトランスポートブロック１１４２に、ＨＡＲＱ−ＡＣＫ（４）からＨＡＲＱ−ＡＣＫ（７）のそれぞれに対してＮＡＣＫを生成する。ここで、基地局装置３は、端末装置１へ送信しなかったトランスポートブロック１１４２のためのＣＢＧのそれぞれに対応するＨＡＲＱ−ＡＣＫが、端末装置１によってＮＡＣＫが生成されていることを知っているため、ＨＡＲＱ−ＡＣＫ（４）からＨＡＲＱ−ＡＣＫ（７）に対して検出をしなくてもよい。
【０１４９】
つまり、端末装置１は、１つのセルにおいて、複数のスロットで受信したＰＤＳＣＨのそれぞれに対応するＨＡＲＱ−ＡＣＫを、同一のスロットにおける同一のＰＵＣＣＨまたはＰＵＳＣＨで送信し、且つ、ＣＢＧごとにＨＡＲＱ−ＡＣＫがフィードバックされることが指示されている場合、ＰＤＳＣＨにおける受信したトランスポートブロックに含まれるＣＢＧのそれぞれに対応するＨＡＲＱ−ＡＣＫにＡＣＫまたはＮＡＣＫを生成し、受信しなかったトランスポートブロックためのＣＢＧのそれぞれに対応するＨＡＲＱ−ＡＣＫに対してＮＡＣＫを生成してもよい。
【０１５０】
図１１（ｃ）は、端末装置１に設定されている複数のサービングセルにおける複数のスロットで受信したトランスポートブロックのそれぞれに含まれるＣＢＧのそれぞれに対応するＨＡＲＱ−ＡＣＫが、同一のスロットにおける同一の物理チャネル（ＰＵＣＣＨまたはＰＵＳＣＨ）で基地局装置３へ送信される一例を示す図である。図１１（ｃ）において、２つのサービングセルにはＣＢＧごとのＨＡＲＱ−ＡＣＫフィードバックが設定される。サービング間のサブキャリア間隔は異なっている。プライマリセルためのサブキャリア間隔は、セカンダリセルためのサブキャリア間隔の２倍である。つまり、プライマリセルのスロット長は、セカンダリセルのスロット長の半分である。図１１（ｃ）において、端末装置１は、プライマリセルにおいて、ｓｌｏｔ１１７１におけるＰＤＳＣＨ１１８０とｓｌｏｔ１１７２におけるＰＤＳＣＨ１１８３を受信する。ＰＤＳＣＨ１１１０は、２つのトランスポートブロック１１１１、１１１２を含む。ＰＤＳＣＨ１１８０は２つのトランスポートブロック１１８１、１１８２を含む。端末装置１は、セカンダリセルにおいて、ｓｌｏｔ１１９１におけるＰＤＳＣＨ１１９５を受信する。ＰＤＳＣＨ１１９５は、２つのトランスポートブロック１１９６、１１９７を含む。続いて、端末装置１は、受信した６つのトランスポートブロックに対応するＨＡＲＱ−ＡＣＫを、スロット１１７４におけるＰＵＣＣＨ１１８６またはＰＵＳＣＨ１１８７で送信する。この場合、生成されるＨＡＲＱ−ＡＣＫとＣＢＧおよびトランスポートブロックの対応関係は、図１２（ｃ）のように示されてもよい。
【０１５１】
また、本実施形態において、図１１（ａ）、図１１（ｂ）と図１１（ｃ）は同時に端末装置１に設定されてもよい。つまり、端末装置１は、１つまたは複数のサービングセルにおいて１つまたは複数のスロットで受信したＰＤＳＣＨのそれぞれに対応するＨＡＣＫ−ＡＣＫを、同一のスロットにおける同一のＰＵＣＣＨまたはＰＵＳＣＨで送信してもよい。ここで、端末装置１は、ＣＢＧごとにＨＡＲＱ−ＡＣＫがフィードバックされることが指示されている場合、ＰＤＳＣＨにおける受信したトランスポートブロックに含まれるＣＢＧのそれぞれに対応するＨＡＲＱ−ＡＣＫにＡＣＫまたはＮＡＣＫを生成し、受信しなかったトランスポートブロックためのＣＢＧのそれぞれに対応するＨＡＲＱ−ＡＣＫにＮＡＣＫを生成してもよい。生成されるＨＡＲＱ−ＡＣＫの数は、（ｉ）端末装置１に設定されるサービングセルの数、（ｉｉ）サービングセルのそれぞれがサポートするトランスポートブロックの数、（ｉｉｉ）ＲＲＣ情報に示されるＣＢＧの数Ｘ、（ｉｖ）同一のスロットにおける同一の物理チャネルＰＵＣＣＨまたはＰＵＳＣＨで送信できるＨＡＲＱ−ＡＣＫに対応するスロットの数に少なくとも基づいて、決定されてもよい。
【０１５２】
図１３は、本実施形態におけるトランスポートブロックに対応するＨＡＲＱ−ＡＣＫを送信する一例を示す図である。ここで、トランスポートブロックは、図１１におけるトランスポートブロックの何れか1つのトランスポートブロックに対応してもよい。図１３に
おいて、ＣＢＧの数Ｘは、ＲＲＣ情報によって４で与えられる。
【０１５３】
（Ｓ１３１０）基地局装置３は、あるトランスポートブロック１３０１に対する初期送信を端末装置１へ実行する。端末装置１は、受信したトランスポートブロック１３０１の復調処理や復号処理などを行う。該トランスポートブロック１３０１の送信が初期送信である場合、端末装置１は、トランスポートブロックサイズに基づいて、該トランスポートブロックに含まれるコードブロックの数ＮＣＢを決定してもよい。ここで、トランスポートブロックサイズは、下りリンク制御情報によって与えられてもよい。ここで、ＮＣＢは３である。つまり、初期送信されるトランスポートブロック１３０１は３つのコードブロックを含む。図１３において、トランスポートブロックの初期送信に含まれるコードブロックの数は、ＣＢＧの数Ｘより小さい。図１３において、ＣＢＧ＃１、ＣＢＧ＃２、ＣＢＧ＃３のそれぞれは、１つのコードブロックを含む。図１３において、ＣＢＧ＃４はコードブロックを含まない。
【０１５４】
続いて、端末装置１は、受信したトランスポートブロック１３０１の復号を試みてもよい。そして、端末装置１は、トランスポートブロック１３０１の初期送信のためのＨＡＲＱ−ＡＣＫ１３０３を生成してもよい。ＨＡＲＱ−ＡＣＫ１３０３がＣＢＧごとに生成されるＨＡＲＱ−ＡＣＫであるため、端末装置１は、ＣＢＧのそれぞれに復調処理や復号処理などを行う。端末装置１は、ＣＢＧのそれぞれに含まれるコードブロックに対して復調処理や復号処理などを行ってもよい。端末装置１は、トランスポートブロック１３０１のサイズに基づいてＣＢＧ＃４にコードブロックが含まれないことを知っているため、ＣＢＧ＃４に対して復調処理や復号処理などを行わなくてもよい。
【０１５５】
コードブロックを含むＣＢＧのためのＨＡＲＱ−ＡＣＫは、該ＣＢＧが成功裏に復号化されたか否かに基づき、ＡＣＫまたはＮＡＣＫが生成されてもよい。ＣＢＧ＃１、ＣＢＧ＃２、ＣＢＧ＃３のためのＨＡＲＱ−ＡＣＫのそれぞれは、該ＣＢＧが成功裏に復号されたか否かに基づき、ＡＣＫまたはＮＡＣＫを生成される。端末装置１は、ＣＢＧが成功裏に復号できたかどうかに基づいて、ＣＢＧに対するＨＡＲＱ−ＡＣＫを生成してもよい。端末装置１は、ＣＢＧが成功裏に復号された場合、該ＣＢＧのためのＡＣＫを生成してもよい。端末装置１は、ＣＢＧが成功裏に復号されなかった場合、該ＣＢＧのためのＮＡＣＫを生成してもよい。また、端末装置１は、コードブロックを含まないＣＢＧ＃４のためのＨＡＲＱ−ＡＣＫとして、ＮＡＣＫを生成してもよい。また、端末装置１は、コードブロックを含まないＣＢＧ＃４のためのＨＡＲＱ−ＡＣＫとして、ＡＣＫを生成してもよい
。
【０１５６】
つまり、コードブロックの数ＮＣＢがＣＢＧの数Ｘより小さい場合、ＮＣＢ個のコードブロックのそれぞれは、異なるＮＣＢ個のＣＢＧに含まれ、該トランスポートブロックの初期送信のためのＨＡＲＱ−ＡＣＫとして、該ＮＣＢ個のＣＢＧに対応するＮＣＢ個のＨＡＲＱ−ＡＣＫ、および、（Ｘ−ＮＣＢ）個のＮＡＣＫが生成される。即ち、コードブロックの数ＮＣＢがＣＢＧの数Ｘより小さい場合、トランスポートブロックの初期送信のためのＨＡＲＱ−ＡＣＫは、（Ｘ−ＮＣＢ）個のＮＡＣＫおよびＮＣＢ個のＣＢＧに対するＮＣＢ個のＨＡＲＱ−ＡＣＫを含む。ＮＣＢ個のＣＢＧに対応するＮＣＢ個のＨＡＲＱ−ＡＣＫのそれぞれには、該ＣＢＧが成功裏に復号化されたか否かに基づき、ＡＣＫまたはＮＡＣＫが生成されてもよい。また、ここで、該トランスポートブロックの初期送信のためのＨＡＲＱ−ＡＣＫには、該ＮＣＢ個のＣＢＧに対応するＮＣＢ個のＨＡＲＱ−ＡＣＫ、および、（Ｘ−ＮＣＢ）個のＡＣＫが生成されてもよい。
【０１５７】
トランスポートブロックのためのＨＡＲＱ−ＡＣＫは、該トランスポートブロックに含まれるコードブロックの数ＮＣＢが、ＣＢＧの最大数Ｘより小さい場合、Ｘ−ＮＣＢ個のＮＡＣＫおよびＮＣＢ個のＣＢＧに対するＮＣＢ個のＨＡＲＱ−ＡＣＫを含んでもよい。コードブロックの数ＮＣＢは、トランスポートブロックサイズに少なくとも基づき与えられてもよい。ＮＣＢ個のコードブロックのそれぞれは、異なるＮＣＢ個のＣＢＧに含まれてもよい。該トランスポートブロックの送信は初期送信であってもよい。該Ｘ−ＮＣＢ個のＮＡＣＫは、Ｘ−ＮＣＢ個のＡＣＫでもよい。ここで、ＮＣＢ個のＣＢＧに対応するＮＣＢ個のＨＡＲＱ−ＡＣＫのそれぞれには、該ＣＢＧが成功裏に復号化されたか否かに基づき、ＡＣＫまたはＮＡＣＫが生成されてもよい。
【０１５８】
また、トランスポートブロックのためのＨＡＲＱ−ＡＣＫは、該トランスポートブロックに含まれるコードブロックの数ＮＣＢが、ＣＢＧの最大数Ｘと同じ、または、それより大きい場合、Ｘ個のＣＢＧに対するＸ個のＨＡＲＱ−ＡＣＫを含んでもよい。ここで、Ｘ個のＣＢＧに対応するＸ個のＨＡＲＱ−ＡＣＫのそれぞれには、該ＣＢＧが成功裏に復号化されたか否かに基づき、ＡＣＫまたはＮＡＣＫが生成されてもよい。
【０１５９】
（Ｓ１３２０）端末装置１は、トランスポートブロック１３０１の初期送信のためのＨＡＲＱ−ＡＣＫ１３０３を基地局装置３へ送信する。基地局装置３は、端末装置１から受信したＨＡＲＱ−ＡＣＫ１３０３に基づいて、何れのＣＢＧための再送信を実行するかを判断する。ここで、基地局装置３は、コードブロックが含まれないＣＢＧ＃４に対してＮＡＣＫが生成されていることを知っているため、ＨＡＲＱ−ＡＣＫ（３）に対して検出をしなくてもよい。
【０１６０】
（Ｓ１３３０）基地局装置３は、あるトランスポートブロック１３０１に対するＣＢＧ再送信を端末装置１へ実行する。基地局装置３は、ＣＢＧの送信を指示する情報（例えば、ＣＢＧ  ｉｎｄｉｃａｔｉｏｎフィールド）によって、ＣＢＧ＃１とＣＧＢ＃２とＣＢＧ＃３のうち、実際に何れのＣＢＧが再送信されるかを端末装置１へ通知する。ＣＢＧの再送信は、該ＣＢＧに含まれるコードブロックが再送信されることを意味してもよい。端末装置１は、ＣＢＧの送信を指示する情報に基づいて、実際に再送信されるＣＢＧを判断できる。ＣＢＧの送信を指示するＣＢＧ  ｉｎｄｉｃａｔｉｏｎフィールドは、４ビットのビットマップであってもよい。例えば、基地局装置３は、ＣＢＧ  ｉｎｄｉｃａｔｉｏｎフィールドを‘０１１０’にセットし、ＣＢＧ＃２とＣＢＧ＃３を再送信することを端末装置１へ通知する。すなわち、Ｓ１３３０において再送信されるＣＢＧの数Ｙは２である。ここで、再送信されるＣＢＧ＃２とＣＢＧ＃３は、初期送信されたトランスポートブロック（ＣＢＧ＃１とＣＢＧ＃２とＣＢＧ＃３）の一部である。即ち、再送信されたＣＢＧに含まれるコードブロックは初期送信ためのトランスポートブロック１３０１の一部で
ある。再送信されるＣＢＧの数Ｙは、ＰＤＣＣＨに含まれるＣＢＧの送信を指示する情報によって与えられてもよい。
【０１６１】
続いて、端末装置１は、受信したトランスポートブロック１３０１のＣＢＧ再送信の復号を試みてもよい。そして、端末装置１は、トランスポートブロック１３０１のＣＢＧ再送信のためのＨＡＲＱ−ＡＣＫ１３０５を生成してもよい。該トランスポートブロックの再送信において、ＨＡＲＱ−ＡＣＫ１３０５は、トランスポートブロックのためのＨＡＲＱ−ＡＣＫである。ＨＡＲＱ−ＡＣＫ１３０５はＣＢＧごとに生成されるＨＡＲＱ−ＡＣＫである。端末装置１は、ＣＢＧの送信を指示する情報に基づいて、再送信されたＣＢＧ＃２とＣＢＧ＃３のそれぞれに含まれるコードブロックに対して復調処理や復号処理などを行ってもよい。
【０１６２】
Ｓ１３４０において、コードブロックを含むＣＢＧ＃２とＣＢＧ＃３のためのＨＡＲＱ−ＡＣＫは、該ＣＢＧが成功裏に復号化されたか否かに基づき、ＡＣＫまたはＮＡＣＫを生成されてもよい。端末装置１は、ＣＢＧが成功裏に復号された場合、該ＣＢＧのためのＡＣＫを生成してもよい。端末装置１は、ＣＢＧが成功裏に復号されなかった場合、該ＣＢＧのためのＮＡＣＫを生成してもよい。Ｓ１３４０において、端末装置１は、コードブロックを含むが再送信されなかったＣＢＧ＃１のためのＨＡＲＱ−ＡＣＫとして、ＮＡＣＫを生成する。また、Ｓ１３４０において、端末装置１は、コードブロックを含まないＣＢＧ＃４のためのＨＡＲＱ−ＡＣＫとして、ＮＡＣＫを生成する。すなわち、Ｓ１３４０において、端末装置１は、ＣＢＧ＃１とＣＢＧ＃４のためのＨＡＲＱ−ＡＣＫにとして、ＡＣＫを生成してもよい。
【０１６３】
つまり、再送信されるＣＢＧの数ＹがＣＢＧの数（最大数）Ｘより小さい場合、該トランスポートブロックの再送信のためのＨＡＲＱ−ＡＣＫには、（Ｘ−Ｙ）個のＮＡＣＫ、および、該Ｙ個のＣＢＧに対応するＹ個のＨＡＲＱ−ＡＣＫが生成される。即ち、トランスポートブロックの再送信のためのＨＡＲＱ−ＡＣＫは、（Ｘ−Ｙ）個のＮＡＣＫおよびＹ個のＣＢＧに対応するＹ個のＨＡＲＱ−ＡＣＫを含む。Ｙ個のＣＢＧに対応するＹ個のＨＡＲＱ−ＡＣＫのぞれぞれとして、該ＣＢＧが成功裏に復号化されたか否かに基づき、ＡＣＫまたはＮＡＣＫが生成されてもよい。また、ここで、再送信されるＣＢＧの数ＹがＣＢＧの数Ｘより小さい場合、該トランスポートブロックの再送信のためのＨＡＲＱ−ＡＣＫには、該Ｙ個のＣＢＧに対応するＹ個のＨＡＲＱ−ＡＣＫ、および、（Ｘ−Ｙ）個のＡＣＫが生成されてもよい。ここで、再送信されるＣＢＧの数ＹはＰＤＣＣＨに含まれるＣＢＧの送信を指示する情報によって決定され、ＣＢＧの数（最大数）ＸはＲＲＣ情報から示される。
【０１６４】
トランスポートブロックのためのＨＡＲＱ−ＡＣＫは、再送信されるＣＢＧの数ＹがＣＢＧの数Ｘより小さい場合、（Ｘ−Ｙ）個のＮＡＣＫおよびＹ個のＣＢＧに対するＹ個のＨＡＲＱ−ＡＣＫを含んでもよい。再送信されるＣＢＧの数Ｙは、ＰＤＣＣＨに含まれるＣＢＧの送信を指示する情報によって決定されてもよい。ＣＢＧの最大数Ｘは、ＲＲＣ情報により示されてもよい。
【０１６５】
また、トランスポートブロックのためのＨＡＲＱ−ＡＣＫは、再送信されるＣＢＧの数ＹがＣＢＧの数Ｘと等しい場合、Ｘ個のＣＢＧに対するＸ個のＨＡＲＱ−ＡＣＫを含んでもよい。
【０１６６】
Ｓ１３１０におけるトランスポートブロックの初期送信において、トランスポートブロックのためのＨＡＲＱ−ＡＣＫは、該トランスポートブロックに含まれるコードブロックの数ＮＣＢが、ＣＢＧの最大数Ｘと同じ、または、それより大きい場合、Ｘ個のＣＢＧに対するＸ個のＨＡＲＱ−ＡＣＫを含んでもよい。また、Ｓ１３３０における該トランスポ
ートブロックの再送信において、トランスポートブロックのためのＨＡＲＱ−ＡＣＫは、再送信されるＣＢＧの数ＹがＣＢＧの数Ｘより小さい場合、（Ｘ−Ｙ）個のＮＡＣＫおよびＹ個のＣＢＧに対するＹ個のＨＡＲＱ−ＡＣＫを含んでもよい。また、該トランスポートブロックの再送信において、トランスポートブロックのためのＨＡＲＱ−ＡＣＫは、再送信されるＣＢＧの数ＹがＣＢＧの数Ｘと等しい場合、Ｘ個のＨＡＲＱ−ＡＣＫを含んでもよい。
【０１６７】
また、Ｓ１３４０において、端末装置１は、ＨＡＲＱ−ＡＣＫ１３０５を生成する代わりに、ＨＡＲＱ−ＡＣＫ１３０６を生成してもよい。ＨＡＲＱ−ＡＣＫ１３０６は、トランスポートブロック１３０１のＣＢＧ再送信のためのＨＡＲＱ−ＡＣＫである。ＨＡＲＱ−ＡＣＫ１３０６は、該トランスポートブロックの再送信において、トランスポートブロックのためのＨＡＲＱ−ＡＣＫである。ＨＡＲＱ−ＡＣＫ１３０６はＣＢＧごとに生成されるＨＡＲＱ−ＡＣＫである。
【０１６８】
Ｓ１３４０のＨＡＲＱ−ＡＣＫ１３０５において、ＣＢＧの復号化に基づくＨＡＲＱ−ＡＣＫの数Ｙは、ＣＢＧの送信を指示する情報によって与えられる。即ち、ＨＡＲＱ−ＡＣＫ１３０５において、実際に再送信されたＣＢＧに対応するＨＡＲＱ−ＡＣＫは、ＣＢＧの復号の結果（ＡＣＫか、ＮＡＣＫか）に基づき、与えられる。また、Ｓ１３４０のＨＡＲＱ−ＡＣＫ１３０５において、端末装置１は、再送信を指示しない全てのＣＢＧに対して、ＮＡＣＫを生成する。つまり、Ｓ１３４０のＨＡＲＱ−ＡＣＫ１３０５において、ＣＢＧ＃１に対応するＨＡＲＱ−ＡＣＫ（０）は、直前にＳ１３１０で送信されたＣＢＧ＃１の復号の結果（ＡＣＫか、ＮＡＣＫか）に基づかず、ＮＡＣＫが生成される。
【０１６９】
Ｓ１３４０のＨＡＲＱ−ＡＣＫ１３０６において、コードブロックを含むＣＢＧのためのＨＡＲＱ−ＡＣＫは、直前に受信したＣＢＧのデータの復号の結果（ＡＣＫか、ＮＡＣＫか）に基づき、与えられる。Ｓ１３４０のＨＡＲＱ−ＡＣＫ１３０６において、コードブロックを含まないＣＢＧのためのＨＡＲＱ−ＡＣＫとして、ＮＡＣＫが生成されてもよい。ここで、受信したＣＢＧのデータの復号の結果に基づくＨＡＲＱ−ＡＣＫの数は、初期送信の時にコードブロックを含むＣＢＧの数であってもよい。
【０１７０】
つまり、トランスポートブロックの再送信において、ＣＢＧの送信を指示する情報によって送信されないことが指示されたＣＢＧのためのＨＡＲＱ−ＡＣＫは、該ＣＢＧの復号がすでに成功裏に完了しているか否かに基づき与えられてもよい。
【０１７１】
すなわち、Ｓ１３４０において、ＣＢＧの送信を指示する情報によって送信されないことが指示されたＣＢＧ＃１のためのＨＡＲＱ−ＡＣＫは、該ＣＢＧ＃１の復号がすでに成功裏に完了しているか否かに基づき与えられてもよい。また、Ｓ１３４０において、コードブロックを含まないＣＢＧ＃４が成功裏に復号が成功裏に完了しているかどうかに係わらず、該ＣＢＧ＃４のためのＨＡＲＱ−ＡＣＫとして、ＮＡＣＫが生成されてもよい。
【０１７２】
ＣＢＧの送信を指示する情報によって送信されないことが指示されたＣＢＧにコードブロックが含まれない場合、該ＣＢＧの復号が完了していないとみなされてもよい。
【０１７３】
トランスポートブロック１３０１のＣＢＧ再送信１３０４において、ＣＢＧ＃１が再送信されてなくても、ＣＢＧ＃１のためのＨＡＲＱ−ＡＣＫは、直前に受信したＣＢＧ＃１のデータの復号の結果（ＡＣＫか、ＮＡＣＫか）に基づき、与えられてもよい。ここで、直前に受信したＣＢＧ＃１のデータは、トランスポートブロック１３０１の初期送信１３０２で送信される。即ち、１３０３におけるＨＡＲＱ−ＡＣＫ（０）と１３０６におけるＨＡＲＱ−ＡＣＫ（０）は同一であってもよい。例えば、１３０３において、ＣＢＧ＃１ためのＨＡＲＱ−ＡＣＫ（０）がＡＣＫの場合、１３０６におけるＨＡＲＱ−ＡＣＫ（０
）に対して、ＡＣＫが生成されてもよい。また、例えば、１３０３において、ＣＢＧ＃１ためのＨＡＲＱ−ＡＣＫ（０）がＮＡＣＫの場合、１３０６におけるＨＡＲＱ−ＡＣＫ（０）に対して、ＮＡＣＫが生成されてもよい。
【０１７４】
また、トランスポートブロック１３０１のＣＢＧ再送信１３０４において、再送信を指示されているＣＢＧ＃２のためのＨＡＲＱ−ＡＣＫは、ＣＢＧ＃２の復号の結果（ＡＣＫか、ＮＡＣＫか）に基づき、与えられてもよい。ここで、ＣＢＧ＃２の復号の結果は、トランスポートブロック１３０１の初期送信１３０２で送信されるＣＢＧ＃２とトランスポートブロック１３０１のＣＢＧ再送信１３０４で送信されるＣＢＧ＃２に少なくとも基づいて、判断される。
【０１７５】
また、トランスポートブロック１３０１のＣＢＧ再送信１３０４において、再送信を指示されているＣＢＧ＃３のためのＨＡＲＱ−ＡＣＫは、ＣＢＧ＃３の復号の結果（ＡＣＫか、ＮＡＣＫか）に基づき、与えられてもよい。ここで、ＣＢＧ＃３の復号の結果は、トランスポートブロック１３０１の初期送信１３０２で送信されるＣＢＧ＃３とトランスポートブロック１３０１のＣＢＧ再送信１３０４で送信されるＣＢＧ＃３に少なくとも基づいて、判断される。
【０１７６】
また、トランスポートブロック１３０１のＣＢＧ再送信１３０４において、端末装置１は、コードブロックを含まないＣＢＧ＃４のためのＨＡＲＱ−ＡＣＫに対して、ＮＡＣＫを生成する。
【０１７７】
つまり、トランスポートブロックのＣＢＧの再送信（適応再送信）であり、初期送信のための該トランスポートブロックに含まれるコードブロックの数ＮＣＢは、初期送信ためのトランスポートブロックサイズによって与えられ、ＣＢＧの数（最大数）ＸはＲＲＣ情報から示される。コードブロックの数ＮＣＢがＣＢＧの数Ｘより小さい場合、該トランスポートブロックの再送信のためのＨＡＲＱ−ＡＣＫとして、（Ｘ−ＮＣＢ）個のＮＡＣＫ、および、ＮＣＢ個のＣＢＧに対応するＮＣＢ個のＨＡＲＱ−ＡＣＫが生成される。即ち、トランスポートブロックの再送信のためのＨＡＲＱ−ＡＣＫは、（Ｘ−ＮＣＢ）個のＮＡＣＫ、および、ＮＣＢ個のＣＢＧに対応するＮＣＢ個のＨＡＲＱ−ＡＣＫを含む。該ＮＣＢ個のＣＢＧに対応するＮＣＢ個のＨＡＲＱ−ＡＣＫのそれぞれには、直前に受信したＣＢＧのデータが成功裏に復号化されたか否かに基づき、ＡＣＫまたはＮＡＣＫが生成されてもよい。直前に受信したＣＢＧのデータは、初期送信におけるＣＢＧデータ、および／または、ＣＢＧ再送信におけるＣＢＧデータを含む。また、ここで、トランスポートブロックのＣＢＧの再送信（適応再送信）であり、初期送信のための該トランスポートブロックに含まれるコードブロックの数ＮＣＢは初期送信ためのトランスポートブロックサイズによって与えられ、ＣＢＧの数（最大数）ＸはＲＲＣ情報から示される。コードブロックの数ＮＣＢがＣＢＧの数Ｘより小さい場合、該トランスポートブロックの再送信のためのＨＡＲＱ−ＡＣＫには、ＮＣＢ個のＣＢＧに対応するＮＣＢ個のＨＡＲＱ−ＡＣＫ、および、（Ｘ−ＮＣＢ）個のＮＡＣＫが生成されてもよい。
【０１７８】
該トランスポートブロックに含まれるコードブロックの数ＮＣＢがＣＢＧの最大数Ｘより小さい場合、トランスポートブロックのためのＨＡＲＱ−ＡＣＫは、Ｘ−ＮＣＢ個のＮＡＣＫ、および、ＮＣＢ個のＣＢＧに対応するＮＣＢ個のＨＡＲＱ−ＡＣＫを含んでもよい。コードブロックの数ＮＣＢは、トランスポートブロックサイズに少なくとも基づき与えられてもよい。ＮＣＢ個のコードブロックのそれぞれは、異なるＮＣＢ個のＣＢＧに含まれてもよい。該トランスポートブロックの送信は初期送信であってもよい。該Ｘ−ＮＣＢ個のＮＡＣＫは、ＡＣＫでもよい。
【０１７９】
また、トランスポートブロックのためのＨＡＲＱ−ＡＣＫは、該トランスポートブロッ
クに含まれるコードブロックの数ＮＣＢが、ＣＢＧの最大数Ｘと同じ、または、それより大きい場合、再送信されるＣＢＧの数Ｙに基づかず、Ｘ個のＨＡＲＱ−ＡＣＫを含んでもよい。
【０１８０】
また、本実施形態において、トランスポートブロックのＣＢＧ再送信のための上述した２つのＨＡＲＱ−ＡＣＫ生成方式は、トランスポートブロックの初期送信のＴＢＳに基づいて与えられるコードブロックの数ＮＣＢが、ＣＢＧの数Ｘより大きい場合にも適用されてもよい。
【０１８１】
Ｓ１３３０において、該トランスポートブロックの再送信において、コードブロックの数ＮＣＢは初期送信のトランスポートブロックサイズに基づき与えられてもよい。
【０１８２】
また、Ｓ１３３０において、該トランスポートブロックの再送信において、該トランスポートブロックに含まれるコードブロックの数ＮＣＢが、ＣＢＧの最大数Ｘと同じ、または、それより大きい場合、トランスポートブロックのためのＨＡＲＱ−ＡＣＫはＸ個のＣＢＧに対応するＸ個のＨＡＲＱ−ＡＣＫを含んでもよい。
【０１８３】
（Ｓ１３４０）端末装置１は、トランスポートブロック１３０１のＣＢＧ再送信のためのＨＡＲＱ−ＡＣＫ１３０５、または、ＨＡＲＱ−ＡＣＫ１３０６の何れかを基地局装置３へ送信する。ＨＡＲＱ−ＡＣＫ１３０５、または、ＨＡＲＱ−ＡＣＫ１３０６の何れかが送信されることは、上位層の信号、および／または、仕様書の記載等に基づき決定されてもよい。基地局装置３は、端末装置１から送信されたＨＡＲＱ−ＡＣＫ１３０５、または、ＨＡＲＱ−ＡＣＫ１３０６に基づいて、何れかのＣＢＧための再送信を実行するかを判断する。
【０１８４】
図１４は、本実施形態におけるＣＢＧごとのために生成されるＨＡＲＱ−ＡＣＫをバイナリビットに符号化する一例を示す図である。図１４において、ＣＢＧの数（最大数）ＸはＲＲＣ情報によって示され、４であってもよい。即ち、４つのＣＢＧ（ＣＢＧ＃１、ＣＢＧ＃２、ＣＢＧ＃３、ＣＢＧ＃４）のそれぞれに対して、ＨＡＲＱ−ＡＣＫに対応するバイナリビットが生成される。
【０１８５】
本実施形態において、ＨＡＲＱ−ＡＣＫはＡＣＫまたはＮＡＣＫにセットせれる。端末装置１は、ＨＡＲＱ−ＡＣＫビットをバイナリビットに符号化する。端末装置１は、ＡＣＫをバイナリ“１”として符号化し、且つ、ＮＡＣＫをバイナリ“０”として符号化する。端末装置１は、ＣＢＧごとに生成されるＨＡＲＱ−ＡＣＫビットをバイナリビットに符号化する。
【０１８６】
端末装置１は、初期送信ためのトランスポートブロックのサイズに基づいて、該トランスポートブロックに含まれるコードブロックの数ＮＣＢを決定してもよい。トランスポートブロックサイズによって決定されるコードブロックの数ＮＣＢがＲＲＣの情報によって示されるＣＢＧの数Ｘより小さい場合、ＮＣＢより大きいインデックスのＣＢＧに対応するＨＡＲＱ−ＡＣＫのバイナリビットは所定の値にセットされてもよい。例えば、所定の値は、０または１であってもよい。
【０１８７】
例えば、ＮＣＢはトランスポートブロックサイズに基づいて、３で与えられる。コードブロックの数３より大きいインデックスＣＢＧ＃４に対応するＨＡＲＱ−ＡＣＫのバイナリビットは所定の値にセットされてもよい。即ち、ＣＢＧ＃４に対応するＨＡＲＱ−ＡＣＫ（３）のバイナリビットｂ（３）が所定の値にセットされてもよい。また、例えば、ＮＣＢはトランスポートブロックサイズに基づいて、２で与えられる。コードブロックの数２より大きいインデックスＣＢＧ＃３、ＣＢＧ＃４のそれぞれに対応するＨＡＲＱ−ＡＣ
Ｋのバイナリビットは所定の値にセットされてもよい。即ち、ｂ（２）とｂ（３）のそれぞれは所定の値にセットされてもよい。これにより、基地局装置３には、端末装置１がＮＣＢより大きいインデックスのＣＢＧに対応するＨＡＲＱ−ＡＣＫのバイナリビットを所定の値にセットすることを事前に知っているため、全体のＨＡＲＱ−ＡＣＫのバイナリビットのバースト誤りへの耐性が強化されることができる。
【０１８８】
図１１において、プライマリセルとセカンダリセルのそれぞれに対してＲＲＣパラメータｃｂｇＴｒａｎｓｍｉｓｓｉｏｎが設定されているため、端末装置１は、該プライマリセルと該セカンダリセル（つまり、サービングセルのそれぞれ）において、ＣＢＧごとにＨＡＲＱ−ＡＣＫを生成する。前述したように、ＲＲＣパラメータｃｂｇＴｒａｎｓｍｉｓｓｉｏｎが設定されているサービングセルにおいて、下りリンク制御情報は、トランスポートブロックごとにＨＡＲＱ−ＡＣＫを生成することを指示してもよい。例えば、基地局装置３は、ｓｌｏｔ１１０１において、セカンダリセルにおけるＰＤＳＣＨ１１２０を送信し、且つ、ＰＤＳＣＨ１１２０にトランスポートブロックごとのＨＡＲＱ−ＡＣＫを指示する。この時、生成されるＨＡＲＱ−ＡＣＫとＣＢＧおよびトランスポートブロックの対応関係は、図１５（ａ）のように示されてもよい。図１５は、本実施形態におけるＨＡＲＱ−ＡＣＫ（ｊ）とＣＢＧおよびトランスポートブロックの対応の他の一例を示す図である。この時、セカンダリセルにおいて、ＨＡＲＱ−ＡＣＫ（８）はＰＤＳＣＨ１１２０に含まれるトランスポートブロック１１２１に対応し、ＨＡＲＱ−ＡＣＫ（１２）はＰＤＳＣＨ１１２０に含まれるトランスポートブロック１１２２に対応する。すなわち、ＨＡＲＱ−ＡＣＫ（８）は、トランスポートブロック１１２１が成功裏に復号されたか否かに基づき、ＡＣＫまたはＮＡＣＫが生成されてもよい。ＨＡＲＱ−ＡＣＫ（１２）は、トランスポートブロック１１２２が成功裏に復号されたか否かに基づき、ＡＣＫまたはＮＡＣＫが生成されてもよい。端末装置１は、ＨＡＲＱ−ＡＣＫ（９）、ＨＡＲＱ−ＡＣＫ（１０）、ＨＡＲＱ−ＡＣＫ（１１）、ＨＡＲＱ−ＡＣＫ（１３）、ＨＡＲＱ−ＡＣＫ（１４）、ＨＡＲＱ−ＡＣＫ（１５）に対して、ＮＡＣＫを生成する。
【０１８９】
即ち、ＲＲＣパラメータｃｂｇＴｒａｎｓｍｉｓｓｉｏｎが設定されているサービングセルにおいて、該サービングセルが１つのトランスポートブロックをサポートし、且つ、ＰＤＣＣＨによってトランスポートブロックごとにＨＡＲＱ−ＡＣＫを生成することを指示した場合、端末装置１は、所定の数のＮＡＣＫを生成してもよい。ここで、所定の数はＸ−１であってもよい。１つのＨＡＲＱ−ＡＣＫは、受信したトランスポートブロックが成功裏に復号されたか否かに基づき、ＡＣＫまたはＮＡＣＫが生成されてもよい。即ち、該トランスポートブロックのためのＨＡＲＱ−ＡＣＫは、Ｘ-１個のＮＡＣＫ、および、1個のトランスポートブロックに対応する1個のＨＡＲＱ−ＡＣＫを含んでもよい。端末装
置１は、ＡＣＫをバイナリ“１”として符号化し、且つ、ＮＡＣＫをバイナリ“０”として符号化する。即ち、ＲＲＣパラメータｃｂｇＴｒａｎｓｍｉｓｓｉｏｎが設定されているサービングセルにおいて、該サービングセルためのＣＢＧの数ＸがＲＲＣ情報から示され、該サービングセルが１つのトランスポートブロックをサポートし、且つ、ＰＤＣＣＨによってトランスポートブロックごとにＨＡＲＱ−ＡＣＫを生成することを指示した場合、端末装置１は、所定の数のバイナリ“０”を生成してもよい。ここで、所定の数はＸ−１であってもよい。
【０１９０】
また、ＲＲＣパラメータｃｂｇＴｒａｎｓｍｉｓｓｉｏｎが設定されているサービングセルにおいて、該サービングセルが２つのトランスポートブロックをサポートし、あるスロットのＰＤＳＣＨで２つのトランスポートブロックを受信し、且つ、ＰＤＣＣＨによってトランスポートブロックごとにＨＡＲＱ−ＡＣＫを生成することを指示した場合、端末装置１は、所定の数のＮＡＣＫを生成してもよい。ここで、所定の数は２（Ｘ−１）であってもよい。２つのＨＡＲＱ−ＡＣＫのそれぞれは、受信したトランスポートブロックのそれぞれが成功裏に復号されたか否かに基づき、ＡＣＫまたはＮＡＣＫが生成されてもよ
い。即ち、該ＰＤＳＣＨに対応するＨＡＲＱ−ＡＣＫは、２（Ｘ−１）個のＮＡＣＫ、および、２個のトランスポートブロックに対応する２個のＨＡＲＱ−ＡＣＫを含んでもよい。端末装置１は、ＡＣＫをバイナリ“１”として符号化し、且つ、ＮＡＣＫをバイナリ“０”として符号化する。即ち、ＲＲＣパラメータｃｂｇＴｒａｎｓｍｉｓｓｉｏｎが設定されているサービングセルにおいて、該サービングセルが２つのトランスポートブロックをサポートし、あるスロットのＰＤＳＣＨで２つのトランスポートブロックを受信し、且つ、ＰＤＣＣＨによってトランスポートブロックごとにＨＡＲＱ−ＡＣＫを生成することを指示した場合、端末装置１は、所定の数のバイナリ“０”を生成してもよい。ここで、所定の数は２（Ｘ−１）であってもよい。
【０１９１】
また、ＲＲＣパラメータｃｂｇＴｒａｎｓｍｉｓｓｉｏｎが設定されているサービングセルにおいて、該サービングセルが２つのトランスポートブロックをサポートし、あるスロットのＰＤＳＣＨで１つだけのトランスポートブロックを受信し、且つ、ＰＤＣＣＨによってトランスポートブロックごとにＨＡＲＱ−ＡＣＫを生成することを指示した場合、端末装置１は、所定の数のＮＡＣＫを生成してもよい。ここで、所定の数は２Ｘ−１であってもよい。１つのＨＡＲＱ−ＡＣＫは、受信したトランスポートブロックが成功裏に復号されたか否かに基づき、ＡＣＫまたはＮＡＣＫが生成されてもよい。即ち、該ＰＤＳＣＨに対応するＨＡＲＱ−ＡＣＫは、２Ｘ−１個のＮＡＣＫ、および、１個の受信したトランスポートブロックに対応する１個のＨＡＲＱ−ＡＣＫを含んでもよい。端末装置１は、ＡＣＫをバイナリ“１”として符号化し、且つ、ＮＡＣＫをバイナリ“０”として符号化する。即ち、ＲＲＣパラメータｃｂｇＴｒａｎｓｍｉｓｓｉｏｎが設定されているサービングセルにおいて、該サービングセルが２つのトランスポートブロックをサポートし、あるスロットのＰＤＳＣＨで１つだけのトランスポートブロックを受信し、且つ、ＰＤＣＣＨによってトランスポートブロックごとにＨＡＲＱ−ＡＣＫを生成することを指示した場合、端末装置１は、所定の数のバイナリ“０”を生成してもよい。ここで、所定の数は２Ｘ−１であってもよい。
【０１９２】
また、例えば、図１１において、端末装置１に設定されているセカンダリセルがＲＲＣパラメータｃｂｇＴｒａｎｓｍｉｓｓｉｏｎに設定されていない。即ち、セカンダリセルにおけるＰＤＳＣＨに対応するＨＡＲＱ−ＡＣＫは、トランスポートブロックごとに生成される。この時、生成されるＨＡＲＱ−ＡＣＫとＣＢＧおよびトランスポートブロックの対応関係は、図１５（ｂ）のように示されてもよい。プライマリセルにおいて、ＨＡＲＱ−ＡＣＫがＣＢＧごとに生成される。セカンダリセルにおいて、ＨＡＲＱ−ＡＣＫ（８）はＰＤＳＣＨ１１２０に含まれるトランスポートブロック１１２１に対応し、ＨＡＲＱ−ＡＣＫ（９）はＰＤＳＣＨ１１２０に含まれるトランスポートブロック１１２２に対応する。すなわち、ＨＡＲＱ−ＡＣＫ（８）は、トランスポートブロック１１２１が成功裏に復号されたか否かに基づき、ＡＣＫまたはＮＡＣＫが生成されてもよい。ＨＡＲＱ−ＡＣＫ（９）は、トランスポートブロック１１２２が成功裏に復号されたか否かに基づき、ＡＣＫまたはＮＡＣＫが生成されてもよい。
【０１９３】
以下、本実施形態において、空間的なＣＢＧ  ＨＡＲＱ−ＡＣＫバンドリング（spatial CBG HARQ-ACK bundling）について説明する。
【０１９４】
あるサービングセルに対して、空間的なＣＢＧ  ＨＡＲＱ−ＡＣＫバンドリングが適用されるか否かは、ＲＲＣ情報から示されてもよい。図１０（ｂ）のように、空間的なＣＢＧ  ＨＡＲＱ−ＡＣＫバンドリングが適用されないサービングセルにおいて、２つのトランスポートブロックが受信される場合、且つ、２つのトランスポートブロックのそれぞれに対してＣＢＧの数Ｘが適用される場合に、該サービングセルのためのＨＡＲＱ−ＡＣＫビットを生成するとすれば、該サービングセルのためのＨＡＲＱ−ＡＣＫは、（受信するトランスポートブロックの数＊Ｘビット）であり、トランスポートブロックの番号＃０に
対するＸ個のＨＡＲＱ−ＡＣＫとトランスポートブロックの番号＃１に対するＸ個のＨＡＲＱ−ＡＣＫを順番に連結して生成されてもよい。図１０（ｂ）において、受信するトランスポートブロックの数は２である。ＨＡＲＱ−ＡＣＫバンドリングが適用されない場合、空のＣＢＧ（コードブロックを含まないＣＢＧ）のためのＨＡＲＱ−ＡＣＫは、ＮＡＣＫに生成されてもよいし、コードブロックを含むＣＢＧのためのＨＡＲＱ−ＡＣＫは、該ＣＢＧが成功裏に復号化されたか否かに基づき、ＡＣＫまたはＮＡＣＫが生成されてもよい。
【０１９５】
次に、空間的なＣＢＧ  ＨＡＲＱ−ＡＣＫバンドリングが適用されるサービングセルにおいて、２つのトランスポートブロックが受信される場合、該サービングセルのためのＨＡＲＱ−ＡＣＫビット（バンドルＨＡＲＱ−ＡＣＫ（Bundled HARQ-ACK））について説明する。
【０１９６】
空間的なＣＢＧ  ＨＡＲＱ−ＡＣＫバンドリングは、２つのトランスポートブロックにわたって同じインデックスを有するＣＢＧに対して実行されてもよい。即ち、あるインデックスのＣＢＧに対するバンドルＨＡＲＱ−ＡＣＫは、２つのトランスポートブロックのそれぞれに含まれる該インデックスのＣＢＧに対応する２つのＨＡＲＱ−ＡＣＫビットを空間的にバンドリングすることによって生成される。空間的なバンドリングは、２つのＨＡＲＱ−ＡＣＫビットの論理和演算（ｌｏｇｉｃａｌ  ＡＮＤ  ｏｐｅｒａｔｉｏｎ）によって行われてもよい。
【０１９７】
図１６は、空間的なＣＢＧ  ＨＡＲＱ−ＡＣＫバンドリングが適用されるサービングセルにおいて２つのトランスポートブロック（トランスポートブロック１６０１とトランスポートブロック１６０２）が受信された場合、該サービングセルのためのＨＡＲＱ−ＡＣＫビットを生成する一例を示す図である。図１６において、トランスポートブロックごとのＣＢＧの最大数を示すＸの値が４であるとすると、１つのトランスポートブロック（トランスポートブロック１６０１とトランスポートブロック１６０２のそれぞれ）が最大４つのＣＢＧを含んでいることを意味する。トランスポートブロックのそれぞれに対して、ＣＢＧのインデックスは、ＣＢＧ＃１、ＣＢＧ＃２、ＣＢＧ＃３、ＣＢＧ＃４と割り振られてもよい。トランスポートブロック１６０１は、第１のトランスポートブロックと称されてもよい。トランスポートブロック１６０２は、第２のトランスポートブロックと称されてもよい。
【０１９８】
端末装置１は、同じインデックスを有する、複数のＣＢＧを用いて、ＸビットのバンドルＨＡＲＱ−ＡＣＫ（Ｂｕｎｄｌｅｄ  ＨＡＲＱ−ＡＣＫ）を生成してもよい。図１６（ａ）において、ＣＢＧ＃１に対するバンドルＨＡＲＱ−ＡＣＫ（０）は、トランスポートブロック１６０１のＣＢＧ＃１に対応するＨＡＲＱ−ＡＣＫ（０）とトランスポートブロック１６０２のＣＢＧ＃１に対応するＨＡＲＱ−ＡＣＫ（４）を空間的にバンドリングすることによって生成される。ＣＢＧ＃２に対するバンドルＨＡＲＱ−ＡＣＫ（１）は、トランスポートブロック１６０１のＣＢＧ＃２に対応するＨＡＲＱ−ＡＣＫ（１）とトランスポートブロック１６０２のＣＢＧ＃２に対応するＨＡＲＱ−ＡＣＫ（５）を空間的にバンドリングすることによって生成される。ＣＢＧ＃３に対するバンドルＨＡＲＱ−ＡＣＫ（２）は、トランスポートブロック１６０１のＣＢＧ＃３に対応するＨＡＲＱ−ＡＣＫ（２）とトランスポートブロック＃１のＣＢＧ１６０２に対応するＨＡＲＱ−ＡＣＫ（６）を空間的にバンドリングすることによって生成される。ＣＢＧ＃４に対するバンドルＨＡＲＱ−ＡＣＫ（３）は、トランスポートブロック１６０１のＣＢＧ＃４に対応するＨＡＲＱ−ＡＣＫ（３）とトランスポートブロック１６０２のＣＢＧ＃４に対応するＨＡＲＱ−ＡＣＫ（７）を空間的にバンドリングすることによって生成される。つまり、ＨＡＲＱ−ＡＣＫバンドリングは、２つのＨＡＲＱ−ＡＣＫビットを１つのＨＡＲＱ−ＡＣＫビットに束ねることによって、ＨＡＲＱ−ＡＣＫビットの総数を低減することができる。
【０１９９】
図１６（ｂ）はＣＢＧ＃１のためのバンドルＨＡＲＱ−ＡＣＫを生成する一例である。例えば、Ｓ１０ａにおいて、端末装置１はＨＡＲＱ−ＡＣＫ（０）とＨＡＲＱ−ＡＣＫ（４）を空間的にバンドルすることによってＣＢＧ＃１に対するバンドルされたＨＡＲＱ−ＡＣＫビットを生成する。Ｓ１０ａにおいて、入力される２つのＨＡＲＱ−ＡＣＫビットのそれぞれがＡＣＫである場合、空間的にバンドリングすることによって生成されるＨＡＲＱ−ＡＣＫはＡＣＫにセットされる。Ｓ１０ａにおいて、入力される２つのＨＡＲＱ−ＡＣＫビットの少なくとも一方がＮＡＣＫである場合には、空間的にバンドルすることによって生成される、バンドルＨＡＲＱ−ＡＣＫはＮＡＣＫにセットされる。また、Ｓ１０ａにおいて、入力される２つのＨＡＲＱ−ＡＣＫビットがＡＣＫとＤＴＸである場合には、空間的にバンドルすることによって生成される、バンドルＨＡＲＱ−ＡＣＫはＡＣＫにセットされる。また、Ｓ１０ａにおいて、入力される２つのＨＡＲＱ−ＡＣＫビットがＮＡＣＫとＤＴＸである場合、空間的にバンドルすることによって生成されるＨＡＲＱ−ＡＣＫはＮＡＣＫにセットされる。
【０２００】
１つのバンドルＨＡＲＱ−ＡＣＫに対応するＨＡＲＱ−ＡＣＫビットに束ねられる複数のＣＢＧはＣＢＧグループと称されてもよい。つまり、ＣＢＧグループに属するＣＢＧのそれぞれに対応するＨＡＲＱ−ＡＣＫのＨＡＲＱ−ＡＣＫビットは、１つのバンドルＨＡＲＱ−ＡＣＫのＨＡＲＱ−ＡＣＫビットに束ねられ（生成され）てもよい。言い換えると、ＣＢＧグループ毎に１つのＨＡＲＱ−ＡＣＫビットが生成されてもよい。なお、ＣＢＧグループのサイズは、該ＣＢＧグループに属するＣＢＧの数であってもよい。ＣＢＧグループのサイズは、ＲＲＣ情報から示されてもよい。図１６（ａ）において、ＣＢＧグループのサイズは２である。例えば、図１６（ａ）において、トランスポートブロック１６０１のＣＢＧ＃１とトランスポートブロック１６０２のＣＢＧ＃１はＣＢＧグループ１に属する。トランスポートブロック１６０１のＣＢＧ＃１とトランスポートブロック１６０２のＣＢＧ＃１のそれぞれに対応する２つのＣＢＧ  ＨＡＲＱ−ＡＣＫがバンドルされたＨＡＲＱ−ＡＣＫ（０）に束ねされてもよい。図１６（ａ）において、トランスポートブロック１６０１のＣＢＧ＃２とトランスポートブロック１６０２のＣＢＧ＃２はＣＢＧグループ２に属してもよい。トランスポートブロック１６０１のＣＢＧ＃３とトランスポートブロック１６０２のＣＢＧ＃３はＣＢＧグループ３に属してもよい。トランスポートブロック１６０１のＣＢＧ＃４とトランスポートブロック１６０２のＣＢＧ＃４はＣＢＧグループ４に属してもよい。
【０２０１】
また、空間的なＣＢＧ  ＨＡＲＱ−ＡＣＫバンドリングは、１つのトランスポートブロックに対して複数のＣＢＧの間で実行されてもよい。例えば、図１７は、本実施形態において１つのトランスポートブロックに対応するＣＢＧの間でＨＡＲＱ−ＡＣＫバンドリングが実行される一例を示す図である。端末装置１は、トランスポートブロックのそれぞれに対して、ＣＢＧグループ毎に１つのバンドルＨＡＲＱ−ＡＣＫ（Ｂｕｎｄｌｅｄ  ＨＡＲＱ−ＡＣＫ）を生成してもよい。
【０２０２】
図１７において、トランスポートブロック＃０（ＴＢ＃０）に対してＣＢＧは２つのＣＢＧグループに分けられる。ＣＢＧグループ０１は、トランスポートブロック＃０のＣＢＧ＃１とトランスポートブロック＃０のＣＢＧ＃２を有する。バンドルＨＡＲＱ−ＡＣＫ（０）は、トランスポートブロック＃０のＣＢＧ＃１に対応するＨＡＲＱ−ＡＣＫ（０）とトランスポートブロック＃０のＣＢＧ＃２に対応するＨＡＲＱ−ＡＣＫ（１）がバンドルすることによって生成されてもよい。ＣＢＧグループ０２は、トランスポートブロック＃０のＣＢＧ＃３とトランスポートブロック＃０のＣＢＧ＃４を有する。バンドルＨＡＲＱ−ＡＣＫ（１）は、トランスポートブロック＃０のＣＢＧ＃３に対応するＨＡＲＱ−ＡＣＫ（２）とトランスポートブロック＃０のＣＢＧ＃４に対応するＨＡＲＱ−ＡＣＫ（３）がバンドルすることによって生成されてもよい。また、図１７において、トランスポー
トブロック＃１（ＴＢ＃１）に対してＣＢＧは２つのＣＢＧグループに分けられる。ＣＢＧグループ０３は、トランスポートブロック＃１のＣＢＧ＃１とトランスポートブロック＃１のＣＢＧ＃２を有する。バンドルＨＡＲＱ−ＡＣＫ（２）は、トランスポートブロック＃１のＣＢＧ＃１に対応するＨＡＲＱ−ＡＣＫ（４）とトランスポートブロック＃１のＣＢＧ＃２に対応するＨＡＲＱ−ＡＣＫ（５）がバンドルすることによって生成されてもよい。ＣＢＧグループ０４は、トランスポートブロック＃１のＣＢＧ＃３とトランスポートブロック＃１のＣＢＧ＃４を有する。バンドルＨＡＲＱ−ＡＣＫ（３）は、トランスポートブロック＃１のＣＢＧ＃３に対応するＨＡＲＱ−ＡＣＫ（６）とトランスポートブロック＃１のＣＢＧ＃４に対応するＨＡＲＱ−ＡＣＫ（７）がバンドルすることによって生成されてもよい。
【０２０３】
続いて、空間的なＣＢＧ  ＨＡＲＱ−ＡＣＫバンドリングが適用されているサービングセルにおいて、２つのトランスポートブロックが受信された場合、トランスポートブロックのＣＢＧのそれぞれに対するＨＡＲＱ−ＡＣＫの生成について説明する。該ＨＡＲＱ−ＡＣＫは、バンドルＨＡＲＱ−ＡＣＫを生成するために用いられる。図１８は、図１６におけるトランスポートブロックの送信に対応するＨＡＲＱ−ＡＣＫの生成に関する一例を示す図である。
【０２０４】
続いて、ＣＢＧグループにおいて、空のＣＢＧのためのＨＡＲＱ−ＡＣＫの生成について説明する。
【０２０５】
（Ｓ１７１０）基地局装置３は、図１６におけるトランスポートブロック１６０１と１６０２に対する初期送信を端末装置１へ実行する。端末装置１は、受信したトランスポートブロック１６０１と１６０２の復調処理や復号処理などを行う。トランスポートブロック１６０１の初期送信１７０１に含まれるコードブロックの数ＮＣＢは、３である。トランスポートブロック１６０２の初期送信１７０２に含まれるコードブロックの数ＮＣＢは、２である。つまり、１７０１において、ＣＢＧ＃１、ＣＢＧ＃２、ＣＢＧ＃３のそれぞれは、１つのコードブロックを含む。１７０１において、ＣＢＧ＃４はコードブロックを含まない。１７０２において、ＣＢＧ＃１とＣＢＧ＃２のそれぞれは、１つのコードブロックを含む。１７０２において、ＣＢＧ＃３とＣＢＧ＃４はコードブロックを含まない。コードブロックを含まないＣＢＧは空のＣＢＧ（Ｅｍｐｔｙ  ＣＢＧ）と称されてもよい。コードブロックを含むＣＢＧは非空のＣＢＧ（Ｎｏｎ−ｅｍｐｔｙ  ＣＢＧ）と称されてもよい。即ち、あるトランスポートブロックに対して、コードブロックの数ＮＣＢがＣＢＧの数Ｘより小さい場合、コードブロックを含むＣＢＧの数はＮＣＢ個であり、コードブロックを含まないＣＢＧの数は（Ｘ−ＮＣＢ）個である。即ち、コードブロックを含まないＣＢＧの数は、初期送信ためのトランスポートブロックサイズに基づいて、与えられてもよい。
【０２０６】
続いて、端末装置１は、受信したトランスポートブロック１７０１と１７０２の復号を試みてもよい。そして、端末装置１は、１７０１のためのＨＡＲＱ−ＡＣＫ１７２１を生成し、１７０２のためのＨＡＲＱ−ＡＣＫ１７２２を生成してもよい。コードブロックを含むＣＢＧのためのＨＡＲＱ−ＡＣＫは、該ＣＢＧが成功裏に復号化されたか否かに基づき、ＡＣＫまたはＮＡＣＫが生成されてもよい。１７０１におけるＣＢＧ＃１、ＣＢＧ＃２、ＣＢＧ＃３のためのＨＡＲＱ−ＡＣＫのそれぞれは、該ＣＢＧが成功裏に復号されたか否かに基づき、ＡＣＫまたはＮＡＣＫを生成される。１７０２におけるＣＢＧ＃１、ＣＢＧ＃２のためのＨＡＲＱ−ＡＣＫのそれぞれは、該ＣＢＧが成功裏に復号されたか否かに基づき、ＡＣＫまたはＮＡＣＫを生成される。
【０２０７】
また、端末装置１は、空のＣＢＧのためのＨＡＲＱ−ＡＣＫを生成してもよい。あるＣＢＧグループに属する空のＣＢＧのためのＨＡＲＱ−ＡＣＫは、該ＣＢＧグループに属す
る他のＣＢＧにコードブロックが含まれるかどうかに基づいて、与えられてもよい。
【０２０８】
例えば、あるＣＢＧグループにおいて、空のＣＢＧのためのＨＡＲＱ−ＡＣＫは、該ＣＢＧグループに属する他のすべてのＣＢＧにコードブロックが含まれない場合、ＮＡＣＫに生成されてもよい。即ち、ＣＢＧグループが含むすべてのＣＢＧが空のＣＢＧの場合、空のＣＢＧのそれぞれに対してＮＡＣＫが生成されてもよい。ＣＢＧグループ０４において、１７０１におけるＣＢＧ＃４と１７０２におけるＣＢＧ＃４の両方は空のＣＢＧである。因って、端末装置１は、１７０１におけるＣＢＧ＃４のためのＨＡＲＱ−ＡＣＫ（３）をＮＡＣＫとして生成してもよい。端末装置１は、１７０２におけるＣＢＧ＃４のためのＨＡＲＱ−ＡＣＫ（７）をＮＡＣＫとして生成してもよい。
【０２０９】
また、あるＣＢＧグループにおいて、空のＣＢＧのためのＨＡＲＱ−ＡＣＫは、該ＣＢＧグループに属する少なくとも１つのＣＢＧにコードブロックが含まれた場合、ＮＡＣＫに生成されなくてもよい。また、あるＣＢＧグループにおいて、空のＣＢＧのためのＨＡＲＱ−ＡＣＫは、該ＣＢＧグループに属する少なくとも１つのＣＢＧにコードブロックが含まれた場合、ＤＴＸに生成されてもよい。即ち、ＣＢＧグループが少なくとも１つの空のＣＢＧと少なくとも１つコードブロックを含むＣＢＧを含む場合、少なくとも１つの空のＣＢＧに対してＤＴＸを生成してもよい。ＣＢＧグループ０３において、１７０１におけるＣＢＧ＃３はコードブロックを含み、１７０２におけるＣＢＧ＃３はコードブロックを含まない。この場合、端末装置１は、ＨＡＲＱ−ＡＣＫ１７２２におけるＨＡＲＱ−ＡＣＫ（６）をＤＴＸとして生成してもよい。
【０２１０】
（Ｓ１７２０）端末装置１は、バンドルされたＨＡＲＱ−ＡＣＫ１７２３を基地局装置３へ送信する。バンドルされたＨＡＲＱ−ＡＣＫ１７２３は、ＨＡＲＱ−ＡＣＫ１７２１とＨＡＲＱ−ＡＣＫ１７２２を空間的にバンドリングすることによって生成される。基地局装置３は、端末装置１から受信したＨＡＲＱ−ＡＣＫ１７２３に基づいて、何れのＣＢＧグループの再送信を実行するかを判断する。
【０２１１】
（Ｓ１７３０）基地局装置３は、トランスポートブロック１６０１のＣＢＧ再送信１７３１とトランスポートブロック１６０２のＣＢＧ再送信１７３２を端末装置１へ実行する。ここで、基地局装置３は、１７３１におけるＣＢＧ＃２と１７３２におけるＣＢＧ＃２を再送信することを端末装置１へ通知する。つまり、１７３１において、ＣＢＧ＃２は、コードブロックが再送信されるＣＢＧである。１７３１において、ＣＢＧ＃１とＣＢＧ＃３はコードブロックを含むが再送信されなかったＣＢＧである。１７３１において、ＣＢＧ＃４はコードブロックを含まないＣＢＧである。１７３２において、ＣＢＧ＃１はコードブロックを含むが再送信されなかったＣＢＧである。１７３２において、ＣＢＧ＃１はコードブロックが再送信されるＣＢＧである。１７３２において、ＣＢＧ＃３とＣＢＧ＃４はコードブロックを含まないＣＢＧである。コードブロックを含まないＣＢＧは空のＣＢＧ（Ｅｍｐｔｙ  ＣＢＧ）と称されてもよい。端末装置１は、受信したトランスポートブロック１７３１と１７３２の復号を試みてもよい。そして、端末装置１は、１７３１のためのＨＡＲＱ−ＡＣＫ１７４１を生成し、１７３２のためのＨＡＲＱ−ＡＣＫ１７４２を生成してもよい。
【０２１２】
コードブロックが再送信されるＣＢＧのためのＨＡＲＱ−ＡＣＫは、該ＣＢＧが成功裏に復号化されたか否かに基づき、ＡＣＫまたはＮＡＣＫが生成されてもよい。即ち、１７３１におけるＣＢＧ＃２と１７３２におけるＣＢＧ＃３のためのＨＡＲＱ−ＡＣＫのそれぞれは、該ＣＢＧが成功裏に復号されたか否かに基づき、ＡＣＫまたはＮＡＣＫを生成される。即ち、ＨＡＲＱ−ＡＣＫ１７４１におけるＨＡＲＱ−ＡＣＫ（１）とＨＡＲＱ−ＡＣＫ１７４２におけるＨＡＲＱ−ＡＣＫ（５）は、受信するＣＢＧのデータの復号の結果に基づき、ＡＣＫまたはＮＡＣＫに生成されてもよい。
【０２１３】
また、コードブロックを含むが再送信されなかったＣＢＧのためのＨＡＲＱ−ＡＣＫは、Ｓ１７１０における受信したＣＢＧのデータの復号の結果（ＡＣＫか、ＮＡＣＫか）に基づき、与えられてもよい。即ち、ＨＡＲＱ−ＡＣＫ１７４１におけるＨＡＲＱ−ＡＣＫ（０）とＨＡＲＱ−ＡＣＫ（２）、および、ＨＡＲＱ−ＡＣＫ１７４２におけるＨＡＲＱ−ＡＣＫ（４）は、Ｓ１７１０における受信したＣＢＧのデータの復号の結果（ＡＣＫか、ＮＡＣＫか）に基づき、与えられてもよい。
【０２１４】
また、トランスポートブロックの再送信において、空のＣＢＧのためのＨＡＲＱ−ＡＣＫは、該空のＣＢＧを含むＣＢＧグループに属する他のすべてのＣＢＧにコードブロックが含まれない場合、ＮＡＣＫとして生成されてもよい。即ち、端末装置１は、１７４１におけるＨＡＲＱ−ＡＣＫ（３）をＮＡＣＫとして生成してもよい。端末装置１は、１７４２におけるＨＡＲＱ−ＡＣＫ（７）をＮＡＣＫとして生成してもよい。
【０２１５】
また、トランスポートブロックの再送信において、空のＣＢＧのためのＨＡＲＱ−ＡＣＫは、該空のＣＢＧを含むＣＢＧグループに属するＣＢＧにコードブロックが含まれた場合、該ＣＢＧに含まれるコードブロックが再送信されるかどうかと関わらず、ＤＴＸとして生成されてもよい。即ち、トランスポートブロックのＣＢＧ再送信におけるＣＢＧグループ０３において、１７３１におけるＣＢＧ＃３にはコードブロックが再送信されなくても、１７３２におけるＣＢＧ＃３のためのＨＡＲＱ−ＡＣＫはＤＴＸとして生成されてもよい。即ち、ＨＡＲＱ−ＡＣＫ１７４２におけるＨＡＲＱ−ＡＣＫ（６）がＤＴＸとして生成されてもよい。また、トランスポートブロックのＣＢＧ再送信におけるＣＢＧグループ０３において、１７３１におけるＣＢＧ＃３にはコードブロックが再送信されなくても、１７３２におけるＣＢＧ＃３のためのＨＡＲＱ−ＡＣＫ（６）は、１７４１におけるＨＡＲＱ−ＡＣＫ（２）と同じＨＡＲＱ−ＡＣＫ応答として生成されてもよい。例えば、１７４１におけるＨＡＲＱ−ＡＣＫ（２）がＮＡＣＫである場合、１７４２におけるＨＡＲＱ−ＡＣＫ（６）はＮＡＣＫとして生成されてもよい。また、例えば、１７４１におけるＨＡＲＱ−ＡＣＫ（２）がＡＣＫである場合、１７４２におけるＨＡＲＱ−ＡＣＫ（６）はＡＣＫとして生成されてもよい。
【０２１６】
また、例えば、コードブロックを含まない第１のＣＢＧのためのＨＡＲＱ−ＡＣＫは、第２のＣＢＧにコードブロックが含まれるかどうかに基づいて、与えられてもよい。第１のＣＢＧと第２のＣＢＧは同じＣＢＧグループに属する。図１６（ａ）において、同じＣＢＧグループに属する第１のＣＢＧと第２のＣＢＧは同じＣＢＧインデックスを有してもよい。第１のＣＢＧは第１のトランスポートブロックに対応し、第２のＣＢＧは第２のトランスポートブロックに対応してもよい。図１７において、同じＣＢＧグループに属する第１のＣＢＧと第２のＣＢＧは同じＣＢＧインデックスを有しなくてもよい。図１７において、同じＣＢＧグループに属する第１のＣＢＧと第２のＣＢＧのそれぞれに対応するトランスポートブロックは同一のトランスポートブロックであってもよい。
【０２１７】
例えば、図１６（ａ）において、第１のトランスポートブロックに対してコードブロックを含まない第１のＣＢＧのためのＨＡＲＱ−ＡＣＫは、第２のトランスポートブロックに対して第２のＣＢＧにコードブロックが含まれない場合、ＮＡＣＫとして生成されてもよい。つまり、この時、第１のＣＢＧと第２のＣＢＧのそれぞれに対応するＨＡＲＱ−ＡＣＫは、ＮＡＣＫとして生成されてもよい。そして、第１のＣＢＧと第２のＣＢＧのそれぞれに対応するＨＡＲＱ−ＡＣＫを空間的にバンドルすることによって生成されるバンドルＨＡＲＱ−ＡＣＫは、ＮＡＣＫであってもよい。
【０２１８】
また、第１のトランスポートブロックに対してコードブロックを含まない第１のＣＢＧのためのＨＡＲＱ−ＡＣＫは、第２のトランスポートブロックに対して第２のＣＢＧにコ
ードブロックが含まれた場合、ＮＡＣＫとして生成しなくてもよいし、ＤＴＸとして生成されてもよい。コードブロックを少なくとも１つ含む第２のＣＢＧのためのＨＡＲＱ−ＡＣＫは、該第２のＣＢＧが成功裏に復号化されたか否かに基づき、ＡＣＫまたはＮＡＣＫが生成されてもよい。第２のＣＢＧのＨＡＲＱ−ＡＣＫがＡＣＫである場合、第１のＣＢＧのＨＡＲＱ−ＡＣＫと第２のＣＢＧのＨＡＲＱ−ＡＣＫが空間的にバンドルされることによって生成されるＨＡＲＱ−ＡＣＫはＡＣＫであってもよい。第２のＣＢＧのＨＡＲＱ−ＡＣＫがＮＡＣＫである場合、第１のＣＢＧのＨＡＲＱ−ＡＣＫと第２のＣＢＧのＨＡＲＱ−ＡＣＫが空間的にバンドルされることによって生成されるＨＡＲＱ−ＡＣＫはＮＡＣＫであってもよい。
【０２１９】
また、例えば、第１のトランスポートブロックに対してコードブロックを含まない第１のＣＢＧのためのＨＡＲＱ−ＡＣＫは、第２のトランスポートブロックに対して第２のＣＢＧにコードブロックが含まれた場合、第２のＣＢＧのためのＨＡＲＱ−ＡＣＫと同じＨＡＲＱ−ＡＣＫ応答として生成されてもよい。コードブロックを少なくとも１つ含む第２のＣＢＧのためのＨＡＲＱ−ＡＣＫは、該第２のＣＢＧが成功裏に復号化されたか否かに基づき、ＡＣＫまたはＮＡＣＫが生成されてもよい。第２のＣＢＧのＨＡＲＱ−ＡＣＫがＡＣＫである場合、第１のＣＢＧのＨＡＲＱ−ＡＣＫはＡＣＫに生成されてもよい。そして、第１のＣＢＧのＨＡＲＱ−ＡＣＫと第２のＣＢＧのＨＡＲＱ−ＡＣＫが空間的にバンドルされることによって生成されるＨＡＲＱ−ＡＣＫはＡＣＫであってもよい。第２のＣＢＧのＨＡＲＱ−ＡＣＫがＮＡＣＫである場合、第１のＣＢＧのＨＡＲＱ−ＡＣＫはＮＡＣＫに生成されてもよい。そして、第１のＣＢＧのＨＡＲＱ−ＡＣＫと第２のＣＢＧのＨＡＲＱ−ＡＣＫが空間的にバンドルされることによって生成されるＨＡＲＱ−ＡＣＫはＮＡＣＫであってもよい。
【０２２０】
図１７において、ＣＢＧのそれぞれに対応するＨＡＲＱ−ＡＣＫの生成は、上述した図１６（ａ）と図１８におけるＣＢＧのそれぞれに対応するＨＡＲＱ−ＡＣＫの生成方法と同一であるため、ここで省略する。
【０２２１】
即ち、空間的なＣＢＧ  ＨＡＲＱ−ＡＣＫバンドリングが適用されないサービングセルにおいて、端末装置１は、コードブロックを含まない第１のＣＢＧに対してＨＡＲＱ−ＡＣＫをＮＡＣＫに生成してもよい。また、空間的なＣＢＧ  ＨＡＲＱ−ＡＣＫバンドリングが適用されているサービングセルにおいて、端末装置１は、ＣＢＧグループが含むすべてのＣＢＧが空のＣＢＧの場合、空のＣＢＧのそれぞれに対してＮＡＣＫを生成し、ＣＢＧグループが少なくとも１つの空のＣＢＧと少なくとも１つコードブロックを含むＣＢＧを含む場合、少なくとも１つの空のＣＢＧに対してＮＡＣＫを生成しなくてもよい。１つのＣＢＧグループが含むＣＢＧに対するＨＡＲＱ−ＡＣＫを空間的にバンドリングすることによって１つのバンドルＨＡＲＱ−ＡＣＫを生成する。
【０２２２】
また、本実施形態において、１つのトランスポートブロックに含まれるＣＢＧの間で空間的なＣＢＧ  ＨＡＲＱ−ＡＣＫ  バンドリングが適用されるか否かは、第３の所定の値に基づいて、決定されてもよい。例えば、第３の所定の値が所定の閾値を超えている場合、１つのトランスポートブロックに含まれるＣＢＧの間で空間的なＣＢＧ  ＨＡＲＱ−ＡＣＫ  バンドリングが適用されてもよい。また、例えば、第３の所定の値が所定の閾値を超えていない場合、１つのトランスポートブロックに含まれるＣＢＧの間で空間的なＣＢＧ  ＨＡＲＱ−ＡＣＫ  バンドリングが適用されなくてもよい。第３の所定の値は、送信するＨＡＲＱ−ＡＣＫのビットの総数、および／または、ＨＡＲＱ−ＡＣＫの送信に用いられるリソースエレメントの数によって与えられてもよい。所定の閾値、符号化率／リソース利用効率等に少なくとも関連するパラメータであってもよい。所定の閾値は、ＲＲＣ情報、および／または、仕様書の記載等に基づき与えられてもよい。
【０２２３】
（Ａ）２つのトランスポートブロックにわたってＣＢＧの間でバンドリングが実行されるか、（Ｂ）１つのトランスポートブロックにおけるＣＢＧの間でバンドリングが実行されるかの内、何れが適用されるかはＲＲＣ情報から示されてもよい。
【０２２４】
以下、本実施形態の一態様において、上位層パラメータcodebooksizeDeterminationに
設定されている端末装置１に対してサービングセルのためのＨＡＲＱ−ＡＣＫビットの決定について説明する。
【０２２５】
上位層パラメータcodebooksizeDeterminationは、端末装置１が（Ａ）設定されている
サービングセルの数、および／または、（Ｂ）ＣＢＧの最大数Ｘに少なくとも基づいてＨＡＲＱ−ＡＣＫのコードブロックサイズを決定することを示すために用いられる。ＨＡＲＱ−ＡＣＫビットの決定（ＨＡＲＱ−ＡＣＫビットの数の決定、ＨＡＲＱ−ＡＣＫのペイロードサイズの決定、リザーブされるＨＡＲＱ−ＡＣＫフィールドの数の決定）を、ＨＡＲＱ−ＡＣＫのコードブックサイズの決定とも称する。ＨＡＲＱ−ＡＣＫビットは、サービングセルのそれぞれに対するＨＡＲＱ−ＡＣＫビットの連結からなる。以下、ＣＢＧの送信が設定されているサービングセルに対するＨＡＲＱ−ＡＣＫビットの決定について説明する。
【０２２６】
ＣＢＧの送信が設定されているサービングセルにおいて、基地局装置３は、ＣＢＧの最大数Ｘを示すＲＲＣ情報を端末装置１へ送信する。ＣＢＧの最大数Ｘは、最大２つのトランスポートブロックの送信をサポートするサービングセルにおいて、受信されたトランスポートブロックの数に基づいて、個別に設定されてもよい。例えば、基地局装置３は、最大２つのトランスポートブロックの送信をサポートするサービングセルにおいて、１つのトランスポートブロックのみが受信された場合、該トランスポートブロックに含まれるＣＢＧの数（ＣＢＧの最大数）Ｘ１を示すＲＲＣ情報を端末装置１に送信してもよい。また、基地局装置３は、最大２つのトランスポートブロックの送信をサポートするサービングセルにおいて、２つのトランスポートブロックが受信された場合、該トランスポートブロックのそれぞれに含まれるＣＢＧの数（ＣＢＧの最大数）Ｘ２を示すＲＲＣ情報を端末装置１に送信してもよい。ここで、Ｘ１の値は２，４，６，８の内の何れかの１つであってもよい。Ｘ２の値は２，４の内の何れかの１つであってもよい。
【０２２７】
即ち、上位層パラメータ[codebooksizeDetermination = cc]に設定されている端末装置１に対して、ＣＢＧの送信が設定されているサービングセルのためのＨＡＲＱ−ＡＣＫのコードブックサイズは、（ｉ）該サービングセルにおいて受信されたトランスポートブロックの数、（ｉｉ）ＲＲＣ情報に示されるＣＢＧの数Ｘ１、（ｉｉｉ）ＲＲＣ情報に示されるＣＢＧの数Ｘ２、（ｉｖ）同一のスロットにおける同一の物理チャネルＰＵＣＣＨまたはＰＵＳＣＨで送信できるＨＡＲＱ−ＡＣＫに対応するスロットの数に少なくとも基づいて、決定されてもよい。
【０２２８】
また、該サービングセルにおいて、１つのスロットにおけるＰＤＳＣＨに対応するＨＡＲＱ−ＡＣＫのコードブックサイズは、（ｉ）該サービングセルにおいて受信されたトランスポートブロックの数、（ｉｉ）ＲＲＣ情報に示されるＣＢＧの数Ｘ１、（ｉｉｉ）ＲＲＣ情報に示されるＣＢＧの数Ｘ２に少なくとも基づいて、決定されてもよい。具体的にいうと、該サービングセルにおいて、１つのスロットにおけるＰＤＳＣＨに対応するＨＡＲＱ−ＡＣＫのコードブックサイズＮＳＩＺＥは、ＮＳＩＺＥ＝ｍａｘ（Ｘ１、２＊Ｘ２）として決定されてもよい。ここで、ｍａｘ（数値１、数値２）は、数値１と数値２の内の、大きい方の値を返す関数である。＊は掛け算を示す。即ち、該サービングセルに対するＨＡＲＱ−ＡＣＫコードブックはＮＳＩＺＥ個のＨＡＲＱ−ＡＣＫ情報ビットを含む。
【０２２９】
図１９は、本実施形態におけるサービングセルに対するＨＡＲＱ−ＡＣＫコードブック
の決定の一例を示す図である。図１９において、端末装置１に設定されているサービングセル１９００は、ＣＢＧの送信が設定されて、最大２つのトランスポートブロックをサポートする。サービングセル１９００に対して、Ｘ１の値は６で設定され、Ｘ２の値は４で設定されてもよい。該サービングセル１９００に対してＨＡＲＱ−ＡＣＫコードブックＮＳＩＺＥは、ＮＳＩＺＥ＝ｍａｘ（６、２＊４）として８で決定されてもよい。即ち、該サービングセルに対するＨＡＲＱ−ＡＣＫコードブックは８個のＨＡＲＱ−ＡＣＫ情報ビットを含む。これによって、該サービングセルのためのＨＡＲＱ−ＡＣＫコードブロックのサイズに対して、端末装置１と基地局装置３の間にミスマッチの問題が生じない。
【０２３０】
基地局装置３は、スロット１９０１において、ＰＤＳＣＨ１９１０を送信する。ＰＤＳＣＨ１９１０は２つのトランスポートブロック１９１１、１９１２を含む。端末装置１は、ＰＤＳＣＨ１９１０に対応するＨＡＲＱ−ＡＣＫ１９１３を生成し、基地局装置３へ送信してもよいてもよい。ここで、ＨＡＲＱ−ＡＣＫ１９１３は、ＮＳＩＺＥ＝８個のＨＡＲＱ−ＡＣＫ情報ビットを含む。端末装置１は、受信したトランスポートブロック１９１１、１９１２に含まれるＣＢＧのそれぞれが成功裏に復号されるか否かに基づいて、対応するＨＡＲＱ−ＡＣＫのそれぞれに対してＡＣＫまたはＮＡＣＫを生成する。ここで、トランスポートブロックに対応するＸ１個のＨＡＲＱ−ＡＣＫは、本実施形態において前述した方法によって、与えられてもよい。
【０２３１】
また、基地局装置３は、スロット１９０５において、ＰＤＳＣＨ１９２０を送信する。ＰＤＳＣＨ１９２０は１つのトランスポートブロック１９２１を含む。端末装置１は、ＰＤＳＣＨ１９２０に対応するＨＡＲＱ−ＡＣＫ１９２３を生成し、基地局装置３へ送信してもよい。ここで、ＨＡＲＱ−ＡＣＫ１９２３は、ＮＳＩＺＥ＝８個のＨＡＲＱ−ＡＣＫ情報ビットを含む。端末装置１は、受信したトランスポートブロック１９２１に含まれるＣＢＧのそれぞれが成功裏に復号されるか否かに基づいて、対応するＨＡＲＱ−ＡＣＫのそれぞれに対してＡＣＫまたはＮＡＣＫを生成する。また、端末装置１は、トランスポートブロック１９２１に対応しない（ＮＳＩＺＥ―Ｘ１）個のＨＡＲＱ−ＡＣＫに対してＮＡＣＫを生成してもよい。即ち、ＨＡＲＱ−ＡＣＫ１９２３は、６個のＨＡＲＱ−ＡＣＫと２個のＮＡＣＫを含んでもよい。
【０２３２】
即ち、該サービングセル１９００において、ＰＤＳＣＨにおいて１つのトランスポートブロックのみが受信された場合、且つ、ＣＢＧの最大数Ｘ１がＮＳＩＺＥより小さい場合、該ＰＤＳＣＨに対応するＨＡＲＱ−ＡＣＫとして、Ｘ１個のＨＡＲＱ−ＡＣＫ、および、（ＮＳＩＺＥ−Ｘ１）個のＮＡＣＫが生成される。即ち、この場合、該ＰＤＳＣＨに対応するＨＡＲＱ−ＡＣＫは、Ｘ１個のＨＡＲＱ−ＡＣＫ、および、（ＮＳＩＺＥ−Ｘ１）個のＮＡＣＫを含む。また、該サービングセル１９００において、ＰＤＳＣＨにおいて１つのトランスポートブロックのみが受信された場合、且つ、ＣＢＧの最大数Ｘ１がＮＳＩＺＥと等しい場合、該ＰＤＳＣＨに対応するＨＡＲＱ−ＡＣＫとして、Ｘ１個のＨＡＲＱ−ＡＣＫが生成される。
【０２３３】
また、該サービングセル１９００において、ＰＤＳＣＨにおいて２つのトランスポートブロックが受信された場合、且つ、ＣＢＧの最大数Ｘ２の２倍がＮＳＩＺＥより小さい場合、該ＰＤＳＣＨに対応するＨＡＲＱ−ＡＣＫとして、（２＊Ｘ２）個のＨＡＲＱ−ＡＣＫ、および、（ＮＳＩＺＥ−２＊Ｘ２）個のＮＡＣＫが生成される。即ち、該ＰＤＳＣＨに対応するＨＡＲＱ−ＡＣＫは、（２＊Ｘ２）個のＨＡＲＱ−ＡＣＫ、および、（ＮＳＩＺＥ−２＊Ｘ２）個のＮＡＣＫを含む。また、該サービングセル１９００において、ＰＤＳＣＨにおいて２つのトランスポートブロックが受信された場合、且つ、ＣＢＧの最大数Ｘ２の２倍がＮＳＩＺＥと等しい場合、該ＰＤＳＣＨに対応するＨＡＲＱ−ＡＣＫとして、（２＊Ｘ２）個のＨＡＲＱ−ＡＣＫが生成される。
【０２３４】
また、空間的なＣＢＧ  ＨＡＲＱ−ＡＣＫバンドリングが設定されているサービングセルにおいて、１つのスロットにおけるＰＤＳＣＨに対応するＨＡＲＱ−ＡＣＫのコードブックサイズＮＳＩＺＥは、ＮＳＩＺＥ＝ｍａｘ（Ｘ１、Ｘ２）として決定されてもよい。
【０２３５】
即ち、空間的なＣＢＧ  ＨＡＲＱ−ＡＣＫバンドリングが設定されているサービングセルにおいて、ＰＤＳＣＨにおいて１つのトランスポートブロックのみが受信された場合、且つ、ＣＢＧの最大数Ｘ１がＮＳＩＺＥより小さい場合、該ＰＤＳＣＨに対応するＨＡＲＱ−ＡＣＫとして、Ｘ１個のＨＡＲＱ−ＡＣＫ、および、（ＮＳＩＺＥ−Ｘ１）個のＮＡＣＫが生成される。即ち、この場合、該ＰＤＳＣＨに対応するＨＡＲＱ−ＡＣＫは、Ｘ１個のＨＡＲＱ−ＡＣＫ、および、（ＮＳＩＺＥ−Ｘ１）個のＮＡＣＫを含む。
【０２３６】
また、空間的なＣＢＧ  ＨＡＲＱ−ＡＣＫバンドリングが設定されているサービングセルにおいて、ＰＤＳＣＨにおいて２つのトランスポートブロックが受信された場合、且つ、ＣＢＧの最大数Ｘ２がＮＳＩＺＥより小さい場合、該ＰＤＳＣＨに対応するＨＡＲＱ−ＡＣＫとして、Ｘ２個のＨＡＲＱ−ＡＣＫ、および、（ＮＳＩＺＥ−Ｘ２）個のＮＡＣＫが生成される。即ち、該ＰＤＳＣＨに対応するＨＡＲＱ−ＡＣＫは、Ｘ２個のＨＡＲＱ−ＡＣＫ、および、（ＮＳＩＺＥ−Ｘ２）個のＮＡＣＫを含む。
【０２３７】
以下、本実施形態におけるＰＵＣＣＨのフォーマットについて、説明する。
【０２３８】
ＰＵＣＣＨのフォーマットは、少なくとも５種類与えられてもよい。ＰＵＣＣＨフォーマット０は、系列の選択によりＵＣＩが送信されるＰＵＣＣＨのフォーマットである。ＰＵＣＣＨフォーマット０において、ＰＵＣＣＨフォーマット０のための系列のセットが定義される。該ＰＵＣＣＨフォーマット０のための系列のセットは、１または複数のＰＵＣＣＨフォーマット０のための系列を含む。１または複数のＰＵＣＣＨフォーマット０のための系列の中から、ビットのブロックに少なくとも基づき１つのＰＵＣＣＨフォーマット０のための系列が選択される。選択されたＰＵＣＣＨフォーマット０のための系列は、上りリンク物理チャネルにマップされ、送信される。ビットのブロックはＵＣＩにより与えられてもよい。ビットのブロックは、ＵＣＩに対応してもよい。ＰＵＣＣＨフォーマット０において、ビットのブロックのビット数Ｍｂｉｔ＜３であってもよい。ＰＵＣＣＨフォーマット０において、ＰＵＣＣＨのＯＦＤＭシンボル数は１または２であってもよい。
【０２３９】
該選択されたＰＵＣＣＨフォーマット０のための系列は、所定の電力縮減因子（または、振幅縮減因子）が乗算されてもよい。該選択されたＰＵＣＣＨフォーマット０のための系列は、ＰＵＣＣＨフォーマット０のためのリソースエレメント（ｋ、ｌ）からｋに関して昇順にマップされる。所定の電力縮減因子は、送信電力制御のために少なくとも用いられる。ここで、ｋは周波数領域のインデックスである。ｌは時間領域のインデックスである。
【０２４０】
即ち、ＰＵＣＣＨフォーマット０は、１ビットまたは２ビットのＨＡＲＱ−ＡＣＫ、（もしあれば）スケジューリングリクエストを含むＵＣＩを送信するために用いられてもよい。ＰＵＣＣＨフォーマット０に用いられるＰＵＣＣＨリソースを示す情報は、ＲＢインデックス、および、サイクリックシフトの情報を含んでもよい。つまり、ＰＵＣＣＨリソースが異なることは、ＲＢインデックスとサイクリックシフトの内、何れかが異なることを意味してもよい。
【０２４１】
ＰＵＣＣＨフォーマット１は、ＰＵＣＣＨフォーマット１のための系列の変調によりＵＣＩが送信されるＰＵＣＣＨのフォーマットである。ビットのブロックは、ビットのブロックに含まれるビット数Ｍｂｉｔ＝１の場合にＢＰＳＫ（Ｂｉｎａｒｙ  Ｐｈａｓｅ  Ｓｈｉｆｔ  Ｋｅｙｉｎｇ）で変調され、複素数値変調シンボルｄ（０）が生成されてもよ
い。ビットのブロックは、ビットのブロックに含まれるビット数Ｍｂｉｔ＝２の場合にＱＰＳＫ（Ｑｕａｄｒａｔｕｒｅ  Ｐｈａｓｅ  Ｓｈｉｆｔ  Ｋｅｙｉｎｇ）で変調され、複素数値変調シンボルｄ（０）が生成されてもよい。ＰＵＣＣＨフォーマット１において、ビットのブロックのビット数Ｍｂｉｔ＜３であってもよい。ＰＵＣＣＨフォーマット１において、ＰＵＣＣＨのＯＦＤＭシンボル数は４以上であってもよい。
【０２４２】
即ち、ＰＵＣＣＨフォーマット１は、１ビットまたは２ビットのＨＡＲＱ−ＡＣＫ、および／または、（もしあれば）スケジューリングリクエストを含むＵＣＩを送信するために用いられてもよい。
【０２４３】
ＰＵＣＣＨフォーマット２は、ＰＵＣＣＨフォーマット２のための系列の変調によりＵＣＩが送信されるＰＵＣＣＨのフォーマットである。ビットのブロックは、例えば、変調されることに基づいて、ＰＵＣＣＨフォーマット２のための出力系列ｚ（ｐ）（ｎ）が生成されてもよい。ＰＵＣＣＨフォーマット２において、ビットのブロックのビット数Ｍｂｉｔは、Ｍｂｉｔ＞２であってもよい。ＰＵＣＣＨフォーマット２において、ＰＵＣＣＨのＯＦＤＭシンボルの数は１または２であってもよい。
【０２４４】
ＰＵＣＣＨフォーマット３は、ＰＵＣＣＨフォーマット３のための系列の変調によりＵＣＩが送信されるＰＵＣＣＨのフォーマットである。ビットのブロックは、例えば、変調されることに基づき、ＰＵＣＣＨフォーマット３のための出力系列ｚ（ｐ）（ｎ）が生成されてもよい。ＰＵＣＣＨフォーマット３において、ビットのブロックのビット数Ｍｂｉｔ＞２であってもよい。ＰＵＣＣＨフォーマット３において、ＰＵＣＣＨのＯＦＤＭシンボルの数は４以上であってもよい。
【０２４５】
ＰＵＣＣＨフォーマット４は、ＰＵＣＣＨフォーマット４のための系列の変調によりＵＣＩが送信されるＰＵＣＣＨのフォーマットである。ビットのブロックは、例えば、変調されることに基づき、ＰＵＣＣＨフォーマット４のための出力系列ｚ（ｐ）（ｎ）が生成されてもよい。ＰＵＣＣＨフォーマット４において、ビットのブロックのビット数Ｍｂｉｔ＞２であってもよい。ＰＵＣＣＨフォーマット４において、ＰＵＣＣＨのＯＦＤＭシンボルの数は４以上であってもよい。ＰＵＣＣＨフォーマット４のためのビット数は、ＰＵＣＣＨフォーマット３のためのビット数より、少ないであってもよい。例えば、ＰＵＣＣＨフォーマット４のためのビット数は、所定の値Ｖ１を超えないよう制限されてもよい。また、
【０２４６】
即ち、ＰＵＣＣＨフォーマット２、ＰＵＣＣＨフォーマット３、および、ＰＵＣＣＨフォーマット４は、２ビットよりも多いＨＡＲＱ−ＡＣＫ、（もしあれば）スケジューリングリクエスト、および／または、（もしあれば）ＣＳＩを含むＵＣＩを送信するために用いられる。つまり、ＵＣＩは、２ビットよりも多いビット数で構成される。
【０２４７】
以下、上りリンクの送信電力制御について説明する。
【０２４８】
サービングセルｃのために、スロットｉのＰＵＣＣＨの送信電力ＰＰＵＣＣＨ（ｉ）は下記の数式（１）に基づき与えられてもよい。数式（１）に含まれる要素のそれぞれは、デシベル形式で表現される。
【数１】
2019087965.tif 000003
【０２４９】
つまり、サービングセルｃのために、スロットｉのＰＵＣＣＨの送信電力ＰＰＵＣＣＨ（ｉ）は、要素Ａから要素Ｊの一部または全部に少なくとも基づき与えられてもよい。
要素Ａ：サービングセルｃのスロットｉにおいて設定される最大送信電力ＰｃＭＡＸ，ｃ要素Ｂ：上位層のパラメータに少なくとも基づき与えられるＰ０＿ＰＵＣＣＨ
要素Ｃ：パスロスの推定値に基づく電力補正値ＰＬｃ
要素Ｄ：ＰＵＣＣＨの帯域幅を示すパラメータＭＰＵＣＣＨ，ｃ（i）
要素Ｅ：ΔＦ＿ＰＵＣＣＨ（Ｆ）
要素Ｆ：ＰＵＣＣＨで送信されるＵＣＩのビット数、ＵＣＩのタイプ（例えば、ＳＲ、ＨＡＲＱ−ＡＣＫ、ＣＳＩ）、符号化方式、変調方式／符号化率／リソース利用効率等に少なくとも関連する電力オフセットパラメータΔＰＵＣＣＨ＿ＴＦ、ｃ（i）
要素Ｇ：ｇ（ｉ）。
【０２５０】
ＰＣＭＡＸ，ｃは、サービングセルｃのスロットｉにおいて設定される端末装置１の最大送信電力であってもよい。
【０２５１】
Ｐ０＿ＰＵＣＣＨは、上位層の信号に少なくとも基づき与えられる電力オフセット値である。
【０２５２】
ＰＬｃは、サービングセルｃにおける下りリンクのパスロス（Ｐａｔｈ  ｌｏｓｓ）の推定値であってもよい。該パスロスの推定値は、ＳＳ／ＰＢＣＨブロック、および／または、ＣＳＩ−ＲＳに少なくとも基づき与えられてもよい。
【０２５３】
ＭＰＵＣＣＨ，ｃは、ＰＵＣＣＨで送信されるＰＵＣＣＨフォーマットの帯域幅を示すパラメータであり、リソースブロックの数によって表現されてもよい。
【０２５４】
ΔＦ＿ＰＵＣＣＨ（Ｆ）は、上位層のパラメータにより与えられる。Ｆは、ＰＵＣＣＨフォーマットを識別するために用いられる値である。つまり、ΔＦ＿ＰＵＣＣＨ（Ｆ）はＰＵＣＣＨフォーマットに少なくとも基づき与えられる。ΔＦ＿ＰＵＣＣＨ（Ｆ）は、ＰＵＣＣＨフォーマット、および／または、該ＰＵＣＣＨフォーマットが送信されるＰＵＣＣＨのシンボルの数に少なくとも基づき与えられてもよい。
【０２５５】
端末装置１は、数式（２）に基づいて、ｇ（ｉ）の値をセットしてもよい。なお、ｇ（ｉ）は、ＰＵＣＣＨの送信電力の制御および／または調整するために用いられるパラメータである。
【数２】
2019087965.tif 000004
【０２５６】
ここで、δＰＵＣＣＨは、補正値（ａ  ｃｏｒｒｅｃｔｉｏｎ  ｖａｌｕｅ）であり、ＴＰＣコマンドと呼称される。すなわち、δＰＵＣＣＨ（ｉ−ＫＰＵＣＣＨ）は、ｇ（ｉ−１）に累積される値を示している。また、δＰＵＣＣＨ（ｉ−ＫＰＵＣＣＨ）は、あるスロット（ｉ−ＫＰＵＣＣＨ）で受信した、あるセルに対する下りリンクグラントおよびＰＵＣＣＨに対するＤＣＩフォーマットに含まれるＰＵＣＣＨに対するＴＰＣコマンドのフィールドにセットされた値に基づいて指示されてもよい。該ＰＵＣＣＨに対するＤＣＩフォーマットは、少なくともＰＵＣＣＨのためのＴＰＣコマンドの送信に用いられる。ＫＰＵＣＣＨは、あらかじめ定義される値であってもよい。
【０２５７】
例えば、下りリンクグラントおよびＰＵＣＣＨに対するＤＣＩフォーマットに含まれるＰＵＣＣＨに対するＴＰＣコマンドのフィールド（２ビットの情報フィールド）がセットされる値は、累積される補正値｛−１、０、１、３｝にマップされてもよい。例えば、Ｐ
ＵＣＣＨに対するＤＣＩフォーマットに含まれるＰＵＣＣＨに対するＴＰＣコマンドのフィールド（１ビットの情報フィールド）がセットされる値は、累積される補正値｛−１、１｝にマップされる。
【０２５８】
ΔＰＵＣＣＨ＿ＴＦ、ｃ（i）は、スロットｉにおけるＰＵＣＣＨで送信されるＵＣＩ
のビット数、ＵＣＩのタイプ（例えば、ＳＲ、ＨＡＲＱ−ＡＣＫ、ＣＳＩ）、符号化方式、変調方式／符号化率／リソース利用効率等に少なくとも関連する電力オフセット値を示すパラメータである。ΔＰＵＣＣＨ＿ＴＦ、ｃは、ＰＵＣＣＨで送信されるＵＣＩのビット数に基づいて、ｈ（ｎＣＳＩ，ｎＨＡＲＱ，ｎＳＲ）またはΔＴＦ，ｃの何れかに与えられてもよい。例えば、ＰＵＣＣＨで送信されるＵＣＩのビット数が所定の値Ｖ２を超えていない場合、ΔＰＵＣＣＨ＿ＴＦ、ｃ（i）はｈ（ｎＣＳＩ，ｎＨＡＲＱ，ｎＳＲ）で
あってもよい。また、ＰＵＣＣＨで送信されるＵＣＩのビット数が所定の値Ｖ２を超えている場合、ΔＰＵＣＣＨ＿ＴＦ、ｃ（i）はΔＴＦ，ｃ（ｉ）であってもよい。即ち、Ｐ
ＵＣＣＨでＰＵＣＣＨフォーマット０，および／または、ＰＵＣＣＨフォーマット１を用いてＵＣＩを送信する場合、該ＰＵＣＣＨの送信電力はｈ（ｎＣＳＩ，ｎＨＡＲＱ，ｎＳＲ）に少なくとも基づいて、与えられてもよい。また、ＰＵＣＣＨでＰＵＣＣＨフォーマット２／３／４を用いてＵＣＩを送信する場合、端末装置１は、該ＰＵＣＣＨフォーマットによって送信されるＵＣＩのビット数が所定の値Ｖ２を超えているか否かに基づいて、ｈ（ｎＣＳＩ，ｎＨＡＲＱ，ｎＳＲ）またはΔＴＦ，ｃの何れを用いて電力オフセット値を算出してもよい。
【０２５９】
ΔＴＦ，ｃ（ｉ）は、変調方式／符号化率／リソース利用効率等によるオフセット値を示すために用いられる。端末装置１は、ＰＵＣＣＨで送信されるＵＣＩのビット数、および、ＰＵＣＣＨ送信に対するリソースエレメントの数などに基づいてΔＴＦ，ｃ（ｉ）を計算する。
【０２６０】
ｈ（ｎＣＳＩ，ｎＨＡＲＱ，ｎＳＲ）は、ＰＵＣＣＨで送信されるＵＣＩのビット数に関連する電力オフセット値である。ｎＣＳＩは、ＰＵＣＣＨに含まれて送信されるＣＳＩのビット数であってもよい。ｎＨＡＲＱは、ＰＵＣＣＨに含まれて送信されるＨＡＲＱ−ＡＣＫのビット数と関連する値である。ｎＳＲは、ＰＵＣＣＨに含まれて送信されるＳＲのビット数である。以下、ｈ（ｎＣＳＩ，ｎＨＡＲＱ，ｎＳＲ）は、ｈＵＣＩとも呼称される。端末装置１は、ＰＵＣＣＨで送信されるＵＣＩのビット数などに少なくとも基づいてｈＵＣＩを計算する。ｈＵＣＩは、ＰＵＣＣＨフォーマットごとに異なる方法により与えられることが好適である。あるＰＵＣＣＨフォーマットに対して、ｈ（ｎＣＳＩ，ｎＨＡＲＱ，ｎＳＲ）を与える関数は、ＰＵＣＣＨで送信されるＵＣＩのタイプに少なくとも基づいて個別に設定されてもよい。例えば、ＰＵＣＣＨで送信されるＵＣＩが少なくともＣＳＩを含んでいる場合、ｈＵＣＩを与える関数は、ｎＣＳＩ、ｎＨＡＲＱ、ｎＳＲの一部または全部に少なくとも基づく対数関数であってもよい。また、ＰＵＣＣＨで送信されるＵＣＩがＣＳＩを含んでいない場合、ｈＵＣＩを与える関数は、ｎＨＡＲＱ、ｎＳＲの一部または全部に少なくとも基づく一次関数であってもよい。
【０２６１】
以下、本実施形態において、ｈ（ｎＣＳＩ，ｎＨＡＲＱ，ｎＳＲ）を算出するために用いられるｎＨＡＲＱの値について説明する。ｎＨＡＲＱの値は、スロットｉーｋで受信したＰＤＳＣＨに対応するＨＡＲＱ−ＡＣＫを含むＰＵＣＣＨの送信のための送信電力の決定に用いられてもよい。該ＰＵＣＣＨの送信はスロットｉで行われる。
【０２６２】
本実施形態において、ｎＨＡＲＱの値、以下の第１の要素から第７の要素の一部、または、全部に少なくとも基づき与えられてもよい。すなわち、ＨＡＲＱ−ＡＣＫを含むＰＵＣＣＨの送信のための送信電力ＰＰＵＣＣＨ,c(i)は、以下の第１の要素から第６の要素
の一部、または、全部に少なくとも基づき与えられてもよい。
・第１の要素：端末装置１に設定されているサービングセルの数
・第２の要素：サービングセルにＣＢＧの送信が設定されているかいないか
・第３の要素：ＣＢＧの送信が設定されているサービングセルに対してトランスポートブロックあたりのＣＢＧの最大数Ｘ
・第４の要素：サービングセルで受信したトランスポートブロックに含まれるコードブロックの数ＮＣＢ
・第５の要素：トランスポートブロックの初期送信において受信するコードブロックが対応するＣＢＧの数ＮＣＢＧ＿ｉｎｉ
・第６の要素：トランスポートブロックの再送信において受信するコードブロックが対応するＣＢＧの数ＮＣＢＧ＿ｒｅ
・第７の要素：サービングセルにおけるＰＤＳＣＨにおいて受信するトランスポートブロックの数
【０２６３】
端末装置１は、下記の数式（３）に基づいて、ｎＨＡＲＱの値を算出してもよい。
【数３】
2019087965.tif 000005
【０２６４】
数式（３）において、ＮＤＬＣｅｌｌｓは第１の要素であり、端末装置１に設定されているサービングセルの数である。また、数式（３）におけるＮｒｅｃｅｉｖｅｄｃは、サービングセルｃのためのＨＡＲＱ−ＡＣＫビットと関連する値である。Ｎｒｅｃｅｉｖｅｄｃは第２の要素から第７の要素の一部、または、全部に少なくとも基づき与えられてもよい。ｎＨＡＲＱの値は、Ｎｒｅｃｅｉｖｅｄｃに少なくとも基づいて与えられてもよい。Ｎｒｅｃｅｉｖｅｄｃは、第２の要素に基づいて、（Ｉ）Ｎｒｅｃｅｉｖｅｄｃ＝Ｎｒｅｃｅｉｖｅｄ＿ＴＢｃまたは（ＩＩ）Ｎｒｅｃｅｉｖｅｄｃ＝Ｎｒｅｃｅｉｖｅｄ＿ＣＢＧｃの何れかとして与えられてもよい。
【０２６５】
例えば、ＣＢＧの送信が設定されていないサービングセルｃにおいて、ＮｒｅｃｅｉｖｅｄｃはＮｒｅｃｅｉｖｅｄ＿ＴＢｃであってもよい。Ｎｒｅｃｅｉｖｅｄ＿ＴＢｃは、（第７の要素）該サービングセルｃにおいて受信されたトランスポートブロックの数、または、受信されたＳＰＳリリースＰＤＣＣＨの数であってもよい。サービングセルｃのスロットｉ―ｋにおいてトランスポートブロックも下りリンクＳＰＳリリースＰＤＣＣＨも受信されなかった場合、Ｎｒｅｃｅｉｖｅｄ＿ＴＢｃは０であってもよい。下りリンクＳＰＳ  リリースＰＤＣＣＨは、ＳＰＳ  Ｃ−ＲＮＴＩ（Semi-Persistent Scheduling C-RNTI）によってスクランブルされたＣＲＣを伴うＰＤＣＣＨである。ＳＰＳ  Ｃ−ＲＮＴ
Ｉは、セミパーシステントスケジューリングに対して使用される、端末装置１に対するユニークな（一意的な）識別子である。また、ＳＰＳ  Ｃ−ＲＮＴＩは、半持続的（semi-persistently）にスケジュールされるユニキャスト送信のために利用されてもよい。ここ
で、半持続的にスケジュールされる送信とは、周期的（periodically）にスケジュールされる送信の意味が含まれてもよい。ここで、下りリンクＳＰＳ  リリースＰＤＣＣＨは、セミパーシステントスケジューリングために設定されていた下りリンクアサインメントをリリース（release、clear）するために用いられてもよい。
【０２６６】
また、例えば、ＣＢＧの送信が設定されているサービングセルｃにおいて、ＮｒｅｃｅｉｖｅｄｃはＮｒｅｃｅｉｖｅｄ＿ＣＢＧｃであってもよい。該サービングセルｃのスロットｉ―ｋにおいてトランスポートブロックｊが受信された場合、Ｎｒｅｃｅｉｖｅｄ＿ＣＢＧｃはＮｒｅｃｅｉｖｅｄ＿ＣＢＧｃ、ｊであり、該Ｎｒｅｃｅｉｖｅｄ＿ＣＢＧｃ、ｊは、第３の要素から第７の要素の一部、または、全部に少なくとも基づき与えられて
もよい。
【０２６７】
ここで、第４の要素のＮＣＢの値は、初期送信のためのトランスポートブロックのサイズによって決定されてもよい。トランスポートブロックはＮＣＢ個のコードブロックに分割される。
【０２６８】
第５の要素のＮＣＢＧ＿ｉｎｉは、トランスポートブロックの初期送信において受信するコードブロックを少なくとも１つ含むＣＢＧの数であってもよい。ＮＣＢＧ＿ｉｎｉの値は、ＸとＮＣＢの値に基づいて与えられてもよい。ＮＣＢＧ＿ｉｎｉの値は、ＮＣＢＧ＿ｉｎｉ＝ｍｉｎ（Ｘ、ＮＣＢ）に基づいて決定されてもよい。ｍｉｎ（Ｘ、ＮＣＢ）は、ＸとＮＣＢの値の内の、小さい方の値を返す関数である。即ち、ＮＣＢＧ＿ｉｎｉの値は、ＸとＮＣＢの内、小さい方の値によって与えられてもよい。
【０２６９】
第６の要素のＮＣＢＧ＿ｒｅは、トランスポートブロックの再送信において受信するコードブロックを少なくとも１つ含むＣＢＧの数であってもよい。ＮＣＢＧ＿ｒｅの値は、トランスポートブロックの再送信をスケジュールするＰＤＣＣＨに含まれるＣＢＧの再送信情報を示すフィールド（ＣＢＧＴＩ）によって与えられてもよい。つまり、該ＣＢＧＴＩフィールドは、どのＣＢＧが実際に再送信されたかを示すために用いられてもよい。ＮＣＢＧ＿ｒｅの値は、ｍｉｎ（Ｘ、ＮＣＢ）と同じ、または、ｍｉｎ（Ｘ、ＮＣＢ）より小さくてもよい。
【０２７０】
また、ＣＢＧの送信が設定されているサービングセルｃのスロットｉ―ｋにおいて、下りリンクＳＰＳリリースＰＤＣＣＨが受信された場合、Ｎｒｅｃｅｉｖｅｄ＿ＣＢＧｃはＮｒｅｃｅｉｖｅｄ＿ＣＢＧｃ、０であり、該Ｎｒｅｃｅｉｖｅｄ＿ＣＢＧｃ、０はＲＲＣ情報より示されたトランスポートブロックあたりのＣＢＧの最大数Ｘであってもよい。ここで、ＣＢＧの最大数Ｘは、セミパーシステントスケジューリング用のＰＤＳＣＨ送信に対してトランスポートブロックあたりのＣＢＧの最大数であってもよい。また、ＣＢＧの送信が設定されているサービングセルｃのスロットｉ―ｋにおいて、下りリンクＳＰＳリリースＰＤＣＣＨが受信された場合、Ｎｒｅｃｅｉｖｅｄ＿ＣＢＧｃはＮｒｅｃｅｉｖｅｄ＿ＣＢＧｃ、０であり、該Ｎｒｅｃｅｉｖｅｄ＿ＣＢＧｃ、０はＲＲＣ情報から示されたＣＢＧの最大数Ｘに基づかず、１であってもよい。
【０２７１】
また、ＣＢＧの送信が設定されているサービングセルｃのスロットｉ―ｋにおいてトランスポートブロックも下りリンクＳＰＳリリースＰＤＣＣＨも受信されなかった場合、Ｎｒｅｃｅｉｖｅｄ＿ＣＢＧｃは０であってもよい。
【０２７２】
以下、図１３を用いて、ＨＡＲＱ−ＡＣＫを含むＰＵＣＣＨの送信のための送信電力のセッティングに用いられるｎＨＡＲＱ（Ｎｒｅｃｅｉｖｅｄ＿ＣＢＧｃ）の値を決定する例について説明する。
【０２７３】
前述したよう、図１３において、ＣＢＧの数（最大数）Ｘは、ＲＲＣ情報によって４で与えられる。（Ｓ１３１０）において、トランスポートブロック１３０１に含まれるコードブロックの数ＮＣＢは、該トランスポートブロックのサイズに基づいてあたえられる。該トランスポートブロックサイズは、下りリンク制御情報によって与えられてもよい。図１３において、ＣＢＧ＃１、ＣＢＧ＃２、ＣＢＧ＃３のそれぞれは、１つのコードブロックを含む。つまり、ＮＣＢは３である。図１３において、ＣＢＧ＃４はコードブロックを含まない。端末装置１は、コードブロックを含むＣＢＧのためのＨＡＲＱ−ＡＣＫとして、対応するコードブロックが成功裏に復号化されたか否かに基づき、ＡＣＫまたはＮＡＣＫを生成してもよい。端末装置１は、コードブロックを含まないＣＢＧ＃４のためのＨＡＲＱ−ＡＣＫとして、ＮＡＣＫを生成してもよい。
【０２７４】
ステップ（Ｓ１３２０）において、端末装置１は、トランスポートブロック１３０１の初期送信のためのＨＡＲＱ−ＡＣＫ１３０３を含むＰＵＣＣＨの送信のための送信電力をセッティングする。端末装置１は、セッティングされた送信電力を用いて、基地局装置３へのＰＵＣＣＨの送信を行う。ここで、ＰＵＣＣＨの送信のための送信電力のセッティングに用いられる電力オフセット値ｈ（ｎＣＳＩ，ｎＨＡＲＱ，ｎＳＲ）は、ｎＨＡＲＱの値に少なくとも基づいて与えられてもよい。ｎＨＡＲＱの値は、ＣＢＧの最大数Ｘ、および／または、トランスポートブロックの初期送信に含まれるコードブロックの数ＮＣＢに少なくとも基づいて与えられてもよい。即ち、トランスポートブロックの初期送信に対するＨＡＲＱ−ＡＣＫを含むＰＵＣＣＨの送信のための送信電力は、ＣＢＧの最大数Ｘ、および／または、トランスポートブロックの初期送信に含まれるコードブロックの数ＮＣＢに少なくとも基づいて与えられてもよい。
【０２７５】
例えば、該トランスポートブロックの初期送信に含まれるコードブロックの数ＮＣＢがＣＢＧの最大数Ｘより小さい場合、ｎＨＡＲＱの値はＮＣＢに基づいて与えられてもよい。この場合、ＮＣＢ個のコードブロックのそれぞれは、異なるＮＣＢ個のＣＢＧに含まれてもよい。ここで、コードブロックを含むＣＢＧの数ＮＣＢＧ＿ｉｎｉの値は、ＮＣＢ個である。トランスポートブロックの初期送信に対するＨＡＲＱ−ＡＣＫを含むＰＵＣＣＨの送信のための送信電力は、ＮＣＢがＣＢＧの最大数Ｘより小さい場合、トランスポートブロックの初期送信に含まれるコードブロックの数ＮＣＢに少なくとも基づいて与えられてもよい。つまり、ＮＣＢがＣＢＧの最大数Ｘより小さい場合、ｎＨＡＲＱの値はＮＣＢＧ＿ｉｎｉの値に基づいて与えられてもよい。即ち、トランスポートブロックの初期送信に対するＨＡＲＱ−ＡＣＫを含むＰＵＣＣＨの送信のための送信電力は、ＮＣＢがＣＢＧの最大数Ｘより小さい場合、トランスポートブロックの初期送信に含まれるコードブロックを含むＣＢＧの数ＮＣＢＧ＿ｉｎｉに少なくとも基づいて与えられてもよい。
【０２７６】
また、該トランスポートブロックの初期送信に含まれるコードブロックの数ＮＣＢがＣＢＧの最大数Ｘより大きい場合、ｎＨＡＲＱの値はＣＢＧの最大数Ｘに基づいて与えられてもよい。この場合、Ｘ個のＣＢＧのそれぞれは、１つ、または、１つより多いコードブロックを含む。即ち、トランスポートブロックの初期送信に対するＨＡＲＱ−ＡＣＫを含むＰＵＣＣＨの送信のための送信電力は、ＮＣＢがＣＢＧの最大数Ｘと同じ、または、それより大きい場合、ＣＢＧの最大数Ｘに少なくとも基づいて与えられてもよい。
【０２７７】
また、該トランスポートブロックの初期送信に含まれるコードブロックの数ＮＣＢがＣＢＧの最大数Ｘと等しい場合、ｎＨＡＲＱの値はＣＢＧの最大数Ｘまたはトランスポートブロックの初期送信に含まれるコードブロックを含むＣＢＧの数ＮＣＢＧ＿ｉｎｉに基づいて与えられてもよい。この場合、Ｘ個のＣＢＧのそれぞれは、１つのコードブロックを含む。即ち、トランスポートブロックの初期送信に対するＨＡＲＱ−ＡＣＫを含むＰＵＣＣＨの送信のための送信電力は、ＮＣＢがＣＢＧの最大数Ｘと同じ場合、ＣＢＧの最大数Ｘまたはトランスポートブロックの初期送信に含まれるコードブロックを含むＣＢＧの数ＮＣＢＧ＿ｉｎｉに少なくとも基づいて与えられてもよい。
【０２７８】
つまり、ｎＨＡＲＱの値は、ＣＢＧの最大数ＸとＮＣＢの値に基づいて、与えられてもよい。また、ｎＨＡＲＱの値は、ｍｉｎ（Ｘ、ＮＣＢ）に基づいて決定されてもよい。ｍｉｎ（Ｘ、ＮＣＢ）は、ＸとＮＣＢの値の内、小さい方の値を返す関数である。即ち、ｎＨＡＲＱの値は、ＸとＮＣＢの内、小さい方の値によって与えられてもよい。即ち、ｎＨＡＲＱの値は、トランスポートブロックの初期送信において受信するコードブロックを含むＣＢＧの数ＮＣＢＧ＿ｉｎｉによって与えられてもよい。
【０２７９】
即ち、トランスポートブロックの初期送信に対するＨＡＲＱ−ＡＣＫを含むＰＵＣＣＨ
の送信のための送信電力は、ＣＢＧの最大数ＸとＮＣＢの値に基づいて、与えられてもよい。即ち、トランスポートブロックの初期送信に対するＨＡＲＱ−ＡＣＫを含むＰＵＣＣＨの送信のための送信電力は、トランスポートブロックの初期送信において受信するコードブロックを含むＣＢＧの数ＮＣＢＧ＿ｉｎｉによって与えられてもよい。
【０２８０】
ステップ（Ｓ１３３０）において、基地局装置３は、あるトランスポートブロック１３０１に対するＣＢＧ再送信を端末装置１へ実行する。基地局装置３は、ＣＢＧの送信（再送信）を指示する情報（例えば、ＣＢＧＴＩフィールド）によって、ＣＢＧ＃１とＣＧＢ＃２とＣＢＧ＃３のうち、実際に何れのＣＢＧが再送信されるかを端末装置１へ通知する。即ち、トランスポートブロックの再送信に含まれるコードブロックを少なくとも１つ含むＣＢＧの数ＮＣＢＧ＿ｒｅは、ＰＤＣＣＨに含まれるＣＢＧの再送信情報を示すＣＢＧＴＩフィールドによって与えられてもよい。即ち、再送信されるＣＢＧの数ＮＣＢＧ＿ｒｅは、ＰＤＣＣＨに含まれるＣＢＧの再送信情報を示すＣＢＧＴＩフィールドによって与えられてもよい。即ち、トランスポートブロックの再送信において、実際に受信されたコードブロックを少なくとも１つ含むＣＢＧの数はＮＣＢＧ＿ｒｅである。図１３において、基地局装置３は、ＣＢＧ＃２とＣＢＧ＃３を再送信することをＣＢＧＴＩフィールドによって端末装置１へ通知する。つまり、ＮＣＢＧ＿ｒｅは２である。再送信されるＣＢＧ＃２は、該トランスポートブロックの初期送信のＣＢＧ＃２と同じコードブロックを含む。再送信されるＣＢＧ＃３は、該トランスポートブロックの初期送信のＣＢＧ＃３と同じコードブロックを含む。
【０２８１】
ステップ（Ｓ１３４０）において、端末装置１は、トランスポートブロック１３０１の再送信のためのＨＡＲＱ−ＡＣＫ１３０６を含むＰＵＣＣＨの送信のための送信電力をセッティングする。端末装置１は、セッティングされた送信電力を用いてＰＵＣＣＨの送信を基地局装置３へ行う。
【０２８２】
以下、トランスポートブロックの再送信に対するＨＡＲＱ−ＡＣＫを含むＰＵＣＣＨの送信のための送信電力のセッティングに用いられるｎＨＡＲＱの値について、説明する。
【０２８３】
トランスポートブロックの再送信に対するＨＡＲＱ−ＡＣＫを含むＰＵＣＣＨの送信のための送信電力のセッティングに用いられるｎＨＡＲＱの値は、再送信されるＣＢＧの数（実際に受信されたＣＢＧの数）ＮＣＢＧ＿ｒｅに基づかず、ＣＢＧの最大数Ｘ、および／または、該トランスポートブロックに含まれるコードブロックの数ＮＣＢに少なくとも基づいて与えられてもよい。即ち、トランスポートブロックの再送信に対するＨＡＲＱ−ＡＣＫを含むＰＵＣＣＨの送信のための送信電力のセッティングに用いられるｎＨＡＲＱの値は、トランスポートブロックの初期送信において受信するコードブロックが対応するＣＢＧの数ＮＣＢＧ＿ｉｎｉによって与えられてもよい。
【０２８４】
また、トランスポートブロックの再送信に対するＨＡＲＱ−ＡＣＫを含むＰＵＣＣＨの送信のための送信電力は、再送信されるＣＢＧの数ＮＣＢＧ＿ｒｅと関わらず、ＣＢＧの最大数Ｘ、および／または、トランスポートブロックの初期送信に含まれるコードブロックの数ＮＣＢに少なくとも基づいて与えられてもよい。即ち、トランスポートブロックの再送信に対するＨＡＲＱ−ＡＣＫを含むＰＵＣＣＨの送信のための送信電力は、トランスポートブロックの初期送信において受信するコードブロックが対応するＣＢＧの数ＮＣＢＧ＿ｉｎｉによって与えられてもよい。
【０２８５】
図１３において、トランスポートブロックの再送信において受信するコードブロックが対応するＣＢＧの数ＮＣＢＧ＿ｒｅは２である。トランスポートブロックの初期送信において受信するコードブロックが対応するＣＢＧの数ＮＣＢＧ＿ｉｎｉは３である。トランスポートブロックの再送信に対するＨＡＲＱ−ＡＣＫを含むＰＵＣＣＨの送信のための送
信電力のセッティングに用いられるｎＨＡＲＱの値は、トランスポートブロックの再送信において受信するコードブロックが対応するＣＢＧの数２（ＮＣＢＧ＿ｒｅ）に基づかず、トランスポートブロックの初期送信において受信するコードブロックが対応するＣＢＧの数３（ＮＣＢＧ＿ｉｎｉ）によって与えられてもよい。この場合、ＮＣＢＧ＿ｒｅがＮＣＢＧ＿ｉｎｉより小さいとしても、ｎＨＡＲＱの値は、ＮＣＢＧ＿ｉｎｉによって与えられてもよい。即ち、ＮＣＢＧ＿ｒｅがｍｉｎ（Ｘ、ＮＣＢ）より小さい場合、トランスポートブロックの再送信に対するＨＡＲＱ−ＡＣＫを含むＰＵＣＣＨの送信のための送信電力のセッティングに用いられるｎＨＡＲＱの値は、トランスポートブロックの初期送信において受信するコードブロックが対応するＣＢＧの数ＮＣＢＧ＿ｉｎｉによって与えられてもよい。つまり、ＮＣＢＧ＿ｒｅがｍｉｎ（Ｘ、ＮＣＢ）より小さい場合、トランスポートブロックの再送信に対するＨＡＲＱ−ＡＣＫを含むＰＵＣＣＨの送信のための送信電力は、トランスポートブロックの初期送信において受信するコードブロックが対応するＣＢＧの数ＮＣＢＧ＿ｉｎｉによって与えられてもよい。
【０２８６】
また、ＮＣＢＧ＿ｒｅがＣＢＧの最大数Ｘと同じ場合、トランスポートブロックの再送信に対するＨＡＲＱ−ＡＣＫを含むＰＵＣＣＨの送信のための送信電力のセッティングに用いられるｎＨＡＲＱの値は、トランスポートブロックの再送信において受信するコードブロックが対応するＣＢＧの数ＮＣＢＧ＿ｒｅまたはＣＢＧの最大数Ｘに基づいて、与えられてもよい。即ち、トランスポートブロックの再送信に対するＨＡＲＱ−ＡＣＫを含むＰＵＣＣＨの送信のための送信電力は、ＮＣＢＧ＿ｒｅがＣＢＧの最大数Ｘと同じ場合、ＣＢＧの最大数Ｘまたはトランスポートブロックの再送信に含まれるコードブロックを含むＣＢＧの数ＮＣＢＧ＿ｉｎｉに少なくとも基づいて与えられてもよい。
【０２８７】
以下、本発明の端末装置１の装置構成について説明する。
【０２８８】
図２０は、本実施形態における端末装置１の構成を示す概略ブロック図である。図示するように、端末装置１は、上位層処理部１０１、制御部１０３、受信部１０５、送信部１０７および、送受信アンテナ１０９の少なくとも１つを含んで構成される。上位層処理部１０１は、無線リソース制御部１０１１、スケジューリング部１０１３の少なくとも１つを含んで構成される。受信部１０５は、復号化部１０５１、復調部１０５３、多重分離部１０５５、無線受信部１０５７とチャネル測定部１０５９の少なくとも１つを含んで構成される。送信部１０７は、符号化部１０７１、共有チャネル生成部１０７３、制御チャネル生成部１０７５、多重部１０７７、無線送信部１０７９と上りリンク参照信号生成部１０７１１の少なくとも１つを含んで構成される。
【０２８９】
上位層処理部１０１は、ユーザの操作等により生成された上りリンクデータを、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部１０１は制御チャネルで受信された下りリンク制御情報などに基づき、受信部１０５、および送信部１０７の制御を行なうために制御情報を生成し、制御部１０３に出力する。
【０２９０】
上位層処理部１０１が備える無線リソース制御部１０１１は、自装置の各種設定情報の管理を行なう。例えば、無線リソース制御部１０１１は、設定されたサービングセルの管理を行なう。また、無線リソース制御部１０１１は、上りリンクの各チャネルに配置される情報を生成し、送信部１０７に出力する。無線リソース制御部１０１１は、受信した下りリンクデータの復号に成功した場合には、ＡＣＫを生成し送信部１０７にＡＣＫを出力し、受信した下りリンクデータの復号に失敗した場合には、ＮＡＣＫを生成し、送信部１０７にＮＡＣＫを出力する。
【０２９１】
上位層処理部１０１が備えるスケジューリング部１０１３は、受信部１０５を介して受信した下りリンク制御情報を記憶する。スケジューリング部１０１３は、上りリンクグラントを受信したサブフレームから４つ後のサブフレームにおいて、受信された上りリンクグラントに従ってＰＵＳＣＨを送信するよう、制御部１０３を介して送信部１０７を制御する。スケジューリング部１０１３は、下りリンクグラントを受信したサブフレームにおいて、受信された下りリンクグラントに従って共有チャネルを受信するよう、制御部１０３を介して受信部１０５を制御する。
【０２９２】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。また、制御部１０３は送信電力を制御する機能を備えてもよい。制御部１０３は送信電力に関連する情報を送信部１０７に出力してもよい。
【０２９３】
受信部１０５は、制御部１０３から入力された制御信号に従って、送受信アンテナ１０９を介して基地局装置３から受信した受信信号を、分離、復調、復号し、復号した情報を上位層処理部１０１に出力する。
【０２９４】
無線受信部１０５７は、送受信アンテナ１０９を介して受信した下りリンクの信号を直交復調し、直交復調されたアナログ信号をディジタル信号に変換する。例えば、無線受信部１０５７は、ディジタル信号に対して高速フーリエ変換（Fast Fourier Transform: FFT）を行い、周波数領域の信号を抽出してもよい。
【０２９５】
多重分離部１０５５は、抽出した信号を制御チャネル、共有チャネル、および、参照信号チャネルに、それぞれ分離する。多重分離部１０５５は、分離した参照信号チャネルをチャネル測定部１０５９に出力する。
【０２９６】
復調部１０５３は、制御チャネル、および、共有チャネルに対して、ＱＰＳＫ、１６ＱＡＭ（Quadrature Amplitude Modulation）、６４ＱＡＭ等の変調方式に対する復調を行
ない、復号化部１０５１へ出力する。
【０２９７】
復号化部１０５１は、下りリンクデータの復号を行い、復号した下りリンクデータを上位層処理部１０１へ出力する。チャネル測定部１０５９は、参照信号チャネルから下りリンクの伝搬路の推定値を算出し、多重分離部１０５５へ出力する。チャネル測定部１０５９は、チャネル状態情報を算出し、尚且つ、チャネル状態情報を上位層処理部１０１へ出力する。
【０２９８】
送信部１０７は、制御部１０３から入力された制御信号に従って、上りリンク参照信号チャネルを生成し、上位層処理部１０１から入力された上りリンクデータや上りリンク制御情報を符号化および変調し、共有チャネル、制御チャネル、参照信号チャネルを多重し、送受信アンテナ１０９を介して基地局装置３に送信する。
【０２９９】
符号化部１０７１は、上位層処理部１０１から入力された上りリンク制御情報と上りリンクデータを符号化し、符号化ビットを共有チャネル生成部１０７３および／または制御チャネル生成部１０７５に出力する。
【０３００】
共有チャネル生成部１０７３は、符号化部１０７１から入力された符号化ビットを変調して変調シンボルを生成し、変調シンボルをＤＦＴすることによって共有チャネルを生成し、多重部１０７７へ出力してもよい。共有チャネル生成部１０７３は、符号化部１０７
１から入力された符号化ビットを変調して共有チャネルを生成し、多重部１０７７へ出力してもよい。
【０３０１】
制御チャネル生成部１０７５は、符号化部１０７１から入力された符号化ビット、および／または、ＳＲに基づいて、制御チャネルを生成し、多重部１０７７へ出力する。
【０３０２】
上りリンク参照信号生成部１０７１１は上りリンク参照信号を生成し、生成した上りリンク参照信号を多重部１０７７へ出力する。
【０３０３】
多重部１０７７は、制御部１０３から入力された制御信号に従って、共有チャネル生成部１０７３から入力された信号および／または制御チャネル生成部１０７５から入力された信号、および／または、上りリンク参照信号生成部１０７１１から入力された上りリンク参照信号を、送信アンテナポート毎に上りリンクのリソースエレメントに多重する。
【０３０４】
無線送信部１０７９は、多重された信号を逆高速フーリエ変換（Inverse Fast Fourier
Transform: IFFT）を行い、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ１０９に出力して送信する。
【０３０５】
以下、本発明の基地局装置３の装置構成について説明する。
【０３０６】
図２１は、本実施形態における基地局装置３の構成を示す概略ブロック図である。図示するように、基地局装置３は、上位層処理部３０１、制御部３０３、受信部３０５、送信部３０７、および、送受信アンテナ３０９、を含んで構成される。また、上位層処理部３０１は、無線リソース制御部３０１１とスケジューリング部３０１３を含んで構成される。また、受信部３０５は、データ復調／復号部３０５１、制御情報復調／復号部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【０３０７】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【０３０８】
上位層処理部３０１が備える無線リソース制御部３０１１は、下りリンクの共有チャネルに配置される下りリンクデータ、ＲＲＣ  ｓｉｇｎａｌｉｎｇ、ＭＡＣ  ＣＥ（Control Element）を生成し、又は上位ノードから取得し、ＨＡＲＱ制御部３０１３に出力する
。また、無線リソース制御部３０１１は、端末装置１各々の各種設定情報の管理をする。例えば、無線リソース制御部３０１１は、端末装置１に設定したサービングセルの管理などを行なう。
【０３０９】
上位層処理部３０１が備えるスケジューリング部３０１３は、端末装置１に割り当てる共有チャネルや制御チャネルの無線リソースの管理をしている。スケジューリング部３０１３は、端末装置１に共有チャネルの無線リソースを割り当てた場合には、共有チャネルの無線リソースの割り当てを示す上りリンクグラントを生成し、生成した上りリンクグラントを送信部３０７へ出力する。
【０３１０】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。また、制御部３０３は送信電力を制御する機能を備えてもよい。制御部３０３は送信電力に関連する情報を送信部３０７に出力してもよい。  
【０３１１】
受信部３０５は、制御部３０３から入力された制御信号に従って、送受信アンテナ３０９を介して端末装置１から受信した受信信号を分離、復調、復号し、復号した情報を上位層処理部３０１に出力する。
【０３１２】
無線受信部３０５７は、送受信アンテナ３０９を介して受信された上りリンクの信号を直交復調し、直交復調されたアナログ信号をディジタル信号に変換する。無線受信部３０５７は、ディジタル信号に対して高速フーリエ変換（Fast Fourier Transform: FFT）を
行い、周波数領域の信号を抽出し多重分離部３０５５に出力する。
【０３１３】
多重分離部１０５５は、無線受信部３０５７から入力された信号を制御チャネル、共有チャネル、参照信号チャネルなどの信号に分離する。尚、この分離は、予め基地局装置３が無線リソース制御部３０１１で決定し、各端末装置１に通知した上りリンクグラントに含まれる無線リソースの割り当て情報に基づいて行なわれる。多重分離部３０５５は、チャネル測定部３０５９から入力された伝搬路の推定値から、制御チャネルと共有チャネルの伝搬路の補償を行なう。また、多重分離部３０５５は、分離した参照信号チャネルをチャネル測定部３０５９に出力する。
【０３１４】
多重分離部３０５５は、分離した制御チャネルと共有チャネルから、上りリンクデータの変調シンボルと上りリンク制御情報（ＨＡＲＱ−ＡＣＫ）の変調シンボルを取得する。多重分離部３０５５は、共有チャネルの信号から取得した上りリンクデータの変調シンボルをデータ復調／復号部３０５１へ出力する。多重分離部３０５５は、制御チャネルまたは共有チャネルから取得した上りリンク制御情報（ＨＡＲＱ−ＡＣＫ）の変調シンボルを制御情報復調／復号部３０５３へ出力する。
【０３１５】
チャネル測定部３０５９は、多重分離部３０５５から入力された上りリンク参照信号から伝搬路の推定値、チャネルの品質などを測定し、多重分離部３０５５および上位層処理部３０１に出力する。
【０３１６】
データ復調／復号部３０５１は、多重分離部３０５５から入力された上りリンクデータの変調シンボルから上りリンクデータを復号する。データ復調／復号部３０５１は、復号された上りリンクデータを上位層処理部３０１へ出力する。
【０３１７】
制御情報復調／復号部３０５３は、多重分離部３０５５から入力されたＨＡＲＱ−ＡＣＫの変調シンボルからＨＡＲＱ−ＡＣＫを復号する。制御情報復調／復号部３０５３は、復号したＨＡＲＱ−ＡＣＫを上位層処理部３０１へ出力する。
【０３１８】
送信部３０７は、制御部３０３から入力された制御信号に従って、下りリンク参照信号を生成し、上位層処理部３０１から入力された下りリンク制御情報、下りリンクデータを符号化、および変調し、制御チャネル、共有チャネル、参照信号チャネルを多重して、送受信アンテナ３０９を介して端末装置１に信号を送信する。
【０３１９】
符号化部３０７１は、上位層処理部３０１から入力された下りリンク制御情報、および、下りリンクデータの符号化を行なう。変調部３０７３は、符号化部３０７１から入力さ
れた符号化ビットをＢＰＳＫ、ＱＰＳＫ、１６ＱＡＭ、６４ＱＡＭ等の変調方式で変調する。変調部３０７３は、変調シンボルにプリコーディングを適用してもよい。プレコーディングは、送信プレコードを含んでもよい。なお、プレコーディングとは、プレコーダが乗算される（適用される）ことであってもよい。
【０３２０】
下りリンク参照信号生成部３０７９は下りリンク参照信号を生成する。多重部３０７５は、各チャネルの変調シンボルと下りリンク参照信号を多重し、送信シンボルを生成する。
【０３２１】
多重部３０７５は、送信シンボルにプレコーディングを適用してもよい。多重部３０７５が送信シンボルに適用するプレコーディングは、下りリンク参照信号、および／または、変調シンボルに対して適用されてもよい。また、下りリンク参照信号に適用されるプレコーディングと、変調シンボルに対して適用されるプレコーディングは、同一であってもよいし、異なってもよい。
【０３２２】
無線送信部３０７７は、多重された送信シンボルなどを逆高速フーリエ変換（Inverse Fast Fourier Transform: IFFT）して、時間シンボルを生成する。無線送信部３０７７は、時間シンボルに対してＯＦＤＭ方式の変調を行い、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、搬送波信号（Carrier signal, Carrier, RF signal等）を生成する。無線送信部３０７７は、搬送波信号に対して、電力増幅し、送受信アンテナ３０９に出力して送信する。
【０３２３】
次に、本実施形態における、端末装置、および、基地局装置の種々の態様について説明する。
【０３２４】
（１）上記の目的を達成するために、本発明の態様は、以下のような手段を講じた。すなわち、本発明の第１の態様は、端末装置であって、ＰＤＣＣＨ、および、ＰＤＣＣＨによってスケジュールされるＰＤＳＣＨにおけるトランスポートブロックを受信し、ＣＢＧの数Ｘを示すＲＲＣ情報を受信する受信部１０５と、ＰＵＣＣＨの送信のための送信電力を決定する制御部１０３と、前記トランスポートブロックに含まれる前記Ｘ個のＣＢＧのそれぞれに対応するＨＡＲＱ−ＡＣＫを前記ＰＵＣＣＨで送信する送信部１０７と、を備え、前記ＸはＲＲＣ情報より示され、トランスポートブロックあたりのＣＢＧの最大数であり、前記トランスポートブロックはＮＣＢ個のコードブロックに分割され、前記トランスポートブロックの初期送信において受信するコードブロックが対応するＣＢＧの数ＮＣＢＧ＿ｉｎｉは、前記Ｘと前記ＮＣＢの内、小さい方の値によって与えられ、前記トランスポートブロックの再送信において受信するコードブロックが対応するＣＢＧの数ＮＣＢＧ＿ｒｅは、前記ＰＤＣＣＨに含まれるＣＢＧの再送信情報を示すフィールドによって与えられ、前記トランスポートブロックの再送信に対するＨＡＲＱ−ＡＣＫを含むＰＵＣＣＨの送信のための送信電力は、トランスポートブロックの初期送信において受信するコードブロックが対応するＣＢＧの数ＮＣＢＧ＿ｉｎｉによって与えられる。
【０３２５】
（２）また、本発明の第２の態様は、基地局装置であって、ＰＤＣＣＨ、および、ＰＤＣＣＨによってスケジュールされるＰＤＳＣＨにおけるトランスポートブロックを送信し、ＣＢＧの数Ｘを示すＲＲＣ情報を送信する送信部３０７と、前記トランスポートブロックに含まれる前記Ｘ個のＣＢＧのそれぞれに対応するＨＡＲＱ−ＡＣＫを前記ＰＵＣＣＨで受信する受信部３０５と、を備え、前記ＸはＲＲＣ情報より示され、トランスポートブロックあたりのＣＢＧの最大数であり、前記トランスポートブロックはＮＣＢ個のコード
ブロックに分割され、前記トランスポートブロックの初期送信において受信するコードブロックが対応するＣＢＧの数ＮＣＢＧ＿ｉｎｉは、前記Ｘと前記ＮＣＢの内、小さい方の値によって与えられ、前記トランスポートブロックの再送信において受信するコードブロックが対応するＣＢＧの数ＮＣＢＧ＿ｒｅは、前記ＰＤＣＣＨに含まれるＣＢＧの再送信情報を示すフィールドによって与えられ、前記トランスポートブロックの再送信に対するＨＡＲＱ−ＡＣＫを含むＰＵＣＣＨの送信のための送信電力は、トランスポートブロックの初期送信において受信するコードブロックが対応するＣＢＧの数ＮＣＢＧ＿ｉｎｉによって与えられる。
【０３２６】
（３）また、本発明の第３の態様は、端末装置であって、サービングセルにおいてＰＤＣＣＨ、および、ＰＤＣＣＨによってスケジュールされるＰＤＳＣＨにおける１つまたは複数のトランスポートブロックを受信し、トランスポートブロックあたりのＣＢＧの最大数Ｘを示すＲＲＣ情報を受信する受信部１０５と、前記ＰＤＳＣＨに対応するＨＡＲＱ−ＡＣＫを送信する送信部１０７と、を備え、前記トランスポートブロックは複数のコードブロックに分割され、ＣＢＧは、空のＣＢＧと非空のＣＢＧに分けられ、前記空のＣＢＧはコードブロックを含まないＣＢＧであり、前記非空のＣＢＧは少なくとも１つのコードブロックを含むＣＢＧであり、ＣＢＧグループは、１つより多い前記ＣＢＧを含み、前記ＣＢＧグループが含むすべてのＣＢＧが空のＣＢＧの場合、空のＣＢＧのそれぞれに対して、ＮＡＣＫを生成し、前記ＣＢＧグループが少なくとも１つの空のＣＢＧと少なくとも１つの非空のＣＢＧを含む場合、前記少なくとも１つの空のＣＢＧ対してＮＡＣＫを生成しない、前記ＣＢＧグループに対応するＣＢＧに対するＨＡＲＱ−ＡＣＫが１つのバンドルＨＡＲＱ−ＡＣＫに生成される。
【０３２７】
（４）また、本発明の第４の態様は、基地局装置であって、サービングセルにおいてＰＤＣＣＨ、および、ＰＤＣＣＨによってスケジュールされるＰＤＳＣＨにおける１つまたは複数のトランスポートブロックを送信し、トランスポートブロックあたりのＣＢＧの最大数Ｘを示すＲＲＣ情報を送信する送信部３０７と、前記ＰＤＳＣＨに対応するＨＡＲＱ−ＡＣＫを受信する受信部３０５と、を備え、前記トランスポートブロックは複数のコードブロックに分割され、ＣＢＧは、空のＣＢＧと非空のＣＢＧに分けられ、前記空のＣＢＧはコードブロックを含まないＣＢＧであり、前記非空のＣＢＧは少なくとも１つのコードブロックを含むＣＢＧであり、ＣＢＧグループは、１つより多い前記ＣＢＧを含み、前記ＣＢＧグループが含むすべてのＣＢＧが空のＣＢＧの場合、空のＣＢＧのそれぞれに対して、ＮＡＣＫを生成し、前記ＣＢＧグループが少なくとも１つの空のＣＢＧと少なくとも１つの非空のＣＢＧを含む場合、前記少なくとも１つの空のＣＢＧ対してＮＡＣＫを生成しない、前記ＣＢＧグループに対応するＣＢＧに対するＨＡＲＱ−ＡＣＫが１つのバンドルＨＡＲＱ−ＡＣＫに生成される。
【０３２８】
（５）また、本発明の第５の態様は、端末装置であって、ＰＤＣＣＨ、および、ＰＤＣＣＨによってスケジュールされるＰＤＳＣＨにおいてトランスポートブロックを受信し、ＣＢＧの最大数Ｘ１を示すＲＲＣ情報を受信し、ＣＢＧの最大数Ｘ２を示すＲＲＣ情報を受信する受信部１０５と、前記ＰＤＳＣＨに対応するＮＳＩＺＥビットのＨＡＲＱ−ＡＣＫを送信する送信部１０７と、を備え、前記ＣＢＧの最大数Ｘ１は、１つのトランスポートブロックのみが受信された場合、トランスポートブロックに対してＣＢＧの最大数であり、前記ＣＢＧの最大数Ｘ２は、２つのトランスポートブロックが受信された場合、トランスポートブロックのそれぞれに対してＣＢＧの最大数であり、前記ＮＳＩＺＥは、Ｘ２の２倍とＸ１の内、大きい方の値で与えられる。
【０３２９】
（６）また、本発明の第６の態様は、基地局装置であって、ＰＤＣＣＨ、および、ＰＤＣＣＨによってスケジュールされるＰＤＳＣＨにおいてトランスポートブロックを送信し、ＣＢＧの最大数Ｘ１を示すＲＲＣ情報を送信し、ＣＢＧの最大数Ｘ２を示すＲＲＣ情報
を送信する送信部３０７と、前記ＰＤＳＣＨに対応するＮＳＩＺＥビットのＨＡＲＱ−ＡＣＫを受信する受信部３０５と、を備え、前記ＣＢＧの最大数Ｘ１は、１つのトランスポートブロックのみが送信された場合、トランスポートブロックに対してＣＢＧの最大数であり、前記ＣＢＧの最大数Ｘ２は、２つのトランスポートブロックが送信された場合、トランスポートブロックのそれぞれに対してＣＢＧの最大数であり、前記ＮＳＩＺＥは、Ｘ２の２倍とＸ１の内、大きい方の値で与えられる。
【０３３０】
（７）また、第５の態様と第６の態様において、前記１つのトランスポートブロックのみが受信された場合、且つ、ＣＢＧの最大数Ｘ１が前記ＮＳＩＺＥより小さい場合、前記ＨＡＲＱ−ＡＣＫには、Ｘ１個のＨＡＲＱ−ＡＣＫ、および、（ＮＳＩＺＥ−Ｘ１）個のＮＡＣＫが生成される。
【０３３１】
（８）また、第５の態様と第６の態様において、前記２つのトランスポートブロックが受信された場合、且つ、ＣＢＧの最大数Ｘ２の２倍が前記ＮＳＩＺＥより小さい場合、前記ＨＡＲＱ−ＡＣＫには、（２＊Ｘ２）個のＨＡＲＱ−ＡＣＫ、および、（ＮＳＩＺＥ−２＊Ｘ２）個のＮＡＣＫが生成される。
【０３３２】
本発明に関わる端末装置１、基地局装置３、で動作するプログラムは、本発明に関わる上記実施形態の機能を実現するように、ＣＰＵ（Central Processing Unit）等を制御す
るプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０３３３】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０３３４】
尚、ここでいう「コンピュータシステム」とは、端末装置１、基地局装置３に内蔵されたコンピュータシステムであって、ＯＳや周辺機器等のハードウェアを含むものとする。また、「コンピュータが読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０３３５】
さらに「コンピュータが読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０３３６】
また、上述した実施形態における端末装置１、基地局装置３は、複数の装置から構成される集合体（装置グループ）として実現することもできる。装置グループを構成する装置の各々は、上述した実施形態に関わる端末装置１、基地局装置３の各機能または各機能ブロックの少なくとも一つを備えてもよい。装置グループとして、端末装置１、基地局装置３の一通りの各機能または各機能ブロックを有していればよい。また、上述した実施形態に関わる端末装置１、基地局装置３は、集合体としての基地局装置と通信することも可能
である。
【０３３７】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の少なくとも一つを有してもよい。
【０３３８】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０３３９】
また、上述した実施形態に用いた装置の各機能ブロック、または諸特徴は、電気回路、たとえば、集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、従来型のプロセッサ、コントローラ、マイクロコントローラ、またはステートマシンであっても良い。前述した電気回路は、ディジタル回路で構成されていてもよいし、アナログ回路で構成されていてもよい。また、半導体技術の進歩により現在の集積回路に代替する集積回路化の技術が出現した場合、本発明の一又は複数の態様は当該技術による新たな集積回路を用いることも可能である。
【０３４０】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０３４１】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０３４２】
１（１Ａ、１Ｂ、１Ｃ）  端末装置
３  基地局装置
１０１  上位層処理部
１０３  制御部
１０５  受信部
１０７  送信部
１０９  送受信アンテナ
１０１１  無線リソース制御部
１０１３  スケジューリング部
１０５１  復号化部
１０５３  復調部
１０５５  多重分離部
１０５７  無線受信部
１０５９  チャネル測定部
１０７１  符号化部
１０７３  共有チャネル生成部
１０７５  制御チャネル生成部
１０７７  多重部
１０７９  無線送信部
１０７１１  上りリンク参照信号生成部
３０１  上位層処理部
３０３  制御部
３０５  受信部
３０７  送信部
３０９  送受信アンテナ
３０００  送信プロセス
３００１  符号化処理部
３００２  スクランブル処理部
３００３  変調マップ処理部
３００４  レイヤマップ処理部
３００５  送信プレコード処理部
３００６  プレコード処理部
３００７  リソースエレメントマップ処理部
３００８  ベースバンド信号生成処理部
３０１１  無線リソース制御部
３０１３  スケジューリング部
３０５１  データ復調／復号部
３０５３  制御情報復調／復号部
３０５５  多重分離部
３０５７  無線受信部
３０５９  チャネル測定部
３０７１  符号化部
３０７３  変調部
３０７５  多重部
３０７７  無線送信部
３０７９  下りリンク参照信号生成部
４０１  分割およびＣＲＣ付加部
４００１  ＣＲＣ付加部
４００２  符号化部
４００３  サブブロックインターリーバ部
４００４  ビット収集部
４００５  ビット選択および切断部
４００６  結合部
４０１１  コードブロック分割部
４０１２  ＣＲＣ付加部
【図１】
2019087965.tif 000006
【図２】
2019087965.tif 000007
【図３】
2019087965.tif 000008
【図４】
2019087965.tif 000009
【図５】
2019087965.tif 000010
【図６】
2019087965.tif 000011
【図７】
2019087965.tif 000012
【図８】
2019087965.tif 000013
【図９】
2019087965.tif 000014
【図１０】
2019087965.tif 000015
【図１１】
2019087965.tif 000016
【図１２】
2019087965.tif 000017
【図１３】
2019087965.tif 000018
【図１４】
2019087965.tif 000019
【図１５】
2019087965.tif 000020
【図１６】
2019087965.tif 000021
【図１７】
2019087965.tif 000022
【図１８】
2019087965.tif 000023
【図１９】
2019087965.tif 000024
【図２０】
2019087965.tif 000025
【図２１】
2019087965.tif 000026